(57)【要約】本発明は、強力な抗レトロウイルス活性を示すペプチドに関する。本発明のペプチドは、ＨＩＶ−１ＬＡＩｇｐ４１タンパク質のアミノ酸６３８〜６７３に相当するＤＰ１７８ペプチド（配列番号１）、ならびにＤＰ１７８の断片、類似体および相同対を含む。本発明はさらに、ヒトおよび非ヒトレトロウイルス、特にＨＩＶの非感染細胞への感染を阻害するための上記ペプチドの使用に関する。【特許請求の範囲】
【請求項１】
ＤＰ１０７／ＤＰ１７８複合体の形成を阻害するか、または該複合体を破壊する化合物を同定する方法であって、
（ａ）  試験化合物の存在下および非存在下の両方で、ＤＰ１０７ペプチドおよびＤＰ１７８ペプチドを含む反応混合物を、ＤＰ１０７／ＤＰ１７８複合体の形成に十分な条件下および時間に渡って調製し；そして、
（ｂ）  ＤＰ１０７／ＤＰ１７８複合体の形成を試験化合物の存在下および非存在下の両方で検出すること、
を含み、ＤＰ１０７／ＤＰ１７８複合体が試験化合物の非存在下では形成されるが、試験化合物の存在下では形成されないことが、該試験化合物がＤＰ１０７／ＤＰ１７８複合体の形成を阻害するか、または該複合体を破壊することを示すものである、上記方法。
【請求項２】
ＤＰ１０７ペプチドまたはＤＰ１７８ペプチドが、改変型ＤＰ１０７ペプチドまたは改変型ＤＰ１７８ペプチドである、請求項１記載の方法。
【請求項３】
改変型ＤＰ１０７ペプチドまたはＤＰ１７８ペプチドが、その結合親和性が低下したものである、請求項２記載の方法。
【発明の詳細な説明】
【０００１】
１．  緒言
本発明は第１に、ＨＩＶ−１ＬＡＩ膜貫通タンパク質（ＴＭ）であるｇｐ４１のアミノ酸６３８〜６７３に対応するペプチドであるＤＰ１７８（配列番号１）（本明細書中ではＴ２０とも称する）およびＤＰ１７８（配列番号１）の一部または類似体に関する。これらは、抗膜融合能、未感染のＣＤ−４＋細胞へのＨＩＶの感染を阻害する能力などの抗ウイルス活性、またはコイルドコイルペプチド構造の関与する細胞内プロセスをモジュレートする能力を示す。本発明はまた、ＨＩＶ−１ＬＡＩ膜貫通タンパク質（ＴＭ）であるｇｐ４１のアミノ酸５５８〜５９５に対応し、エンベロープを有するウイルスなどの他のウイルス中、および／または他の生物中に存在するアミノ酸配列を有するペプチドであるＤＰ１０７（配列番号２５）に類似体ペプチド（本明細書中ではＴ２１とも称する）に関し、さらにこれらのペプチドの使用にも関する。これらのペプチドは、抗膜融合能、抗ウイルス活性、またはコイルドコイルペプチド構造の関与する細胞内プロセスをモジュレートする能力を示す。
【０００２】
ｇｐ４１におけるＤＰ１０７の由来となる領域は、本明細書中ではＨＲ１と称する。ｇｐ４１におけるＤＰ１７８の由来となる領域は、本明細書中ではＨＲ２と称する。本明細書中に記載の通り、ｇｐ４１のＨＲ１およびＨＲ２領域は、互いにならびに／またはＴ２０およびＴ２１ペプチドと相互作用する（非共有結合）。この相互作用は、ＨＩＶの通常の感染に必要である。
【０００３】
したがって、本発明はさらに、ＤＰ１７８とＤＰ１０７との間および／またはＤＰ１０７様ペプチドとＤＰ１７８様ペプチドとの間の相互作用を破壊する低分子化合物を含む化合物を同定するための方法に関する。ある実施形態では、係る方法は、ＤＰ１７８、ＤＰ１７８様ペプチド、ＤＰ１０７およびＤＰ１０７様ペプチド、ならびに、対応する「起源」または「天然」のペプチドが示す親和性より低い親和性で互いに相互作用するペプチド対の同定および使用に関する。さらに、本発明は、ＤＰ１７８、ＤＰ１７８の一部、ＤＰ１０７、ＤＰ１０７の一部、および／または類似体、ならびに、抗膜融合性化合物もしくは抗ウイルス性化合物またはコイルドコイルペプチド構造の関与する細胞内現象の阻害剤として、ＤＰ１７８／ＤＰ１０７、ＤＰ１７８様ペプチド／ＤＰ１０７様ペプチド、もしくはＨＲ１／ＨＲ２の相互作用の低分子モジュレーターを含む他のモジュレーターに関する。本発明は第１に、ＤＰ１７８（配列番号１）およびＤＰ１７８に相同的な配列のペプチドのそれぞれが、未感染のＣＤ−４＋細胞へのＨＩＶ−１の感染の潜在的な非細胞傷害性阻害剤であることを示す実施例により実証されている。本発明は、ＤＰ１０７およびＤＰ１７８に対して構造的類似性および／またはアミノ酸モチーフ類似性を有するペプチドがウイルス性および非ウイルス性のさまざまな生物において同定される実施例によりさらに実証されており、かつ、複数の異なるウイルス系に由来するこれらの同定された多くのペプチドが抗ウイルス活性を示す実施例において実証されている。本発明はさらにまた、他のＤＰ１７８様およびＤＰ１０７様ペプチドであって、それらが由来する天然のＤＰ１７８またはＤＰ１０７ペプチドが示す親和性より低い親和性でＨＲ１およびＨＲ２に対応するそれらのドメインと相互作用する上記ペプチドが同定される実施例により実証されている。
【０００４】
２．  発明の背景
２．１  膜融合現象
膜融合は、普遍的な細胞の生物学的プロセスである（総説としては、Ｗｈｉｔｅ， Ｊ． Ｍ．，１９９２， Ｓｃｉｅｎｃｅ ２５８：９１７−９２４を参照のこと）。エンドサイトーシス、恒常的分泌、および膜構成成分のリサイクリングなどの細胞のハウスキーピング機能を媒介する融合現象は、全ての真核細胞において継続的に起こっている。
他の融合現象は、特定の細胞内で起こる。例えば、細胞内での融合現象は、ホルモン、酵素および神経伝達物質の制御されたエキソサイトーシスの際に起こる。細胞間でのこのような融合現象は、例えば精子−卵子融合および筋芽細胞融合における顕著な特徴である。
【０００５】
融合現象は又、疾患症状にも関連している。例えば、炎症反応の際の巨細胞の形成、エンベロープを有する全てのウイルスの細胞への侵入に融合現象が関連しており、およびヒト免疫不全症ウイルス（ＨＩＶ）の場合は、例えば、細胞死をもたらすウイルス誘導性の細胞−細胞間融合に関与している。
【０００６】
２．２ ヒト免疫不全症ウイルス
ヒト免疫不全症ウイルス（ＨＩＶ）は、後天性免疫不全症候群（ＡＩＤＳ）と呼ばれる遅延性免疫系変性疾患の原発病因として注目された（Ｂａｒｒｅ−Ｓｉｎｏｕｓｓｉ、Ｆ．ら、１９８３， Ｓｃｉｅｎｃｅ ２２０：８６８−８７０； Ｇａｌｌｏ， Ｒ． ら、１９８４， Ｓｃｉｅｎｃｅ ２２４：５００−５０３）。ＨＩＶには、ＨＩＶ−１（Ｂａｒｒｅ−Ｓｉｎｏｕｓｓｉ、Ｆ．ら、１９８３， Ｓｃｉｅｎｃｅ ２２０： ８６８−８７０； Ｇａｌｌｏ， Ｒ． ら、１９８４， Ｓｃｉｅｎｃｅ ２２４： ５００−５０３）およびＨＩＶ−２（Ｃｌａｖｅｌ， Ｆ． ら、１９８６， Ｓｃｉｅｎｃｅ ２３３：３４３−３４６，． Ｇｕｙａｄｅｒ， Ｍ． ら、１９８７， Ｎａｔｕｒｅ ３２６： ６６２−６６９）の少なくとも２種の異なる型がある。さらに、これらの型のそれぞれの集団内には、多くの遺伝子の異種性が存在する。ヒトＣＤ−４＋Ｔリンパ球へのＨＩＶウイルスの感染は、該細胞型の欠乏をもたらし、これにより実質的には、日和見感染、神経機能の低下、新生物の成長、そして最終的には死へと導かれる。
【０００７】
ＨＩＶは、レトロウイルスのレンチウイルスファミリーのメンバーである（Ｔｅｉｃｈ， Ｎ． ら、 １９８４， ＲＮＡ Ｔｕｍｏｒ Ｖｉｒｕｓｅｓ， Ｗｅｉｓｓ， Ｒ． ら編、ＣＳＨ−Ｐｒｅｓｓ， ｐｐ． ９４９−９５６）。レトロウイルスは、二倍体一本鎖ＲＮＡゲノムを含む、エンベロープを有する小型のウイルスであり、ウイルスがコードする逆転写酵素のＲＮＡ依存性ＤＮＡポリメラーゼにより生成されるＤＮＡ中間体を介して複製される（Ｖａｒｍｕｓ， Ｘ．， １９８８， Ｓｃｉｅｎｃｅ ２４０： １４２７−１４３９）。他のレトロウイルスには、例えば、ヒトＴ細胞白血病ウイルス（ＨＴＬＶ−Ｉ、−ＩＩ、−ＩＩＩ）およびイヌ白血病ウイルスなどの発癌ウイルスが含まれる。
【０００８】
ＨＩＶウイルス粒子は、キャプシドタンパク質から成るウイルスコアで構成されており、該コアはウイルスＲＮＡゲノムおよび複製の初期の現象に必要な酵素を含有する。ミリスチル化されたＧａｇタンパク質は、ウイルスコアを囲むウイルス外殻を形成し、該外殻はさらに、感染した細胞の膜に由来する脂質膜エンベロープに囲まれている。ＨＩＶのエンベロープの表面の糖タンパク質は単一の１６０Ｋｄの前駆体タンパク質として合成され、ウイルスの発芽の際に細胞性プロテアーゼにより２つの糖タンパク質、ｇｐ４１およびｇｐ１２０に切断される。ｇｐ４１は膜貫通タンパク質であり、ｇｐ１２０は細胞外タンパク質であり、おそらく三量体または多量体となって非共有結合によりｇｐ４１への会合を維持している（Ｈａｍｍａｒｓｋｊｏｌｄ， Ｍ．およびＲｅｋｏｓｈ， Ｄ．， １９Ｂ９， Ｂｉｏｃｈｅｍ． Ｂｉｏｐｈｙｓ． Ａｃｔａ ９８９： ２６９−２８０）。
【０００９】
ＨＩＶは、ＣＤ−４＋細胞を標的とし、ＣＤ−４細胞表面タンパク質は、ＨＩＶ−１ウイルスの細胞性受容体として機能する（Ｄａｌｇｌｅｉｓｈ， Ａ． ら、１９８４， Ｎａｔｕｒｅ ３１２： ７６３−７６７； Ｋｌａｔｚｍａｎｎ ら、 １９８４， Ｎａｔｕｒｅ ３１２： ７６７−７６８； Ｍａｄｄｅｎ ら、１９８６， Ｃｅｌｌ ４７： ３３３−３４８）。細胞へのウイルスの侵入は、細胞のＣＤ−４＋受容体分子へのｇｐ１２０の結合に依存している（ＭｃＤｏｕｇａｌ， Ｊ．Ｓ．ら、１９８６， Ｓｃｉｅｎｃｅ ２３１： ３８２−３８５； Ｍａｄｄｏｎ， Ｐ．Ｊ．ら、１９８６． Ｃｅｌｌ ４７： ３３３−３４８）。これにより、ＨＩＶのＣＤ−４＋細胞への指向性が説明される。一方、ｇｐ４１はウイルス膜中のエンベロープ糖タンパク質複合体に連結する。
【００１０】
２．３ ＨＩＶの治療
ＨＩＶ感染は汎流行性であり、ＨＩＶ関連疾患は、世界的な保健上の主要な問題となっている。効果的な治療薬の設計に成功するために多くの労力がつぎ込まれているが、ＡＩＤＳに対する治療用の抗レトロウイルス薬は現在のところ存在しない。このような薬剤を開発するために、ＨＩＶの生活環のいくつかの段階が治療処置の標的として考えられてきている（Ｍｉｔｓｕｙａ， Ｘ．ら、 １９９１，ＦＡＳＥＢ Ｊ． ｉ：２３６９−２３８１）。例えば、ウイルスがコードする逆転写酵素は、薬剤開発の標的の一つとされてきた。逆転写酵素を標的とする多くの薬剤（ＡＺＴ、ｄｄＩ、ｄｄＣおよびｄ４Ｔなどの２’，３’−ジデオキシヌクレオシド類似体を含む）が開発され、これらは、ＨＩＶに対して活性があることが示されている（Ｍｉｔｓｕｙａ， Ｈ．ら、 １９９１， Ｓｃｉｅｎｃｅ ２４９： １５３３−１５４４）。これらのヌクレオシド類似体は有用であるが、おそらく薬物耐性のＨＩＶ突然変異体が迅速に出現するであろうことから、治療に有用ではない（Ｌａｎｄｅｒ， Ｂ．ら、１９８９， Ｓｃｉｅｎｃｅ ２４３： １７３１−１７３４）。さらに、係る薬物はしばしば骨髄抑制、嘔吐および肝機能異常などの毒性のある副作用を示す。
【００１１】
ＨＩＶ感染の最初の段階であるウイルスの細胞への侵入を阻害し得る薬剤を開発するための試みもまた行われている。この場合、ＨＩＶの細胞表面受容体であるＣＤ４が以前から標的とされてきた。例えば、組換え型可溶性ＣＤ４は、複数のＨＩＶ−１株によりＣＤ−４＋Ｔ細胞の感染を阻害することが示されている（Ｓｍｉｔｈ， Ｄ．Ｈ．ら、１９８７， Ｓｃｉｅｎｃｅ ２３８：１７０４−１７０７）。しかし、特定の初代ＨＩＶ−１単離株は、組換え型ＣＤ−４による阻害に対して相対的に感受性が乏しい（Ｄａａｒ， Ｅ．ら、１９９０， Ｐｒｏｃ． Ｎａｔｌ． Ａｃａｄ． Ｓｃｉ． ＵＳＡ ８７： ６５７４−６５７９）。さらに、組換え型可溶性ＣＤ−４の臨床試験では、決定的な結果が得られなかった（Ｓｃｈｏｏｌｅｙ， Ｒ．ら、１９９０， Ａｎｎ． Ｉｎｔ． Ｍｅｄ． １１２： ２４７−２５３； Ｋａｈｎ， Ｊ．０．ら、１９９０， Ａｎｎ． Ｉｎｔ． Ｍｅｄ． １１２： ２５４−２６１； Ｙａｒｃｈｏａｎ， Ｒ．ら、１９８９， Ｐｒｏｃ． Ｖｔｈ ｌｎｔ． Ｃｏｎｆ． ｏｎ ＡＩＤＳ， ｐ． ５６４， ＭＣＰ １３７）。
【００１２】
ＨＩＶ複製の後期段階は、特定のウイルスタンパク質の重要なウイルス特異的な２次的プロセシングを含み、これは可能性のある抗ＨＩＶ薬の標的とも考えられてきた。後期段階でのプロセシングは、ウイルスプロテアーゼの活性に依存しており、このプロテアーゼを阻害する薬剤が開発されてきている（Ｅｒｉｃｋｓｏｎ， Ｊ．， １９９０， Ｓｃｉｅｎｃｅ ２４９： ５２７−５３３）。これらの候補薬物の臨床的成果は、未だ疑問である。
【００１３】
ＨＩＶ感染の治療に対するワクチンの開発も注目されている。ＨＩＶ−１エンベロープタンパク質（ｇｐ１６０、ｇｐ１２０、ｇｐ４１）が、ＡＩＤＳ患者体内に存在する抗ＨＩＶ抗体に対する主要な抗原であることが示されてきた（Ｂａｒｉｎ， ら、１９８５， Ｓｃｉｅｎｃｅ ２２８： １０９４−１０９６）。従って、これらのタンパク質は抗ＨＩＶワクチンの開発における抗原として作用するための最も可能性の高い候補物質であると考えられる。この目的のために、複数のグループが、ｇｐ１６０、ｇｐ１２０、および／またはｇｐ４１の種々の部分を宿主の免疫系に対する免疫原の標的として利用し始めている。例えば、Ｉｖａｎｏｆｆ， Ｌ．ら、米国特許第５，１４１，８６７号； Ｓａｉｔｈ， Ｇ．ら、ＷＯ ９２／２２，６５４； Ｓｈａｆｆｅｒｍａｎ，Ａ．，ＷＯ ９１／０９，８７２； Ｆｏｒｍｏｓｏ， Ｃ．ら、ＷＯ ９０／０７，１１９などを参照のこと。しかし、これらの候補ワクチンに関する臨床結果を得るには時間がかかる。
【００１４】
従って、膨大な労力が、抗レトロウイルス薬の設計および試験に向けられているが、しかし、いまだ本当に効果的で毒性のない治療の必要性がある。
【００１５】
３． 発明の概要
本発明は第１に、ＨＩＶ−１の単離ＬＡＩ（ＨＩＶ−１ＬＡＩ）に由来する膜貫通タンパク質（ＴＭ）であるｇｐ４１のアミノ酸６３８〜６７３に対応し、潜在的抗ＨＩＶ−１活性を示す、３６アミノ酸からなる合成ペプチドＤＰ１７８（配列番号１）（本明細書中ではＴ２０とも称する）に関する。ＤＰ１７８が由来するｇｐ４１領域は、本明細書中では、ＨＲ２と称する。
【００１６】
本発明はさらに、上記の抗ウイルス活性をも示し、および／または抗膜融合能もしくはコイルドコイルペプチド構造の関与する細胞内プロセスをモジュレートする能力を示すＤＰ１７８の一部および類似体に関する。「ＤＰ１７８類似体」という語は、ＨＩＶ−１ＬＡＩのｇｐ４１タンパク質内に存在するＤＰ１７８ペプチドの配列に相当するアミノ酸配列を含有するが、ＨＩＶ−１ＬＡＩの以外のウイルスおよび／または生物に見出されるペプチドを指す。したがって、係るＤＰ１７８類似体ペプチドは、例えば、ＨＩＶ−１ＬＡＩ以外のレトロウイルスなどのエンベロープを有するウイルス、ならびにエンベロープを持たないウイルスなどの他のウイルスに存在するＤＰ１７８様アミノ酸配列に相当しうる。さらに、このようなＤＰ１７８類似体ペプチドは、非ウイルス性生物に存在するＤＰ１７８様アミノ酸配列にも相当しうる。
【００１７】
本発明はさらに、ＨＩＶ−１ＬＡＩ膜貫通タンパク質（ＴＭ）であるｇｐ４１のアミノ酸５５８〜５９５に相当するペプチド（本明細書中ではＴ２１とも呼ばれる）に関する。ｇｐ４１におけるＤＰ１０７の由来となる領域は、本明細書中ではＨＲ１と称する。本発明はまた、抗ウイルス活性をも示し、および／または抗膜融合能もしくはコイルドコイルペプチド構造の関与する細胞内プロセスをモジュレートする能力を示すＤＰ１０７の一部および類似体に関する。本明細書中で用いる「ＤＰ１０７類似体」という語は、ＨＩＶ−１ＬＡＩのｇｐ４１タンパク質内に存在するＤＰ１０７ペプチドの配列に相当するアミノ酸配列を含有するが、ＨＩＶ−１ＬＡＩ以外のウイルスおよび生物に見出されるペプチドを指す。したがって、係るＤＰ１０７類似体ペプチドは、例えば、ＨＩＶ−１ＬＡＩ以外のレトロウイルスなどのエンベロープを有するウイルス、ならびにエンベロープを持たないウイルスなどの他のウイルスに存在するＤＰ１０７様アミノ酸配列に相当し得る。さらに、このようなＤＰ１０７類似体ペプチドは、非ウイルス性生物に存在するＤＰ１０７様アミノ酸配列にも相当し得る。
【００１８】
さらに、本発明のペプチドは、本明細書に記載の１０７ｘ１７８ｘ４、ＡＬＬＭＯＴＩ５および／またはＰＬＺＩＰ検索モチーフにより識別または同定されるアミノ酸配列を有するＤＰ１０７類似体ペプチドおよびＤＰ１７８類似体ペプチドを含む。
【００１９】
本発明のペプチドは、例えば、抗膜融合活性、抗ウイルス活性、および／またはコイルドコイルペプチド構造の関与する細胞内プロセスをモジュレートする能力を示し得る。本発明のペプチドの抗ウイルス活性に関していうと、係る抗ウイルス活性には、未感染のＣＤ−４＋細胞へのＨＩＶ感染の阻害が含まれるが、これに限定はされない。さらに、本発明のペプチドの抗膜融合能、抗ウイルス活性または細胞内モジュレーション活性には、本発明のペプチドが存在することだけが必要であり、特に、これらのペプチドに対して誘起される宿主免疫応答刺激は必要ではない。
【００２０】
本発明のペプチドは、例えば、ヒトおよび非ヒトレトロウイルス、特にＨＩＶの未感染性の細胞への感染の阻害などの膜融合が関連する現象の阻害剤などとして使用することができる。さらに、本発明のペプチドをコイルドコイルペプチド構造の関与する細胞内現象のモジュレーターとして使用しうるということも考慮される。
【００２１】
あるいはまた、本発明のペプチドは、抗膜融合性、抗ウイルス性、または細胞内モジュレーション活性をそれ自体が示す低分子化合物を含む化合物の同定に使用することができる。例えば、１つの実施形態では、本発明のペプチドは、ＤＰ１７８様および／またはＤＰ１０７様ペプチドであって、それらが由来する「起源」または「天然」のＤＰ１７８またはＤＰ１０７ペプチドが示す親和性より低い親和性で互いにおよび／またはそれらに相補的なＨＲ１領域もしくはＨＲ２領域と相互作用する上記ペプチドの同定に使用されている。このようなＤＰ１７８様およびＤＰ１０７様ペプチドも本発明の一部であり、これらを、例えば、抗膜融合活性、抗ウイルス活性、または細胞内モジュレーション活性を示す低分子化合物などの化合物の同定に用いることもできる。
【００２２】
さらなる使用には、例えば、生物もしくはウイルス型および／またはサブタイプ特異的診断手段として、本発明のペプチドを使用することが含まれる。
【００２３】
本明細書中に用いられる「抗膜融合性」および「抗膜融合」という語は、物質が有する、ペプチドの非存在下では膜融合レベルに関連する２つ以上の部分の間で起こる膜融合現象のレベルを抑制または低減する能力を指す。係る部分は、例えば、細胞膜またはウイルスエンベロープまたは絨毛などのウイルス構造であり得る。本明細書中に用いられる「抗ウイルス」という語は、化合物が有する、例えば細胞−細胞間融合または遊離のウイルス感染を介する細胞のウイルス感染を阻害する能力を言う。係る感染は、エンベロープを有するウイルスの場合に起こるような膜融合、またはウイルス構造および細胞構造を含む他のいくつかの融合現象（例えば、細菌結合の際のウイルス絨毛と細菌の膜との融合など）を含み得る。
【００２４】
本発明のペプチドがコイルドコイルペプチド構造の関与する細胞内現象をモジュレートする能力を示し得ることも考慮している。本明細書で用いる「モジュレート」という語は、本発明のペプチドの非存在下で対象とする細胞内プロセスのレベルまたは活性に関与するこのようなプロセスに対する刺激または阻害作用を言う。
【００２５】
本発明の実施形態を以下に示しているが、そこで、極めて低濃度のＤＰ１７８（配列番号１）およびかなり低濃度のＤＰ１７８類似体（配列番号３）が、ＨＩＶ−１介在性ＣＤ−４＋細胞−細胞間融合（即ち、シンシチウム形成）および細胞から遊離したウイルスによるＣＤ−４＋細胞への感染の潜在的阻害剤であることが示されている。さらに、ＤＰ−１７８（配列番号１）が阻害を示す濃度より１０００倍高い濃度でさえ、ＤＰ１７８（配列番号１）は細胞に対する毒性を示さない。
【００２６】
ＨＩＶ ｇｐ４１タンパク質のＤＰ１０７ドメインとＤＰ１７８ドメインが互いに非共有結合による複合体を形成し、その相互作用がウイルスの通常の感染に必要であるという発見に、本発明は一部基づいている。この発見は、下記第８節に示す実施例に記載されている。したがって、本発明はさらに、ＤＰ１０７とＤＰ１７８、および／またはＤＰ１０７様ペプチドとＤＰ１７８様ペプチドとの間の相互作用を破壊する抗膜融合性化合物（抗ウイルス性化合物を含む）を同定するための方法に関する。
【００２７】
さらに、本発明の実施形態（特に、下記の第９〜１６節および第１９〜２５節に示す実施例）を後述するが、そこでは、ＤＰ１０７およびＤＰ１７８に対して構造的類似性および／またはアミノ酸モチーフ類似性を有する、ウイルス性および非ウイルス性のさまざまな起源に由来するペプチドの同定、ならびにこれらの同定に対する検索モチーフが記載されている。さらに、本発明の多くのペプチドは実質的な抗ウイルス活性または抗ウイルス活性が推測される活性を示す実施例（第１７、１８、２５〜２９節）が示されている。
【００２８】
３．１．  定義
本明細書中では、ペプチドは、ペプチド結合により共有結合により結合している２つ以上のアミノ酸を含む有機化合物と定義する。ペプチドは、構成的アミノ酸の数を用いて称することができ、即ち、ジペプチドは２つのアミノ酸残基を含んでおり、トリペプチドは３つのアミノ酸残基を含むということである。１０個以下のアミノ酸を含む
ペプチドは、オリゴペプチドと呼ぶことができ、１０個以上のアミノ酸残基を含むペプチドはポリペプチドである。このようなペプチドは、本明細書中に記載のように、任意のさらなるアミノ基およびカルボキシ基を含み得る。本明細書中に定義するペプチドは、下記のようにアミノ酸残基の１文字表記により示される。
Ａ  （アラニン）
Ｒ  （アルギニン）
Ｎ  （アスパラギン）
Ｄ  （アスパラギン酸）
Ｃ  （システイン）
Ｑ  （グルタミン）
Ｅ  （グルタミン酸）
Ｇ  （グリシン）
Ｈ  （ヒスチジン）
Ｉ  （イソロイシン）
Ｌ  （ロイシン）
Ｋ  （リジン）
Ｍ  （メチオニン）
Ｆ  （フェニルアラニン）
Ｐ  （プロリン）
Ｓ  （セリン）
Ｔ  （スレオニン）
Ｗ  （トリプトファン）
Ｙ  （チロシン）
Ｖ  （バリン）
【００２９】
４．  図面の簡単な説明
図面の簡単な説明については後述する。
【００３０】
５． 発明の詳細な説明
本明細書に記載されているのは、抗膜融合（ａｎｔｉｆｕｓｏｇｅｎｉｃ）活性、抗ウイルス能、および／またはコイルドコイルペプチド構造の関与する細胞内プロセスをモジュレートする能力を呈しうるペプチドである。記載のペプチドとしては、第１に、ｇｐ４１に由来する３６アミノ酸ペプチドであるＤＰ１７８（配列番号１）ならびにＤＰ１７８の断片および類似体が挙げられる。
さらに、本明細書に記載されている本発明のペプチドとしては、ＤＰ１０７類似体であるペプチドが挙げられる。ＤＰ１０７（配列番号２５）は、ＨＩＶ−１ＬＡＩ膜貫通（ＴＭ）ｇｐ４１タンパク質の残基５５８〜５９５に対応する３８アミノ酸ペプチドである。そのようなＤＰ１０７類似体は、抗膜融合能、抗ウイルス活性またはコイルドコイル構造の関与する細胞内プロセスをモジュレートする能力を呈する可能性がある。
【００３１】
このほか、ＤＰ１０７とＤＰ１７８とを含み、１０７×１７８×４、ＡＬＬＭＯＴＩ５、およびＰＬＺＩＰ検索モチーフにより認識されるアミノ酸配列を有する本発明のペプチドが、本明細書に記載されている。そのようなモチーフについても説明する。
【００３２】
また、本発明のペプチドの抗膜融合的、抗ウイルス的、細胞内調節的、および診断的使用についても本明細書で説明する。さらに、抗膜融合活性、抗ウイルス活性または細胞内調節活性を呈する化合物を同定するための、本発明のペプチドの使用の方法についても説明する。
【００３３】
作用理論をなんら限定するものではないが、以下の実施例に記載した実験に部分的に基づいて、ＤＰ１７８の強力な抗ＨＩＶ活性を説明するために次のモデルを提案する。ＨＩＶタンパク質ｇｐ４１において、ＤＰ１７８は、ｇｐ４１細胞外ドメイン（ｅｃｔｏｄｏｍａｉｎ）のＣ末端に位置する推定α−ヘリックス領域に対応しており、ｇｐ４１上の末端部位に会合すると思われる。その相互作用構造は、ＤＰ１０７と呼ばれるコイルドコイル構造のロイシンジッパーモチーフによる影響を受ける。これら２つのドメインの会合は、融合プロセスに密接に関与する分子結合または「分子クラスプ（ｍｏｌｅｃｕｌａｒ ｃｌａｓｐ）」を反映している可能性がある。ｇｐ４１のＣ末端α−ヘリックスモチーフ（すなわち、ＤＰ１７８ドメイン）の突然変異が、ｇｐ４１の融合能を増強する傾向があるのに対して、ロイシンジッパー領域（すなわち、ＤＰ１０７ドメイン）の突然変異が、該ウイルスタンパク質の融合能を低減または排除するということは興味深いことである。おそらく、ロイシンジッパーモチーフは、膜融合に関与しており、一方、Ｃ末端α−ヘリックスモチーフは、ウイルスにより誘起される膜融合の際にロイシンジッパーの利用能を調節する分子安全装置として機能していると思われる。
【００３４】
以上の記載内容に基づいて、図１１Ａ〜Ｂに概略図で示されているｇｐ４１媒介膜融合の２つのモデルを提案する。２つのモデルを提案するのは、ＤＰ１０７およびＤＰ１７８により規定される領域間の相互作用の時間的特性をまだ正確に示すことができないためである。各モデルは、ｇｐ４１に対して２つの立体構造を想定している。すなわち、一方は、休止のウイルス粒子上に見いだしうる「天然」状態である。他方は、ＣＤ４へのｇｐ１２０の結合の後かつ標的細胞膜との融合の直前に引き起こされる立体構造変化を反映した「膜融合」状態である。ｇｐ１２０とＣＤ４との強い結合親和性が実際に融合プロセスの引き金となって、細胞内小胞の内部で融合するウイルスの場合に起こるようなｐＨ変化が不必要になっている可能性がある。両方のモデルの２つの主な特徴は、（１）オリゴマーエンベロープの各鎖中のロイシンジッパー配列（ＤＰ１０７）が天然状態では離れて保持され、膜融合状態でのみ互いに接近してきわめて安定なコイルドコイルを形成することができること、ならびに（２）ＤＰ１７８部位およびＤＰ１０７部位がｇｐ４１中に存在するとき、それらの会合が天然状態または膜融合状態のいずれかの状態で起こることである。図１１Ａは、天然状態における分子クラスプとしてのＤＰ１７８／ＤＰ１０７相互作用を示している。一方、エンベロープの最も安定な形態が膜融合状態で起こると仮定するならば、図１１Ｂのモデルを考えることができる。
【００３５】
ペプチドとして合成した場合、ＤＰ１０７およびＤＰ１７８はいずれも、おそらくウイルスｇｐ４１と複合体を形成してその膜融合プロセスを妨害する能力があるため、ＨＩＶ感染および融合に対する強力な阻害剤になる。たとえば、天然構造から膜融合状態へのウイルスタンパク質の構造転移時に、ＤＰ１７８ペプチドおよびＤＰ１０７ペプチドはウイルスｇｐ４１のそれぞれの結合部位に接近する機会を得て破壊的影響を及ぼす可能性がある。抗ＨＩＶ活性を示すＤＰ１０７ペプチドについては、１９９４年６月２３日に出願された本出願人の同時係属出願第０８／２６４，５３１号に記載されている。その出願全体を参照により本明細書に組み入れるものとする。
【００３６】
以下の実施例に示されているように、ＤＰ１０７ドメインおよびＤＰ１７８ドメインの両方を含むｇｐ４１の細胞外ドメインに対応する末端切断型組換えｇｐ４１タンパク質（ｇｐ４１の融合ペプチド、膜貫通領域および細胞質ドメインは除く）は、ＨＩＶ−１により誘起される融合を阻害しなかった。しかしながら、ＤＰ１０７ドメインのコイルドコイル構造を破壊するように１つの突然変異を導入したところ、すなわち、ＤＰ１０７ペプチドの生物学的活性を完全に損なう突然変異を導入したところ、その不活性組換えタンパク質は、ＨＩＶ−１により誘起される融合に対する活性阻害剤に変化した。この変化は、効力のあるＤＰ１７８ドメインがロイシンジッパーＤＰ１０７ドメインとの分子クラスプから解放された結果として生じた可能性がある。
【００３７】
考察を簡潔にするために、主にＨＩＶのＤＰ１７８ペプチド阻害剤を対象として本発明を説明する。しかしながら、これらの原理は、エンベロープウイルスおよび非エンベロープウイルスのいずれの他のウイルスにも、さらには他の非ウイルス生物にも同様に適用可能であろう。
【００３８】
５．１． ＤＰ１７８ペプチドおよびＤＰ１７８様ペプチド
本発明のＤＰ１７８ペプチド（配列番号１）は、ＨＩＶ−１ＬＡＩ分離体に由来する膜貫通タンパク質ｇｐ４１のアミノ酸残基６３８〜６７３に対応し、以下の３６アミノ酸配列を有する（アミノ末端からカルボキシ末端の方向に読み取る）：
2004527725.tif 000002
【００３９】
全長ＤＰ１７８（配列番号１）の３６−ｍｅｒのほかに、本発明のペプチドとしては、抗膜融合活性、抗ウイルス活性および／またはコイルドコイルペプチド構造の関与する細胞内プロセスをモジュレートする能力を呈するＤＰ１７８（配列番号１）ペプチドの末端切断体が挙げられる。ＤＰ１７８（配列番号１）ペプチドの末端切断体は、下記の表ＩおよびＩＡに示されているように、３〜３６アミノ酸残基のペプチド（すなわち、トリペプチドから３６−ｍｅｒポリペプチドまでのサイズのペプチド）を含みうる。これらの表のペプチド配列は、アミノ（左側）末端からカルボキシ（右側）末端の方向に記載されている。「Ｘ」はアミノ基（−ＮＨ２）であってよく、「Ｚ」はカルボキシル（−ＣＯＯＨ）基であってよい。このほか、「Ｘ」は、限定されるものではないがカルボベンジル基、ダンシル基、もしくはＴ−ブトキシカルボニル基などの疎水性基；アセチル基；９−フルオレニルメトキシ−カルボニル（ＦＭＯＣ）基；または限定されるものではないが脂質−脂肪酸コンジュゲート基、ポリエチレングリコール基、炭水化物基もしくはペプチド基などの共有結合された巨大分子基であってもよい。さらに、「Ｚ」は、アミド基；Ｔ−ブトキシカルボニル基；または限定されるものではないが脂質−脂肪酸コンジュゲート基、ポリエチレングリコール基、炭水化物基もしくはペプチド基などの共有結合された巨大分子基であってもよい。好ましい「Ｘ」または「Ｚ」の巨大分子基はペプチド基である。
【００４０】
表Ｉ
ＤＰ１７８（配列番号１）カルボキシ末端切断体
2004527725.tif 000003
【００４１】
表ＩＡ
ＤＰ１７８（配列番号１）アミノ末端切断体
2004527725.tif 000004
【００４２】
このほかに、本発明のペプチドとしては、ＤＰ１７８様ペプチドが挙げられる。「ＤＰ１７８様」とは、本明細書で使用する場合、第１に、１つ以上のアミノ酸の置換、挿入および／または欠失を含むＤＰ１７８およびＤＰ１７８末端切断体を意味する。第２に、「ＤＰ１７８様」とは、本明細書に記載のＡＬＬＭＯＴＩ５、１０７×１７８×４およびＰＬＺＩＰ検索モチーフにより同定または認識され、かつＤＰ１７８との構造類似性および／またはアミノ酸モチーフ類似性を有するペプチド配列を意味する。本発明のＤＰ１７８様ペプチドは、抗膜融合活性または抗ウイルス活性を呈する可能性があるか、あるいはコイルドコイルペプチドの関与する細胞内プロセスをモジュレートする能力を呈する可能性がある。さらに、そのようなＤＰ１７８様ペプチドは、たとえば、増大した生物学的利用能、および／または安定性、あるいは低減した宿主免疫認識など、さらなる有利な特徴を有している可能性がある。
【００４３】
ＨＩＶ−１エンベロープタンパク質とＨＩＶ−２エンベロープタンパク質は構造的に異なっているが、ＨＩＶ−１およびＨＩＶ−２のＤＰ１７８対応領域内には顕著なアミノ酸保存が存在する。このアミノ酸保存は周期的性質を帯びているため、構造および／または機能はいくらか保存されることが示唆される。したがって、アミノ酸置換の可能な１クラスとしては、本発明のＤＰ１７８ペプチドの構造を安定化させると予測されるアミノ酸変化が挙げられるであろう。本明細書に記載のＤＰ１７８配列およびＤＰ１７８類似体配列を利用することにより、当業者は、ＤＰ１７８コンセンサス配列を直ちに列挙して、その中から好ましいアミノ酸置換であると予想される保存アミノ酸残基を確定することができる。
【００４４】
アミノ酸置換は、保存的であっても非保存的であってもよい。保存的アミノ酸置換は、ＤＰ１７８（配列番号１）ペプチド配列中の１個以上のアミノ酸を、類似した電荷、サイズ、および／または疎水的特性のアミノ酸で置換することからなり、たとえば、グルタミン酸（Ｅ）からアスパラギン酸（Ｄ）へのアミノ酸置換が挙げられる。非保存的置換は、ＤＰ１７８（配列番号１）ペプチド配列中の１個以上のアミノ酸を、異なる電荷、サイズ、および／または疎水的特性を有するアミノ酸で置換することからなり、たとえば、グルタミン酸（Ｅ）からバリン（Ｖ）への置換が挙げられる。
【００４５】
アミノ酸挿入体は、単一のアミノ酸残基からなるものであってもよいし一続きの残基からなるものであってもよい。挿入は、ＤＰ１７８ペプチドまたはＤＰ１７８末端切断型ペプチドの内部位置だけでなく、該ペプチドのカルボキシ末端またはアミノ末端で行ってもよい。そのような挿入体の長さは、一般的には、２〜１５アミノ酸の範囲であろう。対象ペプチドのカルボキシ末端またはアミノ末端のいずれかで行われる挿入では、より広いサイズ範囲であってもよいと考えられ、この場合には、約２〜約５０アミノ酸が好ましい。そのような挿入の結果、本明細書に記載の１０７×１７８×４、ＡＬＬＭＯＴＩ５もしくはＰＬＺＩＰ検索モチーフにより依然として認識されうるかあるいはその代わりに抗膜融合活性もしくは抗ウイルス活性を呈しうるかまたはコイルドコイルペプチド構造の関与する細胞内プロセスをモジュレートする能力を呈しうるペプチドを生じる限り、１つ以上のそのような挿入体をＤＰ１７８（配列番号１）またはＤＰ１７８末端切断体に導入することができる。
【００４６】
好ましいアミノ末端挿入体またはカルボキシ末端挿入体は、それぞれ、実際のＤＰ１７８ ｇｐ４１アミノ酸配列のアミノ末端側またはカルボキシ末端側のｇｐ４１タンパク質領域に対応する約２〜約５０アミノ酸残基の長さのペプチドである。したがって、好ましいアミノ末端アミノ酸挿入体またはカルボキシ末端アミノ酸挿入体には、ｇｐ４１タンパク質のＤＰ１７８領域のアミノ末端側またはカルボキシ末端側に接して存在するｇｐ４１アミノ酸配列が含まれるであろう。
【００４７】
ＤＰ１７８（配列番号１）またはＤＰ１７８末端切断体の欠失もまた、本発明の範囲に含まれる。そのような欠失は、ＤＰ１７８ペプチド配列またはＤＰ１７８様ペプチド配列から１個以上のアミノ酸を除去することからなり、こうして得られるペプチド配列の長さの下限は４〜６アミノ酸である。そのような欠失には、該ペプチド配列の単一の連続部分または２つ以上の不連続部分が含まれていてもよい。そのような欠失の結果、本明細書に記載の１０７×１７８×４、ＡＬＬＭＯＴＩ５またはＰＬＺＩＰ検索モチーフにより依然として認識されうるかあるいはその代わりに抗膜融合活性もしくは抗ウイルス活性を呈しうるかまたはコイルドコイルペプチド構造の関与する細胞内プロセスをモジュレートする能力を呈しうるペプチドを生じる限り、ＤＰ１７８（配列番号１）またはＤＰ１７８末端切断体に１つ以上の欠失を導入することができる。
【００４８】
ＤＰ１７８類似体については以下の第５．３節でさらに説明する。
【００４９】
５．２． ＤＰ１０７ペプチドおよびＤＰ１０７様ペプチド
さらに、本発明のペプチドとしては、ＤＰ１０７類似体に対応するアミノ酸配列を有するペプチドが挙げられる。ＤＰ１０７は、強力な抗ウイルス活性を呈し、ここに示されているように、ＨＩＶ−１ＬＡＩ膜貫通（ＴＭ）ｇｐ４１タンパク質の残基５５８〜５９５に対応する３８アミノ酸ペプチドである：
2004527725.tif 000005
【００５０】
全長ＤＰ１０７（配列番号２５）の３８−ｍｅｒのほかに、本発明のペプチドとしては、抗膜融合活性、抗ウイルス活性および／またはコイルドコイルペプチド構造の関与する細胞内プロセスをモジュレートする能力を呈するＤＰ１０７（配列番号２５）ペプチド末端切断体が挙げられうる。ＤＰ１０７（配列番号２５）ペプチドの末端切断体は、下記の表ＩＩおよびＩＩＡに示されているように、３〜３８アミノ酸残基のペプチド（すなわち、トリペプチドから３８−ｍｅｒポリペプチドまでのサイズのペプチド）を含みうる。これらの表のペプチド配列は、アミノ（左側）末端からカルボキシ（右側）末端の方向に記載されている。「Ｘ」はアミノ基（−ＮＨ２）であってよく、「Ｚ」はカルボキシル（−ＣＯＯＨ）基であってよい。このほか、「Ｘ」は、限定されるものではないがカルボベンジル基、ダンシル基、もしくはＴ−ブトキシカルボニル基などの疎水基；アセチル基；９−フルオレニルメトキシ−カルボニル（ＦＭＯＣ）基；または限定されるものではないが脂質−脂肪酸コンジュゲート基、ポリエチレングリコール基、炭水化物基もしくはペプチド基などの共有結合された巨大分子基であってもよい。さらに、「Ｚ」は、アミド基；Ｔ−ブトキシカルボニル基；または限定されるものではないが脂質−脂肪酸コンジュゲート基、ポリエチレングリコール基、炭水化物基もしくはペプチド基などの共有結合された巨大分子基であってもよい。好ましい「Ｘ」または「Ｚ」の巨大分子基はペプチド基である。
【００５１】
表ＩＩ
ＤＰ１０７（配列番号２５）カルボキシ末端切断体
2004527725.tif 000006
【００５２】
表ＩＩＡ
ＤＰ１０７（配列番号２５）アミノ末端切断体
2004527725.tif 000007
【００５３】
このほかに、本発明のペプチドとしては、ＤＰ１０７様ペプチドが挙げられる。「ＤＰ１０７様」とは、本明細書で使用する場合、第１に、１つ以上のアミノ酸の置換、挿入および／または欠失を含むＤＰ１０７およびＤＰ１０７末端切断体を意味する。第２に、「ＤＰ１０７様」とは、本明細書に記載のＡＬＬＭＯＴＩ５、１０７×１７８×４およびＰＬＺＩＰ検索モチーフにより同定または認識され、かつＤＰ１０７との構造類似性および／またはアミノ酸モチーフ類似性を有するペプチド配列を意味する。本発明のＤＰ１０７様ペプチドは、抗膜融合活性または抗ウイルス活性を呈する可能性があるか、あるいはコイルドコイルペプチドの関与する細胞内プロセスをモジュレートする能力を呈する可能性がある。さらに、そのようなＤＰ１０７様ペプチドは、たとえば、増大した生物学的利用能、および／または安定性、あるいは低減した宿主免疫認識など、さらなる有利な特徴を有している可能性がある。
【００５４】
ＨＩＶ−１エンベロープタンパク質とＨＩＶ−２エンベロープタンパク質は構造的に異なっているが、ＨＩＶ−１およびＨＩＶ−２のＤＰ１０７対応領域内には顕著なアミノ酸保存が存在する。このアミノ酸保存は周期的性質を帯びているため、構造および／または機能はいくらか保存されることが示唆される。したがって、アミノ酸置換の可能な１クラスとしては、本発明のＤＰ１０７ペプチドの構造を安定化させると予測されるアミノ酸変化が挙げられるであろう。本明細書に記載のＤＰ１０７配列およびＤＰ１０７類似体配列を利用することにより、当業者は、ＤＰ１０７コンセンサス配列を直ちに列挙して、その中から好ましいアミノ酸置換であると予想される保存アミノ酸残基を確定することができる。
【００５５】
アミノ酸置換は、保存的であっても非保存的であってもよい。保存的アミノ酸置換は、ＤＰ１０７（配列番号２５）ペプチド配列中の１個以上のアミノ酸を、類似した電荷、サイズ、および／または疎水的特性のアミノ酸で置換することからなり、たとえば、グルタミン酸（Ｅ）からアスパラギン酸（Ｄ）へのアミノ酸置換が挙げられる。非保存的置換は、ＤＰ１０７（配列番号２５）ペプチド配列中の１個以上のアミノ酸を、異なる電荷、サイズ、および／または疎水的特性を有するアミノ酸で置換することからなり、たとえば、グルタミン酸（Ｅ）からバリン（Ｖ）への置換が挙げられる。
【００５６】
アミノ酸挿入体は、単一のアミノ酸残基からなるものであってもよいし一続きの残基からなるものであってもよい。挿入は、ＤＰ１０７ペプチドまたはＤＰ１０７末端切断型ペプチドの内部位置だけでなく、該ペプチドのカルボキシ末端またはアミノ末端で行ってもよい。そのような挿入体の長さは、一般的には、２〜１５アミノ酸の範囲であろう。対象ペプチドのカルボキシ末端またはアミノ末端のいずれかで行われる挿入では、より広いサイズ範囲であってもよいと考えられ、この場合には、約２〜約５０アミノ酸が好ましい。そのような挿入の結果、本明細書に記載の１０７×１７８×４、ＡＬＬＭＯＴＩ５もしくはＰＬＺＩＰ検索モチーフにより依然として認識されうるかあるいはその代わりに抗膜融合活性もしくは抗ウイルス活性を呈しうるかまたはコイルドコイルペプチド構造の関与する細胞内プロセスをモジュレートする能力を呈しうるペプチドを生じる限り、１つ以上のそのような挿入体をＤＰ１０７（配列番号２５）またはＤＰ１０７末端切断体に導入することができる。
【００５７】
好ましいアミノ末端挿入体またはカルボキシ末端挿入体は、それぞれ、実際のＤＰ１０７ ｇｐ４１アミノ酸配列のアミノ末端側またはカルボキシ末端側のｇｐ４１タンパク質領域に対応する約２〜約５０アミノ酸残基の長さのペプチドである。したがって、好ましいアミノ末端アミノ酸挿入体またはカルボキシ末端アミノ酸挿入体には、ｇｐ４１タンパク質のＤＰ１０７領域のアミノ末端側またはカルボキシ末端側に接して存在するｇｐ４１アミノ酸配列が含まれるであろう。
【００５８】
ＤＰ１０７（配列番号２５）またはＤＰ１０７末端切断体の欠失もまた、本発明の範囲に含まれる。そのような欠失は、ＤＰ１０７ペプチド配列またはＤＰ１０７様ペプチド配列から１個以上のアミノ酸を除去することからなり、こうして得られるペプチド配列の長さの下限は４〜６アミノ酸である。そのような欠失には、該ペプチド配列の単一の連続部分または２つ以上の不連続部分が含まれていてもよい。そのような欠失の結果、本明細書に記載の１０７×１７８×４、ＡＬＬＭＯＴＩ５またはＰＬＺＩＰ検索モチーフにより依然として認識されうるかあるいはその代わりに抗膜融合活性もしくは抗ウイルス活性を呈しうるかまたはコイルドコイルペプチド構造の関与する細胞内プロセスをモジュレートする能力を呈しうるペプチドを生じる限り、ＤＰ１０７（配列番号２５）またはＤＰ１０７末端切断体に１つ以上の欠失を導入することができる。
【００５９】
ＤＰ１０７およびＤＰ１０７末端切断体については、１９９５年１月２７日に出願された本出願人による同時係属の米国特許出願第０８／３７４，６６６号にさらに詳しく説明されている。その出願全体を参照により本明細書に組み入れるものとする。ＤＰ１０７類似体については以下の第５．３節でさらに説明する。
【００６０】
５．３． ＤＰ１０７およびＤＰ１７８の類似体
先の第５．１節および第５．２節に記載した本発明のＤＰ１７８、ＤＰ１７８末端切断体、ＤＰ１０７およびＤＰ１０７末端切断体の類似体に対応するペプチドは、たとえば、非ＨＩＶ−１ＬＡＩエンベロープウイルス、他の非エンベロープウイルスなどの他のウイルスおよび他の非ウイルス生物に見いだすことが可能である。
【００６１】
「類似体」という用語は、本明細書で使用する場合、以下に説明する１０７×１７８×４、ＡＬＬＭＯＴＩ５および／またはＰＬＺＩＰ検索ストラテジーによって認識または同定されるペプチドを意味する。さらに、そのようなペプチドは、抗膜融合能、抗ウイルス活性、またはコイルドコイル構造の関与する細胞内プロセスをモジュレートする能力を呈する可能性がある。
【００６２】
そのようなＤＰ１７８類似体およびＤＰ１０７類似体は、たとえば、エンベロープウイルスのＴＭタンパク質中に存在するペプチド配列に対応する可能性があるとともに、非エンベロープ生物および非ウイルス生物に存在するペプチド配列に対応する可能性もある。そのようなペプチドは、抗膜融合活性、抗ウイルス活性、最も特定的にはそれらの天然の配列が見いだされるウイルスに特異的な抗ウイルス活性を呈する可能性があるか、またはコイルドコイルペプチド構造の関与する細胞内プロセスをモジュレートする能力を呈する可能性がある。
【００６３】
ＤＰ１７８類似体は、そのアミノ酸配列が、たとえば、ＤＰ１７８（配列番号１）の由来元となったｇｐ４１ペプチド領域に対応する他の（すなわち、ＨＩＶ−１ＬＡＩ以外の）ウイルスのペプチド領域のアミノ酸配列を含むペプチドである。そのようなウイルスとしては、他のＨＩＶ−１分離株およびＨＩＶ−２分離株が挙げられうるが、これらに限定されるものではない。他の（すなわち、非ＨＩＶ−１ＬＡＩの）ＨＩＶ−１分離株の対応するｇｐ４１ペプチド領域に由来するＤＰ１７８類似体としては、たとえば、以下に示されるペプチド配列が挙げられうる：
2004527725.tif 000008
2004527725.tif 000009
【００６４】
配列番号３（ＤＰ１８５）、配列番号４、および配列番号５は、それぞれ、ＨＩＶ−１ＳＦ２分離株、ＨＩＶ−１ＲＦ分離株、およびＨＩＶ−１ＭＮ分離株に由来する。下線を施したアミノ酸残基は、ＤＰ１７８（配列番号１）ペプチド中の対応する位置のものとは異なる残基を意味する。そのようなＤＰ１７８類似体の１つであるＤＰ−１８５（配列番号３）については、以下の第６節に提示されている実施例で説明する。この実施例では、ＤＰ−１８５（配列番号３）が抗ウイルス活性を呈することが実証される。また、本発明のＤＰ１７８類似体としては、先に記載したような末端切断体が挙げられうる。さらに、本発明の類似体としては、先に第５．１節でＤＰ１７８類似体に対して記載したような改変体が挙げられる。本発明のＤＰ１７８類似体は、そのアミノ酸配列がｇｐ４１タンパク質のＤＰ１７８領域に対応するペプチドであることが好ましいが、本発明のペプチドにはさらに、実際のＤＰ１７８アミノ酸配列のアミノ末端側またはカルボキシ末端側のｇｐ４１タンパク質領域に対応する約２〜約５０アミノ酸残基の長さのアミノ酸配列が含まれていてもよいと考えられる。
【００６５】
図１に示されているように、ＨＩＶ−１分離株とＨＩＶ−２分離株のＤＰ１７８配列に対応する領域内には顕著な類似性が存在する。ＨＩＶ−２ＮＩＨＺ分離株に由来するＤＰ１７８類似体は、以下の３６アミノ酸配列を有する（アミノ末端からカルボキシ末端の方向に読み取る）：
2004527725.tif 000010
【００６６】
表ＩＩＩおよび表ＩＶには、３〜３６アミノ酸残基のペプチド（すなわち、トリペプチドから３６−ｍｅｒポリペプチドまでのサイズのペプチド）を含みうる、ＨＩＶ−２ＮＩＨＺ ＤＰ１７８類似体の可能な末端切断体がいくつか示されている。これらの表のペプチド配列は、アミノ（左側）末端からカルボキシ（右側）末端の方向に記載されている。「Ｘ」はアミノ基（−ＮＨ２）であってよく、「Ｚ」はカルボキシル（−ＣＯＯＨ）基であってよい。このほか、「Ｘ」は、限定されるものではないがカルボベンジル基、ダンシル基、もしくはＴ−ブトキシカルボニル基などの疎水基；アセチル基；９−フルオレニルメトキシ−カルボニル（ＦＭＯＣ）基；または限定されるものではないが脂質−脂肪酸コンジュゲート基、ポリエチレングリコール基、炭水化物基もしくはペプチド基などの共有結合された巨大分子基であってもよい。さらに、「Ｚ」は、アミド基；Ｔ−ブトキシカルボニル基；または限定されるものではないが脂質−脂肪酸コンジュゲート基、ポリエチレングリコール基、炭水化物基もしくはペプチド基などの共有結合された巨大分子基であってもよい。好ましい「Ｘ」または「Ｚ」の巨大分子基はペプチド基である。
【００６７】
表ＩＩＩ
ＨＩＶ−２ＮＩＨＺＤＰ１７８類似体のカルボキシ末端切断体
2004527725.tif 000011
【００６８】
表ＩＶ
ＨＩＶ−２ＮＩＨＺＤＰ１７８類似体のアミノ末端切断体
2004527725.tif 000012
【００６９】
ＤＰ１７８類似体およびＤＰ１０７類似体を認識または同定するには、たとえば、以下の第９〜１６節および第１９〜２５節に提示された実施例に記載および説明されている１０７×１７８×４、ＡＬＬＭＯＴＩ５またはＰＬＺＩＰコンピュータ支援検索ストラテジーの１つ以上を利用する。この検索ストラテジーを用いると、ＤＰ１０７および／またはＤＰ１７８と類似した構造特性および／またはアミノ酸配列特性を有すると予測されるさらなるペプチド領域が同定される。
【００７０】
検索ストラテジーについては、以下の第９節に提示されている実施例で詳しく説明する。この検索ストラテジーは、部分的に、ＤＰ１０７およびＤＰ１７８から推定された一次アミノ酸モチーフに基づくものであるが、一次アミノ酸配列相同性を検索することだけに基づくものではない。なぜなら、そのようなタンパク質配列相同性は、主要なウイルスグループ内には存在するがそれらのグループ間には存在しないからである。たとえば、ＨＩＶ−１のさまざまな株のＴＭタンパク質内またはサル免疫不全症ウイルス（ＳＩＶ）のさまざまな分離株のＴＭタンパク質内では一次アミノ酸配列相同性は高い。しかしながら、ＨＩＶ−１とＳＩＶとの間では一次アミノ酸配列相同性は低いので有用でない。したがって、一次配列相同性だけに基づいて他のウイルス内または非ウイルス生物内でＤＰ１０７またはＤＰ１７８に構造的に類似したペプチド領域を見いだすことも、それ以外の点で類似したペプチド領域を見いだすことも不可能である。
【００７１】
さらに、たとえば、特定のアミノ酸そのものに基づくのではなくさまざまなクラスのアミノ酸の物理的・化学的特性に基づいてアミノ酸の一次配列を同定することが潜在的に有用であるとはいえ、現在までのところ、そのような検索ストラテジーでは不十分であることが証明されている。たとえば、タンパク質内の領域のコイルドコイル特性を同定するためにＬｕｐａｓらによって設計されたコンピュータアルゴリズム（Ｌｕｐａｓ，Ａ．ら， １９９１ Ｓｃｉｅｎｃｅ ２５２：１１６２−１１６４）は、ＤＰ１０７またはＤＰ１７８に類似したタンパク質領域を同定するには不十分である。
【００７２】
特に、Ｌｕｐａｓアルゴリズムを用いたＨＩＶ−１ ｇｐ１６０（ｇｐ１２０とｇｐ４１の両方が含まれる）の解析では、ＤＰ１０７内のコイルドコイル領域は同定されない。しかしながら、ＤＰ１７８の開始点のＮ末端側の８アミノ酸から始まってＣ末端側の８アミノ酸で終わるＤＰ１７８内の領域は同定される。ＤＰ１０７ペプチドは安定なコイルドコイルを形成することが実験的に明らかにされている。したがって、Ｌｕｐａｓ検索アルゴリズムに基づく検索では、ＤＰ１０７のコイルドコイル領域は同定されなかったことになる。逆に、ＤＰ１７８領域がＬｕｐａｓアルゴリズムにより潜在的なコイルドコイルモチーフとして同定された。しかしながら、このＤＰ１７８領域に由来するペプチドは、溶液中でコイルドコイルを形成しなかった。
【００７３】
Ｌｕｐａｓ検索アルゴリズムによりＨＩＶ−１ ＴＭ内のコイルドコイル配列を正確に同定することができないのは、Ｌｕｐａｓアルゴリズムが、本発明の目的である抗ウイルスペプチド（たとえば、ＤＰ１０７およびＤＰ１７８）を含むウイルスのＴＭタンパク質と構造的にも機能的にも類似していないタンパク質のコイルドコイル構造に基づいていることが原因であると説明することが可能である。
【００７４】
以下の第９〜１６節および第１９〜２５節に提示された実施例で実証されているように、本発明のコンピュータ検索ストラテジーを用いるとＤＰ１０７またはＤＰ１７８に類似したタンパク質領域がうまく同定される。この検索ストラテジーは、市販の配列データベースパッケージ、好ましくはＰＣ／Ｇｅｎｅで使用するように設計されたものである。
【００７５】
一連の検索モチーフ、すなわち、１０７×１７８×４、ＡＬＬＭＯＴＩ５およびＰＬＺＩＰモチーフは、本節および第９節に記載されているように、厳格なストリンジェンシーから緩慢なストリンジェンシーまでをカバーするように設計および工学処理されたものである。１０７×１７８×４が好ましい。そのような検索モチーフによって同定される配列、たとえば、以下の表Ｖ〜ＸＩＶに列挙されている配列は、抗ウイルス活性のような抗膜融合活性を呈する可能性があるうえに、抗ウイルス化合物のような抗膜融合化合物の同定に有用である可能性があり、これらは本発明の範囲内に含まれるとみなされる。
【００７６】
コイルドコイル配列は７残基アミノ酸反復（ｈｅｐｔａｄ ａｍｉｎｏ ａｃｉｄ ｒｅｐｅａｔｓ）からなると考えられる。記述を容易にするために、７残基反復内のアミノ酸の位置をＡ〜Ｇで表す。すなわち、第１の位置はＡ、第２の位置はＢなどである。本発明でＤＰ１０７様配列およびＤＰ１７８様配列を同定するために使用されるモチーフは、特に、そのような７残基反復を検索および同定すべく設計されている。以下に記載されている各モチーフの記述において、角括弧（ｂｒａｃｋｅｔ）、すなわち［］で囲まれたアミノ酸は、所定の位置で許容されるアミノ酸残基のみを表わし、波括弧（ｂｒａｃｅ）、すなわち｛｝で囲まれたアミノ酸は、所定の７残基（ｈｅｐｔａｄ）位置で許容されないアミノ酸のみを示す。角括弧または波括弧で囲まれた１組のアミノ酸の後に丸括弧（ｐａｒｅｎｔｈｅｓｅ）、すなわち（）中の数値が続く場合、その数値は、記述された該１組のアミノ酸が占める後続のアミノ酸位置の数を意味する。たとえば、（２）は、「続く２つの７残基アミノ酸位置」を意味する。
【００７７】
ＡＬＬＭＯＴＩ５は次のように書かれる：
2004527725.tif 000013
【００７８】
このモチーフを解釈すると、「７残基の最初の（Ａ）位置ではＣ、Ｄ、Ｇ、Ｈ、またはＰを除く任意のアミノ酸残基が許容され、その次の２つの（Ｂ、Ｃ）アミノ酸位置ではＣ、Ｆ、またはＰを除く任意のアミノ酸残基が許容され、４番目の７残基位置（Ｄ）ではＣ、Ｄ、Ｇ、Ｈ、またはＰを除く任意のアミノ酸残基が許容され、その次の３つの（Ｅ、Ｆ、Ｇ）アミノ酸位置ではＣ、Ｆ、またはＰを除く任意のアミノ酸残基が許容される」ということになる。このモチーフは、５つの連続した７残基反復（したがって、１行目の反復の５回の出現）を検索するように設計されている。これは、３５−ｍｅｒサイズのペプチドを検索することを意味する。また、最初のモチーフを４回だけ反復することによって２８−ｍｅｒｓを検索するように設計することも可能である。ＡＬＬＭＯＴＩ５モチーフに関しては、３５−ｍｅｒの検索が好ましい。そのようなＡＬＬＭＯＴＩ５モチーフによって同定されたウイルス（非バクテリオファージ）配列が、１９９５年６月６日出願の米国特許出願第０８／４７０，８９６号の表Ｖに列挙されている。その出願全体を参照により本明細書に組み入れるものとする。これらのウイルス配列は、抗ウイルス活性を呈する可能性があるとともに、抗ウイルス化合物の同定に有用である可能性があり、これらは本発明の範囲内に含まれるとみなされる。単一の遺伝子が、ＡＬＬＭＯＴＩ５検索モチーフで認識される２つ以上の配列を呈する場合、これらの配列のアミノ酸残基数は、「Ａｒｅａ ２」、「Ａｒｅａ ３」などで表示されている。この方式は、続いて本節の最後に記載されている表のそれぞれで使用されている。
【００７９】
１０７×１７８×４モチーフは次のように書かれる：
2004527725.tif 000014
【００８０】
このモチーフを解釈すると、「７残基の最初の（Ａ）位置ではアミノ酸残基Ｅ、Ｆ、Ｉ、Ｋ、Ｌ、Ｎ、Ｑ、Ｓ、Ｔ、Ｖ、Ｗ、またはＹのみが許容され、その次の２つの（Ｂ、Ｃ）アミノ酸位置ではＣ、Ｆ、Ｍ、またはＰを除く任意のアミノ酸残基が許容され、４番目の位置（Ｄ）ではアミノ酸残基Ｅ、Ｆ、Ｉ、Ｋ、Ｌ、Ｎ、Ｑ、Ｓ、Ｔ、Ｖ、Ｗ、またはＹのみが許容され、その次の３つの（Ｅ、Ｆ、Ｇ）アミノ酸位置ではＣ、Ｆ、Ｍ、またはＰを除く任意のアミノ酸残基が許容される」ということになる。このモチーフは４つの連続した７残基反復（したがって、１行目の反復の４回の出現）を検索するように設計されている。これは、２８−ｍｅｒサイズのペプチドを検索することを意味する。また、最初のモチーフを５回反復することによって３５−ｍｅｒｓを検索するように設計することも可能である。１０７×１７８×４モチーフに関しては、２８−ｍｅｒの検索が好ましい。
【００８１】
そのような１０７×１７８×４モチーフによって同定されたウイルス（非バクテリオファージ）配列が、１９９５年６月６日出願の米国特許出願第０８／４７０，８９６号の表ＶＩに列挙されている。その出願全体を参照により本明細書に組み入れるものとする。米国特許出願第０８／４７０，８９６号（その出願全体を参照により本明細書に組み入れるものとする）の表ＶＩＩに列挙されているウイルス（非バクテリオファージ）配列は、特に好ましい。
【００８２】
また１０７×１７８×４検索モチーフを利用して、１９９５年６月６日出願の米国特許出願第０８／４７０，８９６号の表ＶＩＩＩに列挙されているような非ウイルス原核生物タンパク質配列を同定した。その出願全体を参照により本明細書に組み入れるものとする。さらに、この検索モチーフを用いて多数のヒトタンパク質を明らかにした。このヒトタンパク質１０７×１７８×４検索の結果は、１９９５年６月６日出願の米国特許出願第０８／４７０，８９６号の表ＩＸに列挙されている。その出願全体を参照により本明細書に組み入れるものとする。したがって、表ＶＩＩＩおよびＩＸに列挙されている配列は、抗膜融合化合物として、または抗膜融合化合物の同定に、有用でありうるペプチドを明示したものであり、これらは本発明の範囲内に含まれるとみなされる。
【００８３】
ＰＬＺＩＰ系列のモチーフは図１９に示した通りである。これらのモチーフは、少なくとも１個のプロリン残基が反復のＮ末端からある所定距離の位置に存在するロイシンジッパーコイルドコイル様７残基を同定するように設計されている。これらのＰＬＺＩＰモチーフは、一般に膜貫通アンカーのちょうどＮ末端に位置しているＨＩＶ−１ ＤＰ１７８に類似したタンパク質の領域を見いだす。これらのモチーフは上記と同じ方式に従って解釈することが可能である。図１９に記されているそれぞれの線は単一の完全な検索モチーフを示している。これらのモチーフ中の「Ｘ」は任意のアミノ酸残基を意味する。モチーフが丸括弧内に２つの数値を含んでいる場合、これはアミノ酸残基数を変化させうることを意味する。たとえば、Ｘ（１，１２）は、「続く１〜１２個（両端の数値を含む）のアミノ酸残基が任意のアミノ酸であってよい」と解釈される。
【００８４】
１９９５年６月６日出願の米国特許出願第０８／４７０，８９６号（その出願全体を参照により本明細書に組み入れるものとする）の表Ｘ〜ＸＩＶには、そのようなＰＬＺＩＰモチーフを用いて行った検索によって同定された配列が列挙されている。特に、表Ｘには、ＰＣＴＬＺＩＰ、ＰＩＣＴＬＺＩＰおよびＰ２ＣＴＬＺＩＰ検索モチーフによって同定されたウイルス配列が列挙されており、表ＸＩには、Ｐ３ＣＴＬＺＩＰ、Ｐ４ＣＴＬＺＩＰ、Ｐ５ＣＴＬＺＩＰおよびＰ６ＣＴＬＺＩＰ検索モチーフによって同定されたウイルス配列が列挙されており、表ＸＩＩには、Ｐ７ＣＴＬＺＩＰ、Ｐ８ＣＴＬＺＩＰおよびＰ９ＣＴＬＺＩＰ検索モチーフによって同定されたウイルス配列が列挙されており、表ＸＩＩＩには、Ｐ１２ＬＺＩＰＣ検索モチーフによって同定されたウイルス配列が列挙されており、表ＸＩＶには、Ｐ２３ＴＬＺＩＰＣ検索モチーフによって同定されたウイルス配列が列挙されている。これらの表に列挙されているウイルス配列は、抗ウイルス活性を呈する可能性のあるペプチドであるとともに、抗ウイルス化合物の同定に有用である可能性があり、これらは本発明の範囲内に含まれるとみなされる。
【００８５】
以下の第１７、１８、２６および２７節に提示されている実施例では、本明細書に記載のモチーフ検索によって同定されたウイルス配列が実質的な抗ウイルス特性をもつことが実証される。特に、第１７節に提示されている実施例では、抗呼吸性シンシチウムウイルス活性をもつペプチドについて説明し、第１８節に提示されている実施例では抗パラインフルエンザウイルス活性をもつペプチドについて説明し、第２６節に提示されている実施例では抗麻疹ウイルス活性をもつペプチドについて説明し、第２７節に提示されている実施例では抗サル免疫不全症ウイルス活性をもつペプチドについて説明する。
【００８６】
ＤＰ１０７類似体およびＤＰ１７８類似体にはさらに、先に第５．１節でＤＰ１７８に対して述べた追加の基のいずれかが含まれていてもよい。たとえば、これらのペプチドには、先に「Ｘ」基に対して述べた追加のアミノ末端基のいずれかが含まれていてもよく、さらにまた、先に「Ｚ」基に対して述べたカルボキシ末端基のいずれかが含まれていてもよい。
【００８７】
このほか、同定されたＤＰ１０７ペプチドおよびＤＰ１７８ペプチドの末端切断体が本発明のペプチドに属する。さらに、そのようなＤＰ１０７およびＤＰ１７８の類似体ならびにＤＰ１０７／ＤＰ１７８類似体の末端切断体は、アミノ酸の置換、挿入および／または欠失を１つ以上呈するものであってもよい。ＤＰ１７８類似体のアミノ酸の置換、挿入および欠失については、先に第５．１節でＤＰ１７８様ペプチドに対して説明した通りである。また、ＤＰ１０７類似体のアミノ酸の置換、挿入および欠失については、先に第５．２節でＤＰ１０７様ペプチドに対して説明した通りである。そのようなＤＰ１０７／ＤＰ１７８末端切断体の代表例は、１９９５年６月６日出願の米国特許出願第０８／４７０，８９６号の表ＸＶ〜ＸＸＩＩに記載されている。その出願全体を参照により本明細書に組み入れるものとする。
【００８８】
本発明の一部分とみなされる他の典型的なＤＰ１７８ペプチドおよびＤＰ１０７ペプチドならびにＤＰ１７８様ペプチドおよびＤＰ１０７様ペプチドとしては、１９９９年５月４日出願の米国特許出願第０９／３１５，３０４号に記載のペプチドが挙げられる。その出願全体を参照により本明細書に組み入れるものとする。そのようなＤＰ１７８ペプチドおよびＤＰ１０７ペプチドならびにＤＰ１７８様ペプチドおよびＤＰ１０７様ペプチドとしては、たとえば、以下の表Ｖに列挙されているペプチドが挙げられる。
【００８９】
他のＤＰ１７８ペプチド、ＤＰ１０７ペプチド、ＤＰ１７８様ペプチドおよびＤＰ１０７様ペプチドとしては、たとえば、１９９３年５月２９日出願の米国特許出願第０８／０３８，３８７号、現米国特許第５，６２７，０２３号；１９９３年６月７日出願の米国特許出願第０８／０７３，０２８号、現米国特許第５，４６４，９３３号；１９９４年６月７日出願の米国特許出願第０８／２５５，２０８号；１９９４年１２月２０日出願の米国特許出願第０８／３６０，１０７号；および１９９５年６月６日出願の米国特許出願第０８／４７０，８９６号に記載のペプチドが挙げられる。それらのそれぞれの出願全体を参照により本明細書に組み入れるものとする。
【００９０】
表Ｖ
2004527725.tif 000015
2004527725.tif 000016
2004527725.tif 000017
2004527725.tif 000018
2004527725.tif 000019
2004527725.tif 000020
2004527725.tif 000021
2004527725.tif 000022
2004527725.tif 000023
2004527725.tif 000024
2004527725.tif 000025
2004527725.tif 000026
2004527725.tif 000027
2004527725.tif 000028
2004527725.tif 000029
2004527725.tif 000030
2004527725.tif 000031
2004527725.tif 000032
2004527725.tif 000033
2004527725.tif 000034
2004527725.tif 000035
2004527725.tif 000036
2004527725.tif 000037
2004527725.tif 000038
2004527725.tif 000039
2004527725.tif 000040
2004527725.tif 000041
2004527725.tif 000042
2004527725.tif 000043
2004527725.tif 000044
【００９１】
５．４． ペプチド合成
本発明のペプチドは当分野で周知の技術によって合成または製造できる。例えば、参照により本明細書にそのまま組み入れられるＣｒｅｉｇｈｔｏｎ， １９８３， Ｐｒｏｔｅｉｎｓ：Ｓｔｒｕｃｔｕｒｅｓ ａｎｄ Ｍｏｌｅｃｕｌａｒ Ｐｒｉｎｃｉｐｌｅｓ， Ｗ． Ｈ． Ｆｒｅｅｍａｎ ａｎｄ Ｃｏ．， ＮＹを参照。短いペプチドは例えば、固相担体上または溶液中で合成することができる。長いペプチドは組換えＤＮＡ技術を用いて作製してもよい。ここでは、本発明のペプチドをコードするヌクレオチド配列を当業者に周知の技術によって合成、かつ／またはクローン化し、発現させる。例えば、Ｓａｍｂｒｏｏｋ， ｅｔ ａｌ．， １９８９， Ｍｏｌｅｃｕｌａｒ Ｃｌｏｎｉｎｇ， Ａ Ｌａｂｏｒａｔｏｒｙ Ｍａｎｕａｌ， Ｖｏｌｓ． １−３， Ｃｏｌｄ Ｓｐｒｉｎｇ Ｈａｒｂｏｒ Ｐｒｅｓｓ， ＮＹを参照。
【００９２】
あるいは本発明のペプチドは、ペプチドのアミノ酸残基を連結する１以上の結合が非ペプチド結合であるように合成してもよい。これら別の非ペプチド結合は、当業者に周知の反応を利用して形成してよく、限定されるものではないが、イミノ、エステル、ヒドラジド、セミカルバジドおよびアゾ結合などが挙げられる。なお、本発明のもう１つの実施形態では、上記配列を含んでなるペプチドそれらのアミノ末端および／またはカルボキシ末端に存在する付加的な化学基によって、例えばペプチドの安定性、生物学的利用性および／または阻害活性が向上するように合成してもよい。例えば、カルボベンゾキシル、ダンシル、またはｔ−ブチルオキシカルボニル基などの疎水基をペプチドのアミノ末端に付加してもよい。同様に、アセチル基または９−フルオレニルメトキシ−カルボニル基をペプチドのアミノ末端に置いてもよい。（上記の表ＩからＩＶの「Ｘ」参照。）さらに、疎水基、ｔ−ブチルオキシカルボニル、またはアミノ基をペプチドのカルボキシ末端に付加してもよい。（上記の表ＩからＩＶの「Ｚ」参照。）
さらに、本発明のペプチドは立体配置を変更するように合成してもよい。例えば、通常のＬ−異性体よりもむしろ、本ペプチドの１以上のアミノ酸残基のＤ−異性体を用いてよい。
【００９３】
なおさらに、本発明のペプチドの少なくとも１のアミノ酸残基を、天然に存在しない公知のアミノ酸残基の１つで置換してよい。これらの改変は本発明のペプチドの安定性、生物学的利用性および／または阻害作用の向上に役立つ。
【００９４】
上記のペプチドはいずれも、そのアミノおよび／またはカルボキシ末端と共有結合した高分子担体の基をさらに有してもよい。かかる高分子担持基としては例えば、脂質−脂肪酸複合体、ポリエチレングリコール、炭水化物またはさらなるペプチドが挙げられる。従って上記の表ＩからＩＶの「Ｘ」はさらに、ペプチド（付加的ペプチドが好ましい）のアミノ末端に共有結合した上記高分子担持基のいずれかを表す。同様に、上記の表ＩからＩＶの「Ｚ」はさらに、上記の高分子担持基のいずれかを表す。
【００９５】
５．５．  抗膜融合活性アッセイ
本明細書には、本発明のペプチドのような化合物の抗膜融合能に関する方法が記載される。具体的には、細胞融合に関するアッセイは下記の第５．５．１節に記載され、抗ウイルス活性に関するアッセイは下記の第５．５．２節に記載されている。
【００９６】
５．５．１  細胞融合アッセイ
細胞融合に関するアッセイは当業者に周知であり、例えばペプチドの抗膜融合能を試験するための本発明のペプチドと組み合わせて用いてもよい。
【００９７】
細胞融合アッセイは一般にｉｎ ｖｉｔｒｏで行われる。かかるアッセイには、いかなる処理も施さず、観察可能なレベルのシンシチウム形成を受けた培養細胞を含んでもよい。例えば、非感染細胞を細胞融合を誘導するウイルスに慢性的に感染した細胞の存在下でインキュベートすればよい。かかるウイルスとしては、限定されるものではないが、ＨＩＶ、ＳＩＶ、または呼吸シンシチアルウイルスが挙げられる。
【００９８】
アッセイでは、アッセイするペプチドの存在下で細胞をインキュベートする。各ペプチドについて、一定範囲のペプチド濃度を試験する。この範囲はペプチドを付加していない対照培養物を含む。
【００９９】
培養細胞には当業者に周知の標準条件を用いる。適当な期間（例えば、３７℃で２４時間）インキュベートした後、培養物について細胞融合およびシンシチウム形成の指標となる多核巨大細胞が存在するかどうかを顕微鏡下で調べる。クリスタルバイオレット色素などの公知の色素を用いてシンシチウム形成を視覚化してもよい。
【０１００】
５．５．２  抗ウイルス活性アッセイ
本発明のペプチドによって示される抗ウイルス活性は、例えばペプチドのシンシチウム形成阻害能または細胞を含まないウイルスによる感染阻害能を試験し得る下記のアッセイなど、実施の容易なｉｎ ｖｉｔｒｏアッセイによって測定すればよい。これらのアッセイを用いると、対象ウイルス系に対してペプチドの相対的抗ウイルス活性などのパラメーターが示され、かつ／または、ペプチドの系特異的な阻害活性が測定できる。
【０１０１】
細胞融合アッセイはｉｎ ｖｉｔｒｏでのＨＩＶ誘導、シンシチウム形成などペプチドのウイルス誘導阻害能を試験するのに利用してもよい。かかるアッセイには、シンシチウム誘導ウイルスに慢性的に感染した細胞およびアッセイするペプチドの存在下で非感染細胞を培養することを含んでよい。各ペプチドに関して、一定の範囲のペプチド濃度を試験する。この範囲はペプチドを加えていない対照培養を含むべきである。当業者に周知である培養の標準条件を用いる。適当な期間（例えば３７℃で２４時間）インキュベートした後、培養物について細胞融合およびシンシチウム形成の指標となる多核巨大細胞が存在するかどうかを顕微鏡下で調べる。クリスタルバイオレット色素などの公知の色素を用いてシンシチウムを視覚化してもよい。ＨＩＶを例にとると、かかるアッセイは、慢性的にＨＩＶ感染した細胞およびアッセイするペプチドの存在下で培養したＣＤ−４＋細胞（例えばＭｏｌｔまたはＣＥＭ細胞など）を含んでなる。
【０１０２】
また、ウイルス感染のもう１つの周知の特徴をアッセイしてペプチドの抗ウイルス能を試験してもよい。再びＨＩＶを例にとると、逆転写酵素（ＲＴ）アッセイを用いて細胞を含まないＨＩＶによるＣＤ−４＋細胞の感染を阻害するペプチドの能力を試験してもよい。かかるアッセイは試験するペプチドの存在下で適当な濃度（すなわちＴＣＩＤ５０）のウイルスおよびＣＤ−４＋細胞を培養することを含んでなる。培養条件は当業者に周知のものを用いる。上記のように、ペプチドを加えていない対照培養物の他に一定の範囲のペプチド濃度を用いればよい。培養物を適当な期間（例えば７日間）培養した後、標準法を用いて細胞を含まない上清を調製し、感染に成功したかどうかの指標としてＲＴ活性の存在を試験する。ＲＴ活性は、例えば、Ｇｏｆｆ ら（Ｇｏｆｆ， Ｓ． ｅｔ ａｌ．， １９８１， Ｊ． Ｖｉｒｏｌ． ３８：２３９−２４８）および／またはＷｉｌｌｅｙ ら（Ｗｉｌｌｅｙ， Ｒ． ｅｔ ａｌ．， １９８８， Ｊ． Ｖｉｒｏｌ． ６２：１３９−１４７）によって記載されたものなどの標準法を用いて試験すればよい。これらの参照文献は参照により本明細書にそのまま組み入れられる。
【０１０３】
当業者に周知の標準法は非レトロウイルス活性のアッセイに利用してもよい。例えば、呼吸シンシチアルウイルスおよびパラインフルエンザウイルス活性アッセイ法の考察に関するＰｒｉｎｇｌｅ ｅｔ ａｌ． （Ｐｒｉｎｇｌｅ， Ｃ． Ｒ． ｅｔ ａｌ．， １９８５， Ｊ． Ｍｅｄｉｃａｌ Ｖｉｒｏｌｏｇｙ １７：３７７−３８６）を参照。さらに、かかる技術の概説については、例えば、”Ｚｉｎｓｓｅｒ Ｍｉｃｒｏｂｉｏｌｏｇｙ”， １９８８， Ｊｏｋｌｉｋ， Ｗ．Ｋ． ｅｔ ａｌ．， ｅｄｓ．， Ａｐｐｌｅｔｏｎ ＆ Ｌａｎｇｅ， Ｎｏｒｗａｌｋ， ＣＴ， １９ｔｈ ｅｄ．，を参照。これらの参照文献は参照により本明細書にそのまま組み入れられる。さらに、以下の第１７節、第１８節、第２６節および第２７節の各々で示す実施例は化合物の抗ウイルス能の試験のためのさらなるアッセイを提供する。
【０１０４】
例えば本発明のペプチドの抗ウイルス活性を試験するには、ｉｎ ｖｉｖｏアッセイも利用してよい。抗ＨＩＶ活性を試験しするには、例えばＢａｒｎｅｔｔらに記載されたｉｎ ｖｉｖｏモデル（Ｂａｒｎｅｔｔ， Ｓ． Ｗ． ｅｔ ａｌ．， １９９４， Ｓｃｉｅｎｃｅ ２６６：６４２−６４６）を用いてよい。
【０１０５】
さらに、周知のマウスモデルによって、ｉｎ ｖｉｖｏで抗ＲＳＶ活性をアッセイすることができる。例えば、ＲＳＶは種々の近交系マウスに経鼻投与できる。すべての系統の肺内でウイルスが複製されるが、Ｐ／Ｎ、Ｃ５７Ｌ／ＮおよびＤＢＡ／２Ｎマウスで最高力価が得られた。ＢＡＬＢ／ｃマウスが感染すると、リンパ球の浸潤を特徴とする無症候性の細気管支炎を生じ、肺のウイルス力価は１０４〜１０５ｐｆｕ／肺組織ｇとなる（Ｔａｙｌｏｒ， Ｇ． ｅｔ ａｌ，． １９８４， Ｉｎｆｅｃｔ． Ｉｍｍｕｎ． ４３：６４９−６５５）。
【０１０６】
ＲＳＶのコットンラットモデルも周知である。ウイルスはコットンラットの鼻および肺で高い力価まで複製するが、炎症の徴候は、たとえあるとしてもほとんどない。
【０１０７】
５．６  本発明のペプチドの使用
本発明のペプチドは抗膜融合性もしくは抗ウイルス性化合物として、またはコイルド・コイル・ペプチド構造に関わる細胞内プロセスを調節する化合物として利用してもよい。さらに、かかるペプチドは抗膜融合、抗ウイルスまたは細胞内調節活性を示す薬剤の同定に用いてもよい。またさらに、本発明のペプチドは生物体またはウイルスのタイプ／サブタイプに特異的な診断手段として利用してもよい。
【０１０８】
本発明のペプチドの抗膜融合能は、さらに膜融合に関わるプロセスによって生じた症状の抑制または治療／緩和に利用してもよい。かかる事象には例えば、細胞−細胞融合を介するウイルス伝染、細胞融合を介する異常な神経伝達物質交換、および精子−卵子融合などが挙げられる。さらに、本発明のペプチドは、ウイルス感染が膜融合またはウイルス構造と細胞膜との融合に関与するような非感染細胞へのレトロウイルス、特にＨＩＶなどの遊離型ウイルスの伝染を阻害するのに使用してもよい。本発明のペプチドによって緩和され得るコイルド・コイル・ペプチド構造に関与する細胞内障害のなかには、例えば細菌毒素に関与する障害がある。
【０１０９】
抗ウイルス活性に関しては、本発明のペプチドによってその伝染が阻害されるウイルスとしては、限定されるものではないが、ＨＩＶ−１およびＨＩＶ−２などのヒト・レトロウイルスおよびヒト・Ｔ−リンパ球ウイルス（ＨＴＬＶ−ＩおよびＩＩ）、ならびにウシ白血病ウイルス、ネコ肉腫および白血病ウイルス、サル免疫不全、肉腫および白血病ウイルス、ならびにヒツジ進行性肺炎ウイルスなどの非ヒト・レトロウイルスが挙げられる。
【０１１０】
本発明のペプチドによってその伝染が阻害されるレトロウイルスでないウイルスとしては、限定されるものではないが、ヒト呼吸シンシチアルウイルス、イヌ・ジステンパーウイルス、ニューカッスル病ウイルス；ヒト・パラインフルエンザウイルス、インフルエンザウイルス、麻疹ウイルス、エプスタイン−バー・ウイルス、Ｂ型肝炎ウイルス、およびサル・メイソン−ファイザー・ウイルスなどが挙げられる。
【０１１１】
本発明のペプチドによって伝染が阻害される非エンベロープウイルスとしては、限定されるものではないが、ポリオウイルス、Ａ型肝炎ウイルス、エンテロウイルス、エコーウイルス、およびコクサッキーウイルスなどのピコルナウイルス、乳頭腫ウイルスなどのパポーバウイルス、パルボウイルス、アデノウイルスおよびレオウイルスが挙げられる。
【０１１２】
以下の第５．６．１節および以下の第８節で示される実施例でより詳細に論じられるように、ＤＰ１０７、ＤＰ１７８、ＤＰ１０７類似体およびＤＰ１７８類似体ペプチドは、ウイルスの通常の活性が必要な非共有結合性のタンパク質間相互作用を生じる。従って、本発明のペプチドはまた、かかるタンパク質間の相互作用を妨げる化合物の同定のためのアッセイにおいて構成要素として利用してもよく、ここでは本発明のペプチドは抗ウイルス剤として働く。これらのアッセイは以下の第５．６．１節に論じられている。
【０１１３】
以下の第６節に示した実施例で証明されるように、本発明のペプチドの抗ウイルス活性は明白なタイプおよびサブタイプ特異性を示し、言い換えれば、特定のペプチドだけが特異的なウイルス活性を阻害するのに有効である。本発明のこの特徴には多くの利点がある。例えば、かかる利点の１つは診断分野にあり、本発明のペプチドの抗ウイルス特異性は、単離ウイルスを同定するのに利用できる。ＨＩＶに関しては、単離ウイルスがＨＩＶ−１またはＨＩＶ−２系統のいずれからなるかが容易に決定できる。例えば、非感染ＣＤ−４＋細胞は、例えば上記第５．２節に記載した技術を用いて細胞上清のレトロウイルス活性をアッセイした後に、ＨＩＶのＤＰ１７８（配列番号１）ペプチドを含有することが確認されている単離物で同時感染させてもよい。レトロウイルス活性が完全にまたはほぼ完全に阻害されるこれらの単離物はＨＩＶ−１を含む。ウイルス活性が不変であるかまたは若干低下した単離物はＨＩＶ−１を含まないと考えられる。次いでかかる単離物を１以上の別の本発明のＤＰ１７８ペプチドで処理し、続いてそのウイルス活性を試験して単離ウイルスを同定する。また本発明のＤＰ１０７およびＤＰ１７８類似体は、特異的なペプチド配列が発見されたウイルスまたは生物体のタイプおよびサブタイプに特異的な診断能に利用してもよい。上記のＤＰ１７８に関する診断手順はＤＰ１０７／ＤＰ１７８類似体と併用してもよい。
【０１１４】
５．６．１  スクリーニングアッセイ
以下の第８節に示した実施例で証明したように、ＴＭタンパク質ｇｐ４１のうちＤＰ１０７およびＤＰ１７８の部分、すなわち、ｇｐ４１のＨＲ１およびＨＲ２部分は、個別に非共有結合性のタンパク質間相互作用を形成する。また証明されるように、かかる相互作用の維持は通常のウイルス伝染に必要である。従って、ＤＰ１０７と結合し、ＤＰ１７８と結合し、かつ／または通常のＤＰ１０７／ＤＰ１７８タンパク質間の相互作用を妨げる働きをする化合物は抗膜融合剤、抗ウイルス剤または細胞内調節剤として働く。以下に記載するアッセイはかかる化合物の同定に関する。議論を容易かつ明白にするために、ＤＰ１０７およびＤＰ１７８ペプチドを記載のアッセイの構成要素として用いているが、上記第５．１節から第５．３節までに記載のＤＰ１０７類似体またはＤＰ１７８類似体のいずかを、これらの化合物スクリーニングの一部として利用してよいことに注目すべきである。
【０１１５】
例えば、ある実施形態では本発明のアッセイは１以上のアミノ酸残基の末端切断、欠失、挿入または置換を含むＤＰ１０７および／またはＤＰ１７８類似体を用いてもよい。特に、ある好ましい実施形態では、ＤＰ１０７、ＤＰ１７８、ＤＰ１０７様およびＤＰ１７８様ペプチドには、ＤＰ１０７、ＤＰ１７８、ＤＰ１０７様またはＤＰ１７８様ペプチドが由来する約２ないし約５０のアミノ酸アミノ方向（ａｍｉｎｏ−ｔｏ）またはカルボキシ方向（ｃａｒｂｏｘｙ−ｔｏ）内因性配列に相当するアミノおよび／またはカルボキシ末端挿入を含み得る。もう１つの実施形態では、本明細書に記載のアッセイにおいて用いるペプチドはさらに、特定のペプチドの検出、固定および／または生成に有用な付加的な異種配列を含んでなる。かかる異種配列には、限定されるものではないが、下記第８節および第３０節に記載のＭ４１Δ１７８およびＭＦ５．１マルトース結合融合タンパク質など、ＤＰ１７８、ＤＰ１０７、ＤＰ１７８様またはなどのＤＰ１０７様配列を含むマルトース結合融合タンパク質が挙げられる。
【０１１６】
ある実施形態では、かかる類似体は結合親和性が低くく、従ってＤＰ１０７／ＤＰ１７８複合体の形成を阻害する、あるいはＤＰ１０７／ＤＰ１７８複合体間の複合体を崩壊させる化合物のスクリーニングに有効である。かかる低結合性（ｒｅｄｕｃｅｄ ｂｉｎｄｉｎｇ）類似体の中には、例えば下記第３０節および第３１節に示される実施例に記載のペプチドを含む、１以上のアラニン挿入または置換を示すペプチドがある。例えば下記第３０節および第３１節に記載のペプチドを含む、結合親和性の低いかかる類似体も本発明の一部であると理解される。
【０１１７】
ＤＰ１０７、ＤＰ１７８と結合し、および／またはＤＰ１０７／ＤＰ１７８相互作用を妨げる能力を試験され、従って、潜在的に抗膜融合、抗ウイルスまたは細胞内調節化合物を表す化合物としては、限定されるものではないが、Ｄ−およびＬ−型アミノ酸（例えば、ランダムペプチドライブラリーの形態；Ｌａｍ， Ｋ． Ｓ． ｅｔ ａｌ．， １９９１， Ｎａｔｕｒｅ ３５４：８２−８４参照）、ホスホペプチド（例えば、ランダムまたは部分変性した指定ホスホペプチドライブラリーの形態；Ｓｏｎｇｙａｎｇ， Ｚ． ｅｔ ａｌ．， １９９３， Ｃｅｌｌ ７２：７６７−７７８参照）、抗体、および有機または無機小分子などが挙げられる。本節に記載されるように、化学合成化合物、天然産物および他の潜在的に有効な物質を種々の方法でスクリーニングすることができる。
【０１１８】
本明細書中に記載の方法を利用して、スクリーニングし、試験し、ＨＲ１／ＨＲ２、ＤＰ１７８／ＤＰ１０７および／またはＤＰ１７８様／ＤＰ１０７様の相互作用を調節することが確認できる化合物としては、一般に、例えば分子量が約１５００ダルトンまでの小分子が挙げられる。小分子を含む試験化合物としては、限定されるものではないが、Ａｌｄｒｉｃｈ （１００１ Ｗｅｓｔ ｓｔ． Ｐａｕｌ Ａｖｅ．， Ｍｉｌｗａｕｋｅｅ， ＷＩ ５３２３３）、Ｓｉｇｍａ Ｃｈｅｍｉｃａｌ （Ｐ． Ｏ． Ｂｏｘ １４５０８， Ｓｔ． Ｌｏｕｉｓ， ＭＯ ６３１７８）、Ｆｌｕｋａ Ｃｈｅｍｉｅ ＡＧ （Ｉｎｄｕｓｔｒｉｅｓｔｒａｓｓｅ ２５， ＣＨ−９４７１ Ｂｕｃｈｓ， Ｓｗｉｔｚｅｒｌａｎｄ （Ｆｌｕｋａ Ｃｈｅｍｉｃａｌ Ｃｏｒｐ． ９８０ Ｓｏｕｔｈ ２ｎｄ Ｓｔｒｅｅｔ， Ｒｏｎｋｏｎｋｏｍａ ＮＹ １１７７９））、Ｅａｓｔｍａｎ Ｃｈａｍｉｃａｌ Ｃｏｍｐａｙ、Ｆｉｎｅ Ｃｈｅｍｉｃａｌｓ （Ｐ．Ｏ． Ｂｏｘ ４３１， Ｋｉｎｇｓｐｏｒｔ， ＴＮ ３７６６２）、Ｂｏｅｈｒｉｎｇｅｒ Ｍａｎｎｈｅｉｍ ＧｍｂＨ （Ｓａｎｄｈｏｆｅｒ Ｓｔｒａｓｓｅ １１６， Ｄ−６８２９８ Ｍａｎｎｈｅｉｍ）、Ｔａｋａｓａｇｏ （４ Ｖｏｌｖｏ Ｄｒｉｖｅ， Ｒｏｃｋｌｅｉｇｈ， ＮＪ ０７４６７）、ＳＳＴ Ｃｏｒｐｏｒａｔｉｏｎ（６３５ Ｂｒｉｇｈｔｏｎ Ｒｏａｄ， Ｃｌｉｆｔｏｎ， ＮＪ ０７０１２）、Ｆｅｒｒｏ （１１１ Ｗｅｓｔ Ｉｒｅｎｅ Ｒｏａｄ， Ｚａｃｈａｒｙ， ＬＡ ７０７９１）、Ｒｉｅｄｅｌ−ｄｅＨａｅｎ Ａｋｔｉｅｎｇｅｓｅｌｌｓｃｈａｆｔ （Ｐ．Ｏ． Ｂｏｘ Ｄ−３０９１８， ｓｅｅｌｚｅ， Ｇｅｒｍａｎｙ）、ＰＰＧ Ｉｎｄｕｓｔｒｉｅｓ Ｉｎｃ．、Ｆｉｎｅ Ｃｈｅｍｉｃａｌｓ （Ｏｎｅ ＰＰＧ Ｐｌａｃｅ， ３４ｔｈ Ｆｌｏｏｒ， Ｐｉｔｔｓｂｕｒｇｈ， ＰＡ１５２７２）をはじめとするいずれかの市販の化合物が挙げられる。さらに、微生物、菌または植物抽出物をはじめいずれの種類の天然産物でも本発明の方法を用いてスクリーニングできる。
【０１１９】
さらに、小分子試験化合物をはじめ試験化合物の多様性ライブラリーは、Ｓｐｅｃｓ ａｎｄ Ｂｉｏｓｐｅｃｓ Ｂ． Ｖ． （Ｒｉｊｓｗｉｊｋ， Ｔｈｅ Ｎｅｔｈｅｒｌａｎｄｓ）、Ｃｈｅｍｂｒｉｄｇｅ Ｃｏｒｐｏｒａｔｉｏｎ （Ｓａｎ Ｄｉｅｇｏ， ＣＡ）、Ｃｏｎｔｒａｃｔ Ｓｅｒｖｉｃｅ Ｃｏｍｐａｎｙ （Ｄｏｌｇｏｐｒｕｄｎｙ， Ｍｏｓｃｏｗ Ｒｅｇｉｏｎ， Ｒｕｓｓｉａ）、Ｃｏｍｇｅｎｅｘ ＵＳＡ Ｉｎｃ． （Ｐｒｉｎｃｅｔｏｎ， ＮＪ）、Ｍａｙｂｒｉｄｇｅ Ｃｈｅｍｉｃａｌｓ Ｌｔｄ． （Ｃｏｒｎｗａｌｌ ＰＬ３４ ＯＨＷ， Ｕｎｉｔｅｄ Ｋｉｎｇｄｏｍ）、およびＡｓｉｎｅｘ （Ｍｏｓｃｏｗ， Ｒｕｓｓｉａ）より商業的に入手できる。小分子試験化合物をはじめ試験化合物のコンビナトリアル・ライブラリーは、Ｅｉｃｈｌｅｒ ＆ Ｈｏｕｇｈｔｅｎ， １９９５， Ｍｏｌ． Ｍｅｄ． Ｔｏｄａｙ １：１７４−１８０； Ｄｏｌｌｅ， １９９７， Ｍｏｌ． Ｄｉｖｅｒｓ． ２：２２３−２３６； Ｌａｍ， １９９７， Ａｎｔｉｃａｎｃｅｒ Ｄｒｕｇ Ｄｅｓ． １２：１４５−１６７に開示されたようにして得ることができる。これらの参照文献は参照によりそのまま本明細書に組み入れられる。かかる参照文献もまた、本発明の方法によって同定された化合物をさらに試験するのに用いることができ、またリード化合物および治療化合物を表し得る化合物の同定および単離を助け得る、さらなるスクリーニング方法を教示していることに注目すべきである。
【０１２０】
同定された化合物、抗体または他の分子は、例えば細胞融合またはウイルス活性の阻害能を、例えば上記第５．５節に記載のアッセイなどを利用して試験してもよい。
【０１２１】
試験されるペプチドとしては、ＤＰ１０７および／またはＤＰ１７８ドメインを含んでなる可溶性ペプチド、および下記第８節に示される実施例に記載のＤＰ１７８配列中にイソロイシンからプロリンへの突然変異体を含むＭ４１−Ｐペプチドのように、一方または両方のドメイン内に１以上の突然変異を有するＤＰ１０７および／またはＤＰ１７８ドメインを含んでなるペプチドがある。
【０１２２】
かかるスクリーニング方法のある実施形態は、
１  少なくとも１つの化合物を、ＤＰ１０７ペプチドを含んでなるペプチドに、化合物とＤＰ１０７ペプチドとを結合させるのに十分な時間曝し；
２  非結合化合物を除去し；さらに
３  ＤＰ１０７ペプチドと結合した化合物の存在を調べ、それにより、抗ウイルス活性について試験薬剤を同定すること、
を含んでなる、抗ウイルス活性について試験化合物を同定する方法である。
【０１２３】
かかるスクリーニング方法の第２の実施形態は、
（ａ）  少なくとも１つの化合物を、ＤＰ１７８ペプチドを含んでなるペプチドに、化合物をＤＰ１７８ペプチドとを結合させるのに十分な時間曝し；
（ｂ）  非結合化合物を除去し；さらに
（ｃ）  ＤＰ１７８ペプチドと結合した化合物の存在を調べ、それにより、抗ウイルス活性について試験薬剤を同定すること
を含んでなる、抗ウイルス活性について試験化合物を同定する方法である。
【０１２４】
かかるＤＰ１０７結合またはＤＰ１７８結合化合物の単離を遂行し得るこれらの種のアプローチを利用する方法の一つとして、ＤＰ１０７またはＤＰ１７８ペプチドのいずれかを、例えば、アガロースまたはプラスチックビーズ、マイクロタイタープレートウェル、ペトリ皿、または例えばナイロンもしくはニトロセルロースからなるメンブランなどの固相マトリックスへ付着させることを含むアッセイがある。かかるアッセイ系では、ＤＰ１０７またはＤＰ１７８タンパク質のいずれかを固相表面に固定し、固定されていない化合物もしくは試験物質を直接または間接的に標識する（例えば、１２５Ｉなどの放射能標識、ビオチンなどの吸収標識、またはフルオレセインもしくはローダミンなどの蛍光標識による）。実際には便宜上、マイクロタイタープレートが利用されている。固定された成分は、非共有結合または共有結合によって固定化される。非共有結合は、単に固相表面をタンパク質溶液で被覆し、乾燥させることで達成される。あるいは、タンパク質に特異的な固定化抗体、好ましくはモノクローナル抗体を用いてタンパク質を固相表面に固定してもよい。このような表面は予め製造して保存してもよい。
【０１２５】
このアッセイを実行するために、固定化ＤＰ１０７またはＤＰ１７８ペプチドを有する被覆表面に標識化合物を添加する。反応が完了した後、生じた複合体のいずれもが固相表面に固定化されて残るような条件下で反応してない成分を（例えば洗浄によって）除去する。固相表面に固定された複合体の検出はいくつかの方法で達成できる。化合物が予め標識されている場合、表面に固定化された標識が検出されれば複合体が形成されたことを示す。標識成分が予め標識されていない場合には、間接的な標識を用いて表面に固定された複合体を検出でき、例えば、化合物に特異的な標識抗体を用いる（抗体は次ぎに直接標識してもよいし、または間接的に標識された抗Ｉｇ抗体で標識してもよい）。
【０１２６】
あるいは、かかるアッセイは液相、非反応成分から分離した反応生成物、および検出された複合体で実行でき、例えば、そのアッセイに適当であればいずれのものでも、ＤＰ１０７またはＤＰ１７８に特異的な固定化抗体を用いて、または溶液中で生じた複合体を固定するため、化合物、すなわち試験物質に特異的なａｂ抗体を用いて、また固定された複合体を検出するため複合体の他の部分に特異的な標識抗体を用いる。
【０１２７】
かかる手法を利用することにより、ＤＰ１０７またはＤＰ１７８結合能について多数の分子型を同時に、従って潜在的な抗ウイルス活性をスクリーニングできる。
【０１２８】
さらに、ＤＰ１０７／ＤＰ１７８複合体の形成を阻害する、あるいは崩壊させる能力について化合物をスクリーニングすることができる。次いでかかる化合物を抗膜融合能、抗ウイルス能、または細胞内調節能について試験することができる。記載を容易にするために、ＤＰ１０７およびＤＰ１７８を以下「結合パートナー（ｂｉｎｄｉｎｇ ｐａｒｔｎｅｒ）」と呼ぶ。かかる相互作用を妨げる化合物は抗ウイルス活性を示す。かかる化合物としては、限定されるものではないが、上記の抗体、ペプチドなどの分子が挙げられる。
【０１２９】
ＤＰ１０７およびＤＰ１７８ペプチド間の相互作用を妨げる化合物を同定するのに用いるアッセイ系の基本原理には、ペプチドを含む反応混合物を、２つのペプチドを相互作用および結合させ、その結果複合体を生じるに十分な条件および時間の下で製造することを含む。化合物の阻害（ｄｉｓｒｕｐｔｉｖｅ）活性について試験するためには、試験化合物の存在下および不在下で反応を行う。すなわち、試験化合物を最初に反応混合物に含めてもよいし、結合パートナーの一方を添加した後に加えてもよく；対照は試験化合物を含まずないか、またはプラシーボとともにインキュベートする。次いで結合パートナー間の複合体が形成されたかを検出する。試験化合物を含有する反応混合物ではなく、対照反応物で複合体が形成されれば、化合物がＤＰ１０７およびＤＰ１７８ペプチドの相互作用を妨げていることを示す。
【０１３０】
結合パートナーの相互作用を妨げる化合物のアッセイは不均一系または均一系で実施できる。不均一アッセイは、結合パートナーの一方が固相上に固定し、反応の終了時に固相に固定された複合体を検出することを含む。均一アッセイでは、全反応を液相で行う。いずれのアプローチでも、反応物の添加順序は、試験する化合物に関して種々の情報を得るために変えることができる。例えば、結合パートナー間の相互作用を例えば競合によって妨げる試験化合物は、試験物質の存在下で反応を行うことによって；すなわち、試験物質を結合パートナーよりも前にまたは結合パートナーと同時に反応混合物に添加することによって同定できる。他方、予め生じた複合体を崩壊させる試験化合物、例えば、複合体から結合パートナーの１つを置換する、高い結合定数を有する化合物は、複合体が形成された後に反応混合物に試験化合物を添加することによって試験できる。以下に種々の形式を簡潔に記載する。
【０１３１】
不均質アッセイ系では、結合パートナーの一方、例えばＤＰ１０７またはＤＰ１７８ペプチドのいずれかを固相表面上に固定し、固定されていない結合パートナーを直接または間接的に標識する（例えば、１２５Ｉなどの放射能標識、ビオチンなどの吸着標識、またはフルオレセインもしくはローダミンなどの蛍光標識による）。実際には便宜上、マイクロタイタープレートが利用されている。固定された種は、非共有結合または共有結合によって固定化してもよい。非共有結合は単に固相表面をタンパク質溶液で被覆し、乾燥させることで達成される。あるいは、タンパク質に特異的な固定化抗体を用いてタンパク質を固相表面に固定してもよい。表面は予め製造して保存してもよい。
【０１３２】
このアッセイを実施するには、固定化種の結合パートナーを被覆面に試験化合物とともに、または試験化合物を伴わずに添加する。反応が完了した後、反応していない成分を（例えば洗浄によって）除去すると、生じた複合体はいずれも固相表面に固定化されて残る。固相表面に固定された複合体の検出はいくつかの方法で達成できる。結合パートナーが予め標識されている場合、表面に固定化された標識の検出は、複合体が形成されたことを示す。結合パートナーが予め標識されていない場合には、間接的な標識を用いて表面に固定された複合体を検出できる；例えば、結合パートナーに特異的な標識抗体を用いる（抗体は次ぎに、標識された抗Ｉｇ抗体で直接標識しても、または間接的に標識してもよい）。反応成分の添加順序によって、複合体形成を阻害する試験化合物または予め形成された複合体を崩壊させる試験化合物を検出できる。
【０１３３】
あるいは、反応は液相中で、試験化合物、反応していない成分から分離した反応生成物、および検出された複合体の存在下または不在下で実施できる（例えば、溶液中に生じた複合体を固定するため、結合パートナーの１つに特異的な固定化抗体を用い、および固定された複合体を検出するためにもう一方の結合パートナーに特異的な標識抗体を用いる）。さらに、反応成分の液相への添加順序によって、複合体を阻害する試験化合物または予め形成された複合体を崩壊させる試験化合物を同定できる。
【０１３４】
本発明のもう１つの実施形態では、均質アッセイを使用できる。このアプローチでは、予め形成したＤＰ１０７およびＤＰ１７８ペプチドの複合体を、結合パートナーの一方が標識されるが、標識によって生じたシグナルを複合体の形成によりクエンチするように製造する（例えば、このアプローチをイムノアッセイへ利用するＲｕｂｅｎｓｔｅｉｎによる米国特許第４，１０９，４９６号を参照）。結合パートナーの１つと競合し、かつ予め形成した複合体の結合パートナーと置き換わる試験物質を添加すると、バックグラウンドを越えるシグナルが生じる。このように、ＤＰ−１０７／ＤＰ−１７８タンパク質間相互作用を崩壊させる試験物質が同定できる。
【０１３５】
本発明のさらにもう１つの実施形態では、蛍光偏光法を均質アッセイで使用してもよい。このアプローチでは、試料中の蛍光標識されたペプチド（例えば、フルオレセインまたはローダミンによる）の偏光度を測定することによって複合体の形成を検出する。分子量の大きなペプチドまたは本明細書に記載のマルトース結合融合タンパク質などのタンパク質中の、その相補的ＨＲ１またはＨＲ２結合ドメインとペプチドが結合すると蛍光部分の相関時間が変化し、それによって標識したペプチドの蛍光偏光が低下する。
【０１３６】
もう１つのスクリーニングアッセイでは、ＤＰ１７８／ＤＰ１０７複合体に特異的に反応する抗体（すなわち、単独ではＤＰ１７８もＤＰ１０７も認識しない抗体）を用いて免疫量論的に測定した場合に、ＤＰ１７８／ＤＰ１０７の相互作用を崩壊させる能力について試験化合物をアッセイしてもよい。かかるアッセイは競合アッセイとして機能し、当業者に十分公知の技術に基く。
【０１３７】
上記の競合アッセイは限定されるものではなく、例として記載されるものであるが、ＤＰ１７８およびＭ４１Δ１７８ペプチドを用い、および下記の第８節に示される実施例に記載のヒト組換えＦａｂ、Ｆａｂ−ｄによって免疫量論的にＤＰ１７８／Ｍ４１Δ１７８複合体を視覚化し、これら２つのペプチドにより生じた複合体の崩壊について試験化合物をアッセイする。Ｍ４１Δ１７８は欠失させたＤＰ１７８ドメインを有するｇｐ４１領域を含有するマルトース結合融合タンパク質であり、下記第８節に示される実施例に記載されている。
【０１３８】
かかるアッセイの利用すれば、Ｍ４１Δ１７８をマイクロタイターウェルなどの固相支持体上に固定化できる。次いで試験化合物の希釈系を、一定濃度のＤＰ−１７８ペプチドの存在下でＭ４１Δ１７８を入れた各ウェルに添加する。例えば室温で１時間のインキュベーションの後、結合していないＤＰ−１７８および試験化合物をウェルから除去し、次いでウェルをＤＰ１７８／Ｍ４１Δ１７８に特異的なＦａｂ−ｄ抗体とともにインキュベートする。インキュベーションおよび洗浄の後、結合していないＦａｂ−ｄをプレートから除去し、結合したＦａｂ−ｄを定量する。阻害剤を含まない対照も実施すべきである。ＤＰ１７８／Ｍ４１Δ１７８複合体形成の崩壊能を示す試験化合物を、その濃度に依存したＦａｂ−ｄ結合レベルの低下によって同定する。
【０１３９】
かかるアッセイの変形を利用して、ＤＰ１７８結合の競合物についての阻害定数を有するリガンドの結合定数を決定するため、Ｍ４１Δ１７８と結合するＤＰ１７８を直接測定できる迅速かつ高処理能の結合アッセイを行なってもよい。
【０１４０】
かかるアッセイは一般に認められている放射能リガント結合原理および受容体結合原理を利用している。（例えば、Ｙａｍａｍｕｒａ， Ｈ． Ｔ． ｅｔ ａｌ．， １９８５， “Ｎｅｕｒｏｔｒａｎｓｍｉｔｔｅｒ Ｒｅｃｅｐｔｏｒ Ｂｉｎｄｉｎｇ”， ２ｎｄ ｅｄ．， Ｒａｖｅｎ Ｐｒｅｓｓ， ＮＹ参照。）上記のように、Ｍ４１Δ１７８をマイクロタイターウェルなどの固相支持体上で固定化する。次いで１２５Ｉ−ＤＰ１７８として結合しているＤＰ１７８画分を測定し、標識された各ＤＰ１７８調製物について求めた比活性（ｄｐｍ／μｇペプチド）の値を用いて総結合量を算出することにより、Ｍ４１Δ１７８に結合しているＤＰ１７８を定量する。Ｍ４１Δ１７８への特異的結合は、マイクロタイターウェル中における標識されたＤＰ１７８調製物の結合（総量）と、これに加えて過剰の標識されていないＤＰ１７８を含有する同一ウェル中での結合（非特異的量）との差として定義される。
【０１４１】
天然型ＤＰ１７８およびＤＰ１０７への結合親和性が極めて高いことから（別種からの天然型ＤＰ１７８様およびＤＰ１０７様ペプチドを含む；例えばＨＩＶ−１中のＤＰ１７８は１０ｎＭ、またＲＳＶ中のＴ１１２は２ｎＭ）、試験化合物はＤＰ１７８／ＤＰ１０７結合相互作用を妨げるまたは崩壊させる高い結合特性を示すに違いない。従って、上記競合アッセイの別の限定されない実施例では、かかるアッセイは、非修飾型の「親ペプチド」に比例して結合親和性が低くなった「修飾型」ＤＰ１０７および／またはＤＰ１７８ペプチド（例えば、ＤＰ１０７および／またはＤＰ１７８類似体）を用いて実施できる。かかる修飾型ＤＰ１０７およびＤＰ１７８ペプチドの使用すると、阻害可能性のあるより多くの化合物を同定することにより本発明の競合アッセイの感度が著しく向上する。次いでアッセイにおいて同定された化合物の結合親和性を、例えば薬化学の標準技術を用いて最適化して、ＤＰ１０７／ＤＰ１７８複合体形成のより強力な阻害剤であって、それにより例えば抗ウイルス剤として有用な化合物を作出することができる。あるいは、結合親和性の低下したＤＰ１０７および／またはＤＰ１７８類似体を用いた競合アッセイで同定された化合物は、それ自身、例えば抗ウイルス剤として有用である。
【０１４２】
本明細書で用いる「低親和性」とは、競合アッセイ条件下で相互作用してＤＰ１０７／ＤＰ１７８ペプチド対、ＨＲ１／ＤＰ１７８対、またはＨＲ２／ＤＰ１０７対を形成するが、その「パートナー」と相互作用して低結合親和性ペプチドが由来するＤＰ１０７またはＤＰ１７８「親」ペプチドよりも親和性の低下した対を形成するＤＰ１０７、ＤＰ１７８、ＤＰ１０７様またはＰ１７８様ペプチドをさす。
【０１４３】
一般に、ペプチドの結合親和性はＢ５０値、すなわち、与えられた一連の条件下でペプチド分子の５０％がそれらの標的に結合するのに必要なペプチド濃度で表せる。好ましくは、低親和性ペプチドのＢ５０値は、それが由来する非修飾型ペプチドのＢ５０値の少なくとも２倍、より好ましくは少なくとも５倍、少なくとも１０倍、少なくとも２０倍、または少なくとも１００倍である。
【０１４４】
結合親和性の低下した修飾型ＤＰ１０７およびＤＰ１７８ペプチドは、当業者であれば容易かつ明らかないくつかの技術によって作出できる。例えば、ある実施形態では、結合親和性の低下した修飾型ＤＰ１０７およびＤＰ１７８ペプチドは、それぞれ末端切断型ＤＰ１０７およびＤＰ１７８ペプチドを生成することによって作出できる。かかるペプチドは常法にて合成し、例えば上記のスクリーニングアッセイによって試験してその標的への結合親和性を測定することができる。例えば、下記第３０節に示す実施例で記載されるように、天然型ＲＳＶ ＤＰ１７８様ペプチドＴ１１２の長さをアミノ酸残基３５個から２８個に減らすと、結合親和性においては５倍の低下になる（１ｎＭから５ｎＭ）。一般に、かかる末端切断は１、２、３、４、５、６、７、８、９、または１０個のアミノ酸残基であってよい。
【０１４５】
あるいは、結合親和性の低下した修飾型ＤＰ１０７およびＤＰ１７８ペプチドはアミノ酸残基の同定および置換、挿入または欠失によって同定および作出できる。例えばある実施形態では、以下の第３０節に示される実施例でも証明されているが、修飾型ＤＰ１０７および／またはＤＰ１７８ペプチドは常法にて合成し、別のアミノ酸残基を有する天然型ＤＰ１０７またはＤＰ１７８ペプチドの１以上のアミノ酸残基を系統的に置換し、得られたペプチドの結合親和性を本明細書に記載されたような技術によって試験することにより、低結合親和性に関するアッセイを行ってもよい。好ましくは、置換アミノ酸残基はアラニンまたはグリシンなどの比較的小さな側鎖を呈する中性のアミノ酸残基である。
【０１４６】
かかる置換により、「鍵」となるアミノ酸残基を同定でき、本発明の競合アッセイで用いることができる。あるいは、かかる系統的置換による、鍵となる残基の同定においては、鍵となる残基は別の残基に変更することができ、得られた修飾型ペプチドの結合親和性を試験することができる。
【０１４７】
また、結合親和性の低下した修飾型ＤＰ１０７および／またはＤＰ１７８ペプチドはさらに、当業者に十分公知のタンパク質化学および設計の原理を用いて同定できる。特に、かかる原理を、例えば、ペプチドの可溶性、結合親和性または安定性に影響をもたらす天然型ＤＰ１０７またはＤＰ１７８配列のアミノ酸残基の同定に用いてもよい。従って、当業者ならば、例えばアミノ酸化学およびタンパク質設計の公知の原理を用いて、天然型ＤＰ１０７またはＤＰ１７８ペプチドにおけるペプチド構造に影響を与えるアミノ酸残基を同定できるであろう。
【０１４８】
５．７  医薬製剤、用量および投与方式
本発明のペプチドは当業者に十分公知の技術を用いて投与してよい。好ましくは、薬剤は全身用に製剤化および投与する。製剤化および投与に関する技術は”Ｒｅｍｉｎｇｔｏｎ’ｓ Ｐｈａｒｍａｃｅｕｔｉｃａｌ Ｓｃｉｅｎｃｅｓ”， １８ｔｈ ｅｄ．， １９９０， Ｍａｃｋ Ｐｕｂｌｉｓｈｉｎｇ Ｃｏ．， Ｅａｓｔｏｎ， ＰＡ．に見出せる。好適な経路としては、経口、直腸、経粘膜、腸管投与；筋肉内、皮下、髄内注射、ならびに鞘内、直接脳室内、静脈内、腹膜内、鼻腔内、または眼内注射をはじめとする非経口投与などが挙げられる。注射用には、本発明の薬剤は水溶液、好ましくはハンクス液、リンゲル液などの生理学的に適合性のあるバッファーまたは生理食塩水バッファー中に製剤化してもよい。かかる経粘膜投与用には、浸透させる障壁に適した浸透剤を製剤中に使用する。かかる浸透剤は当分野一般に公知である。
【０１４９】
本発明のペプチドの細胞内投与または別の阻害剤が好ましい例では、当業者に十分公知の技術を利用すればよい。例えば、かかる薬剤はリポソームに封入した後に上記の通り投与してもよい。リポソームは内部が水性である球状の脂質二重層である。リポソーム形成時に水性溶液中に存在する全ての分子が水性内部中に組み込まれる。リポソームの内容物は外界の微環境から保護される上、リポソームは細胞膜と融合するので細胞質内に効果的に送達される。さらに、その疎水性のため、小分子を投与する場合、直接細胞内投与が達成できる。
【０１５０】
細胞内投与する本発明のペプチドをコードするヌクレオチド配列は、当業者に十分公知の技術を用いて目的の細胞内で発現させることができる。かかるヌクレオチド配列の標的細胞集団への送達および発現には、例えば、レトロウイルス、ワクシニアウイルス、アデノ随伴ウイルス、ヘルペスウイルス、またはウシ乳頭腫ウイルスなどのウイルスに由来する発現ベクターを用いてもよい。かかるベクターの構築方法および発現構築物は十分公知である。例えば、Ｓａｍｂｒｏｏｋ ｅｔ ａｌ．， １９８９， Ｍｏｌｅｃｕｌａｒ Ｃｌｏｎｉｎｇ， Ａ Ｌａｂｏｒａｔｏｒｙ Ｍａｎｕａｌ， Ｃｏｌｄ Ｓｐｒｉｎｇ Ｈａｒｂｏｒ Ｐｒｅｓｓ， Ｃｏｌｄ Ｓｐｒｉｎｇ Ｈａｒｂｏｒ ＮＹ、およびＡｕｓｕｂｅｌ ｅｔ ａｌ．， １９８９， Ｃｕｒｒｅｎｔ Ｐｒｏｔｏｃｏｌｓ Ｉｎ Ｍｏｌｅｃｕｌａｒ Ｂｉｏｌｏｇｙ， Ｇｒｅｅｎｅ Ｐｕｂｌｉｓｈｉｎｇ Ａｓｓｏｃｉａｔｅｓ ａｎｄ Ｗｉｌｅｙ Ｉｎｔｅｒｓｃｉｅｎｃｅ， ＮＹ参照。
【０１５１】
ＨＩＶに関しては、本発明のペプチド、特にＤＰ１０７およびＤＰ１７８はエイズの治療の際の治療薬として用いることができる。さらにこのペプチドはＨＩＶウイルスへの急性曝露後のまだ感染していない個体における予防手段として用いることができる。このペプチドのかかる予防的用法の例としては、限定されるものではないが、ウイルスの母子感染、および、例えば作業者がＨＩＶを含有する血液製剤に曝されるような保健医療環境での事故など、他のＨＩＶ感染の起こりそうな環境でのウイルス感染の予防が挙げられる。かかる治療用途における成功は、かかるペプチドに向けられる宿主免疫応答の生起によるものではない。
【０１５２】
本発明のペプチドの有効な投与量は、生物学的半減期、バイオアベラビリティ、および毒性などのパラメーターを扱う、当業者に十分公知の手法によって決定できる。下記第６節に示したデータでは、例えば、ＤＰ１７８はペプチド１ｍｌあたり約１から約１０ｎｇの循環レベルに達するのに必要とされる用量で、ｉｎ ｖｉｖｏで効果があることを立証している。
【０１５３】
治療上有効量とは、患者の症状の緩和または延命をもたらすに十分な化合物量をさす。かかる化合物の毒性および治療効果は、細胞培養または実験動物における、例えばＬＤ５０（集団の５０％を致死させる量）およびＥＤ５０（集団の５０％に対して治療上有効な量）を求めるための標準的な医薬手法によって決定することができる。毒性と治療効果との間の用量比が治療指数であり、ＬＤ５０／ＥＤ５０比として表すことができる。大きな治療指数を示す化合物が好ましい。これらの細胞培養アッセイおよび動物研究から得られたデータはヒトに用いるために一定範囲の用量を処方するのに使用できる。かかる化合物の用量は、ほとんどまたは全く毒性のないＥＤ５０を含む一定範囲の循環濃度にあるのが好ましい。用量は、用いる剤形および利用する投与経路に応じてこの範囲内で可変である。本発明の方法に用いられるいずれの化合物であっても、治療上有効量はまず細胞培養アッセイから評価することができる。用量は、細胞培養で決定したＩＣ５０（例えば、ウイルス感染の最大半分の阻害といった膜融合事象を、試験化合物の不在下と比較して、最大半分阻害するような試験化合物の濃度）を含む循環血漿濃度範囲を、動物モデルにおいて達成するように処方すればよい。かかる情報を用いてヒトおいて有用な量をより正確に決定することができる。血漿中のレベルは、例えば、高速液体クロマトグラフィー（ＨＰＬＣ）によって測定してもよい。
【０１５４】
本発明のペプチドは、さらに予防ワクチンの役割を果たし、そこでは宿主が本発明のペプチドに対する抗体を生起し、ひいては例えばさらなるＨＩＶ感染を阻害することでＨＩＶウイルスを中和するのに役立つ。
【０１５５】
従って予防ワクチンとしての本発明のペプチドの投与は、例えば、感染細胞に対するＨＩＶの能力を阻害することによってＨＩＶを中和するのに十分な免疫応答を生じさせるのに有効なペプチド濃度を宿主に投与することを含んでなる。正確な濃度は投与する特定のペプチドによって異なるが、当業者に十分公知の免疫応答の生起をアッセイする標準技術を用いて決定すればよい。ワクチンとして用いられるペプチドは通常、筋肉投与される。
【０１５６】
このペプチドは免疫応答を増強するために好適なアジュバントとともに製剤化してもよい。かかるアジュバントとしては、限定されるものではないが、水酸化アルミニウムなどの鉱物ゲル；リソレシチン、プルロニックポリオール、ポリアニオンなどの界面活性物質；他のペプチド；油性エマルション；およびＢＣＧおよびコリネバクテリウム・パルブムなど潜在的に有効なヒトアジュバントが挙げられる。本明細書に記載のワクチン製剤を導入するには多くの方法が用い得る。これらの方法としては、限定されるものではないが、経口、皮内、筋肉内、腹膜内、静脈内、皮下および鼻腔内の経路が挙げられる。
【０１５７】
あるいは、非感染細胞がＨＩＶに感染しないように、本発明のペプチドに対して作製された有効濃度のポリクローナルまたはモノクローナル抗体を宿主へ投与してもよい。かかる抗体の正確な濃度は特定の抗体調製法の各々で異なるが、当業者に十分公知の標準技術を用いて決定し得る。抗体の投与は、限定されるものではないが、本節に記載のものをはじめ種々の技術を用いて達成し得る。
【０１５８】
上記の治療の全てについて、正確な製剤、投与経路および用量は個々の医師が患者の症状を考慮して選択してよい。（例えば、Ｆｉｎｇｌ ｅｔ ａｌ．， １９７５の “Ｔｈｅ Ｐｈａｒｍａｃｏｌｏｇｉｃａｌ Ｂａｓｉｓ ｏｆ Ｔｈｅｒａｐｅｕｔｉｃｓ”， Ｃｈ． １ ｐ１参照）
主治医は毒性または臓器の機能不全から投与の終了、中断、または調整の仕方および時機を知っていることを念頭に置くべきである。逆に言えば、主治医はまた、臨床応答が適切でなかった場合には、より高レベルに治療を調節することも知っている（毒性の排除）。注目される発癌性疾患の治療における投与量の程度は、治療される病状の重篤度および投与経路によって異なる。用量および、おそらくは投与頻度も個々の患者の年齢、体重および応答に応じて異なる。上記の考察に匹敵する計画を獣医学に用いてもよい。
【０１５９】
本発明の実施ために本明細書に開示された化合物を、全身投与に好適な用量で製剤化するために薬学上許容される担体を使用することもまた本発明の範囲内にある。担体の適正な選択および好適な製造により、本発明の組成物、特に溶液として製剤化された組成物は、静脈内注射など非経口で投与してよい。この化合物は、当業者に十分公知の薬学上許容される担体を用い、経口投与に好適な用量に容易に製剤化できる。かかる担体により本発明の化合物を、治療される患者の経口摂取のための錠剤、丸薬、カプセル剤、液剤、ゲル剤、シロップ剤、スラリー剤、懸濁剤などとして製剤化することができる。
【０１６０】
本発明での使用に好適な医薬組成物は、有効成分が意図される目的を達成するのに有効な量で含有する組成物を含む。有効量の決定は、特に、本明細書で示される詳細な開示を考慮すれば十分当業者の能力の範囲内である。
【０１６１】
有効成分に加え、これらの医薬組成物は、活性化合物の医薬上使用可能な製剤への加工を容易にする賦形剤および補助剤を含む医薬上許容される好適な担体を含んでもよい。経口投与用に製剤化される製剤とは、錠剤、糖衣錠、カプセル、または溶液の形態をとってもよい。
【０１６２】
本発明の医薬組成物はそれ自体公知の方法、例えば、従来の混合、溶解、造粒、糖衣錠形成、磨砕、乳化、カプセル化、包含、または凍結乾燥製法により製造しうる。
【０１６３】
非経口投与用の医薬製剤には水溶性形態の活性化合物の水溶液が挙げられる。さらに、活性化合物の懸濁液を適当な油性注射用懸濁液として製造してもよい。好適な親油性溶媒またはビヒクルとしては、ゴマ油などの脂肪油、またはオレイン酸エチルもしくはトリグリセリドなどの合成脂肪酸エステル、またはリポソームが挙げられる。水性注射用懸濁液には、ナトリウムカルボキシメチルセルロース、ソルビトール、またはデキストランなど、懸濁液の粘度を高める物質を含んでもよい。場合により、この懸濁液はまた、高濃度溶液の製造を可能にするために好適な安定剤または化合物の可溶性を高める薬剤を含んでもよい。
【０１６４】
経口用の医薬製剤は活性化合物と固体賦形剤を併せ、場合により得られた混合物を粉砕し、所望により好適な補助剤を添加した後に顆粒混合物を加工することにより、錠剤または糖衣錠核として得られる。好適な賦形剤は、特に、ラクトース、スクロース、マンニトールもしくはソルビトールをはじめとする糖類；例えば、トウモロコシデンプン、コムギデンプン、コメデンプン、ジャガイモデンプン、ゼラチン、トラガカントゴム、メチルセルロース、ヒドロキシプロピルメチルセルロース、ナトリウムカルボキシメチルセルロース、および／またはポリビニルピロリドン（ＰＶＰ）などのセルロース製剤のような増量剤がある。所望により、架橋ポリビニルピロリドン、寒天、またはアルギン酸もしくはその塩（アルギン酸ナトリウムなど）のような崩壊剤を加えてもよい。
【０１６５】
糖衣錠核には好適なコーティングを施す。この目的には濃縮砂糖溶液を用いることができ、これは場合によりアラビアガム、タルク、ポリビニルピロリドン、カルボポールゲル、ポリエチレングリコール、および／または二酸化チタン、ラッカー溶液、ならびに好適な有機溶媒または溶媒混合物を含んでもよい。活性化合物量の種々の組合せを識別または特徴づけるために染料および色素を錠剤または糖衣錠のコーティングに加えてもよい。
【０１６６】
経口用として使用できる医薬製剤には、ゼラチン製のプッシュ・フィットカプセル剤、ならびにゼラチンと、グリセロールまたはソルビトールなどの可塑剤とからなる密閉軟カプセル剤がある。プッシュ・フィットカプセルは、ラクトースなどの増量剤、デンプンなどの結合剤、および／またはタルクもしくはステアリン酸マグネシウムなどの滑沢剤、および場合により安定剤と混合して有効成分を含むことができる。軟カプセル剤では、活性化合物は脂肪油、液体パラフィン、または液体ポリエチレングリコールなどの好適な液体に溶解または懸濁していてもよい。さらに、安定剤を加えてもよい。
【０１６７】
６．  実施例：ＤＰ１７８（配列番号１）はＨＩＶ−１感染の有効な阻害剤である
本実施例ではＤＰ１７８（配列番号１）がＨＩＶ−１に媒介されるＣＤ−４＋細胞間融合および細胞を含まないウイルスによる感染の有効な阻害剤であることが示される。融合アッセイでは、このペプチドは１〜１０ｎｇ／ｍｌの濃度で、ウイルスにより誘導されるシンシチウム形成を完全に阻害する。感染力アッセイでは、阻害濃度はいく分高く、９０ｎｇ／ｍｌで感染を阻害する。さらに、ＤＰ１７８（配列番号１）はＤＰ１７８（配列番号１）の抗ウイルス活性が極めてＨＩＶ−１に特異的であることを示す。さらにまた、ＨＩＶ−１由来ＤＰ１７８相同体である合成ペプチドＤＰ−１８５（配列番号３）もＨＩＶ−１に媒介されるシンシチウム形成を阻害することが分かる。
【０１６８】
６．１  材料および方法
６．１．１  ペプチド合成
ペプチドはＡｐｐｌｉｅｄ Ｂｉｏｓｙｓｔｅｍｓ Ｍｏｄｅｌ ４３１ＡペプチドシンセサイザーにてＦａｓｔ Ｍｏｃ化学を用いて合成した。一般に、特に断りのない限り、ペプチドはアミド化カルボキシ末端とアセチル化アミノ末端を含んだ。アミド化ペプチドはＲｉｎｋ樹脂（Ａｄｖａｎｃｅｄ Ｃｈｅｍｔｅｃｈ）を用いて製造し、一方、遊離のカルボキシ末端を含むペプチドはＷａｎｇ（ｐ−アルコキシ−ベンジル−アルコール）樹脂（Ｂａｃｈｅｍ）上で合成した。最初の残基を適当な樹脂に二重結合させ、次ぎの残基を一重結合させる。各結合ステップの後に無水酢酸でキャップする。ペプチドはトリフルオロ酢酸（ＴＦＡ）（１０ｍｌ）、Ｈ２Ｏ（０．５ｍｌ）、チオアニソール（０．５ｍｌ）、エタンジチオール（０．２５ｍｌ）および結晶フェノール（０．７５ｇ）で処理することで樹脂から切断した。精製は逆相ＨＰＬＣで行った。粗ペプチドのサンプル約５０ｍｇをＷａｔｅｒｓ Ｄｅｌｔａ Ｐａｋ Ｃ１８カラム（１９ｍｍ ｘ ３０ｃｍ， １５μ球形）にて直線的勾配（Ｈ２Ｏ／アセトニトリル０．１％ＴＦＡ）でクロマトグラフィーに付した。凍結乾燥したペプチドを乾燥保存し、約１ｍｇ／ｍｌでペプチド水溶液を製造した。エレクトロスプレー質量分析法では以下の結果が得られた：ＤＰ１７８（配列番号１）： ４４９１．８７（理論値４４９１．９４）； ＤＰ−１８０（配列番号２）： ４４９１．４５（理論値４４９１．９４）； ＤＰ−１８５（配列番号３）：実施せず（理論値４５４６．９７）。
【０１６９】
６．１．２．  ウイルス
Ｒ．Ｇａｌｌｏ（Ｐｏｐｏｖｉｃ， Ｍ．ら， １９８４， Ｓｃｉｅｎｃｅ ２２４：４９７−５０８）からＨＩＶ−１ＬＡＩウイルスを入手し、１０％ウシ胎児血清を含むＲＰＭＩ１６４０中で培養したＣＥＭ細胞内で繁殖させた。感染させたＣＥＭ細胞から得た上清を０．２μｍフィルターを通し、ウイルス複製を支持するＡＡ５細胞系を用いた微量感染力アッセイ（ｍｉｃｒｏｉｎｆｅｃｔｉｖｉｔｙ ａｓｓａｙ）で感染力価を調べた。このために、ウイルスの連続希釈液２５μｌを、９６ウェル・マイクロタイタープレート中の７５μｌのＡＡ５細胞に、２×１０５／ｍｌの濃度で添加した。各ウイルス希釈液を３連で試験した。２日毎に新しい培地を加えて、細胞を８日間培養した。感染後８日目に、上清サンプルを、ウイルス複製について試験した。これは、該上清に放出される逆転写酵素活性により確認される。ＲｅｅｄおよびＭｕｅｎｃｈの公式（Ｒｅｅｄ， Ｌ．Ｊ．ら， １９３８， Ａｍ． Ｊ． Ｈｙｇ． ２７：４９３−４９７）に従って、ＴＣＩＤ５０を計算した。これらの試験で使用したＨＩＶ−１ＬＡＩおよびＨＩＶ−１ＭＮ保存試料の力価は、ＡＡ５細胞系で測定したところ、それぞれ約１．４×１０６および３．８×１０４ＴＣＩＤ５０／ｍｌであった。
【０１７０】
６．１．３．  細胞融合アッセイ
９６ウェルプレート（半面クラスタ・プレート（ｏｎｅ−ｈａｌｆ ａｒｅａ ｃｌｕｓｔｅｒ ｐｌａｔｅ）；Ｃｏｓｔａｒ， Ｃａｍｂｒｉｄｇｅ， ＭＡ）中で、すでに記載されている（Ｍａｔｔｈｅｗｓ， Ｔ．Ｊ．ら， １９８７， Ｐｒｏｃ． Ｎａｔｌ． Ａｃａｄ． Ｓｃｉ． ＵＳＡ ８４： ５４２４−５４２８）ように、約７×１０４個のＭｏｌｔ細胞を、ＨＩＶ−１ＬＡＩウイルスに慢性感染した１×１０４個のＣＥＭ細胞と共に、最終容量１００μｌの培地中でインキュベートした。容量１０μｌのペプチド阻害剤を加え、細胞混合物を３７℃にて２４時間インキュベートした。このとき、１つの視野でウェル全体を見ることができる倍率４０×での顕微鏡観察により、多核巨細胞を調べた。
【０１７１】
６．１．４．  無細胞ウイルス感染アッセイ
合成ペプチドを２４７ＴＣＩＤ５０ユニット（図２に示した実験）もしくは６２ＴＣＩＤ５０ユニット（図３に示した実験）のＨＩＶ−１ＬＡＩウイルスまたは２５ＴＣＩＤ５０ユニットのＨＩＶ−２ＮＩＨＺおよびＣＥＭ ＣＤ４＋細胞と共に、０、０．０４、０．４、４．０および４０μｇ／ｍｌのペプチド濃度で３７℃にて７日間インキュベートした。得られた逆転写酵素（ＲＴ）活性（カウント／分）を以下の第６．１．５節に記載するアッセイを用いて測定した。ＴＣＩＤ５０の算出の説明についてはＲｅｅｄ， Ｌ．Ｊ．ら， １９３８， Ａｍ． Ｊ． Ｈｙｇ． ２７：４９３−４９７を参照されたい。
【０１７２】
６．１．５．  逆転写酵素アッセイ
微量逆転写酵素（ＲＴ）アッセイはＧｏｆｆら（Ｇｏｆｆ， Ｓ．ら， １９８１， Ｊ． Ｖｉｒｏｌ． ３８：２３９−２４８）およびＷｉｌｌｅｙら（Ｗｉｌｌｅｙ， Ｒ．ら， １９８８， Ｊ． Ｖｉｒｏｌ． ６２：１３９−１４７）の記載内容を採用した。ウイルス／細胞培養物から得た得た上清を１％Ｔｒｉｔｏｎ−Ｘ１００に調節した。上清のサンプル１０μｌを９６ウェルＵ底マイクロタイタープレート中のＲＴカクテル５０μｌに加え、サンプルを３７℃にて９０分間インキュベートした。ＲＴカクテルは、７５ｍＭ ＫＣｌ、２ｍＭジチオトレイトール、５ｍＭ ＭｇＣｌ２、５μｇ／ｍｌポリＡ（Ｐｈａｒｍａｃｉａ、カタログ番号２７−４１１０−０１）、０．２５ユニット／ｍｌオリゴｄＴ（Ｐｈａｒｍａｃｉａ、カタログ番号２７−７８５８−０１）、０．０５％ ＮＰ４０、５０ｍＭ Ｔｒｉｓ−ＨＣｌ、ｐＨ７．８、０．５μＭ非放射能ｄＴＴＰ、および１０μＣｉ／ｍｌ ３２Ｐ−ｄＴＴＰ（Ａｍｅｒｓｈａｍ、カタログ番号ＰＢ．１０１６７）を含んでいた。
【０１７３】
インキュベート後、反応混合物４０μｌを、１枚のＧＢ００３（Ｓ＋Ｓ）ろ紙上のＳ＋Ｓミニホルド（Ｍｉｎｉｆｏｌｄ）中に入った２×ＳＳＣバッファー（０．３Ｍ ＮａＣｌおよび０．００３Ｍクエン酸ナトリウム）飽和ＳｃｈｌｅｉｃｈｅｒおよびＳｃｈｕｅｌｌ（Ｓ＋Ｓ）ＮＡ４５膜（またはＤＥ８１紙）に、部分減圧下にて添加した。完全な真空下にてミニホルドの各ウェルを２００μｌの２×ＳＳＣで４回洗浄した。この膜をミニホルドから取外し、パイレックス皿の中で過剰量の２×ＳＳＣでさらに２回洗浄した。最後に、吸収紙上で膜の水気をきり、Ｗｈａｔｍａｎ ＃３紙上に載せ、サランラップを被せて、−７０℃にて一晩フィルムに露光した。
【０１７４】
６．２．  結果
６．２．１．  感染細胞誘導性シンシチウム形成のペプチドによる阻害
抗ウイルス活性についての最初のスクリーニングで、非感染Ｍｏｌｔ４細胞をＨＩＶ−１に慢性感染したＣＥＭ細胞と一緒に１晩共培養することにより誘導されるシンシチウム形成を遮断するペプチドの能力を分析した。このような幾つかの実験の結果をこの節において記載する。これらの実験のうち最初の実験では、ＤＰ１７８（配列番号１）ペプチドを１０μｇ／ｍｌ〜１２．５ｎｇ／ｍｌの一連の濃度で細胞融合プロセスの遮断について試験した。これらの実験では、ＨＩＶ−１ＬＡＩ、ＨＩＶ−１ＭＮ、ＨＩＶ−１ＲＦまたはＨＩＶ−１ＳＦ２ウイルスのいずれかに慢性感染したＣＥＭ細胞を、非感染Ｍｏｌｔ４細胞と一緒に、一晩共培養した。結果（図４）は、使用した最低濃度のＤＰ１７８（配列番号１）までのＤＰ１７８（配列番号１）が、ＨＩＶ−１単離株の各々に対して完全な保護を提供したことを示す。ＨＩＶＬＡＩ阻害については、試験した最低濃度は１２．５ｎｇ／ｍｌであり、他の全てのＨＩＶ−１ウイルスについては、この研究で使用したＤＰ１７８（配列番号１）の最低濃度は１００ｎｇ／ｍｌであった。ＤＰ１７８（配列番号１）と同じアミノ酸残基を含むが無作為な順序で配列された第２のペプチドであるＤＰ−１８０（配列番号２）は、４０μｇ／ｍｌという高い濃度でも抗膜融合（ａｎｔｉ−ｆｕｓｏｇｅｎｉｃ）活性の形跡を示さなかった（図４）。これらの観察結果は、ＤＰ１７８（配列番号１）の阻害効果が主に配列特異的であって、非特異的なペプチド／タンパク質相互作用には関係していないことを示す。ＤＰ１７８阻害作用の実際の終了点（すなわち最も低い有効阻害濃度）は１〜１０ｎｇ／ｍｌの範囲内である。
【０１７５】
次の一連の実験は、ＤＰ１７８（配列番号１）相同体の調製、およびそれがＨＩＶ−１誘導型シンシチウム形成を阻害する能力についての試験に関するものであった。図１に示すように、ＤＰ−１８５（配列番号３）の配列はＤＰ１７８（配列番号１）とは僅かに異なり、その一次配列はＨＩＶ−１ＳＦ２単離株から取り出したものであり、ＤＰ１７８（配列番号１）と比較するとＮ末端付近に幾つかのアミノ酸の違いを含む。図４に示すように、ＤＰ−１８５（配列番号３）は、試験した最低濃度である３１２．５ｎｇ／ｍｌでも阻害活性を示す。
【０１７６】
次の一連の実験は、ＤＰ１７８（配列番号１）のＨＩＶ−１およびＨＩＶ−２阻害活性の比較に関するものであった。図５に示すように、ＤＰ１７８（配列番号１）は、１ｎｇ／ｍｌ未満のペプチド濃度でＨＩＶ−１媒介型シンシチウム形成を遮断した。しかし、ＤＰ１７８（配列番号１）は、１０μｇ／ｍｌもの高い濃度であってもＨＩＶ−２媒介型シンシチウム形成を遮断できなかった。ＨＩＶ−１媒介型細胞融合の阻害剤としてのこの顕著なＤＰ１７８（配列番号１）の１００００倍の選択性は、ＤＰ１７８（配列番号１）の作用における予期しなかったＨＩＶ−１特異性を示す。ＤＰ１７８（配列番号１）はＨＩＶ−１媒介型細胞融合を阻害するが、該ペプチドは試験した濃度において同じ細胞型におけるＨＩＶ−２媒介型細胞融合を阻害することができないという事実は、ＤＰ１７８（配列番号１）の抗ウイルス作用に関する高い選択性を示す更なる証拠を提供する。
【０１７７】
６．２．２．  細胞から遊離したウイルスの感染におけるペプチドによる阻害
次にＤＰ１７８（配列番号１）を、細胞から遊離したＨＩＶ−１ウイルスによるＣＤ−４＋ＣＥＭ細胞感染を遮断するその能力について試験した。図２に示した結果は、ＨＩＶ−１ＬＡＩ単離株によるＣＥＭ細胞の感染を遮断するＤＰ１７８（配列番号１）の能力について分析した実験から得たものである。この実験には、３つの対照ペプチド、ＤＰ−１１６（配列番号９）、ＤＰ−１２５（配列番号８）およびＤＰ−１１８（配列番号１０）が含まれていた。ＤＰ−１１６（配列番号９）は、このアッセイを用いて不活性であることが既に証明されたペプチドであり、ＤＰ−１２５（配列番号８；Ｗｉｌｄ， Ｃ．ら， １９９２， Ｐｒｏｃ． Ｎａｔｌ． Ａｃａｄ． Ｓｃｉ． ＵＳＡ ８９：１０， ５３７）およびＤＰ−１１８（配列番号１０）は、このアッセイにおいて活性であることが既に証明されたペプチドである。各濃度（０、０．０４、０．４、４および４０μｇ／ｍｌ）のペプチドを、２４７ ＴＣＩＤ５０ユニットのＨＩＶ−１ＬＡＩウイルスおよびＣＥＭ細胞と共にインキュベートした。７日間培養した後、感染達成の目安としてＲＴ活性の存在について細胞を含まない上清を試験した。図２に示した結果は、ＤＰ１７８（配列番号１）が９０ ｎｇ／ｍｌという低い濃度で、ＨＩＶ−１ウイルス単離株により媒介されるｄｅ ｎｏｖｏ感染プロセスを阻害したことを示す（ＩＣ５０＝９０ｎｇ／ｍｌ）。これに対し、２つの陽性対照ペプチド、ＤＰ−１２５（配列番号８）およびＤＰ−１１８（配列番号１０）は、６０倍を超える高いＩＣ５０濃度（約５μｇ／ｍｌ）を有していた。
【０１７８】
別の実験では、ＣＥＭ細胞およびＨＩＶ−１ＬＡＩまたはＨＩＶ−２ＮＩＨＺのいずれかを用いてＤＰ１７８（配列番号１）のＨＩＶ−１およびＨＩＶ−２阻害作用を試験した。これらの実験において、６２ＴＣＩＤ５０ ＨＩＶ−１ＬＡＩまたは２５ ＧＣＩＤ５０ ＨＩＶ−２ＮＩＨＺを用い、７日間インキュベートした。図３を見ると分かるように、ＤＰ１７８（配列番号１）は、約３１ｎｇ／ｍｌのＩＣ５０でＨＩＶ−１感染を阻害した。これに比して、ＤＰ１７８（配列番号１）は、ＨＩＶ−２ＮＩＨＺに対してずっと高いＩＣ５０を示し、従って、ＤＰ１７８（配列番号１）は、ＨＩＶ−２阻害剤としてよりもＨＩＶ−１阻害剤としての効力が１００倍高いものとなっている。この発見は、上記第６．２．１節で記載した融合阻害アッセイの結果と一致し、有意なレベルの選択性（すなわちＨＩＶ−２よりもＨＩＶ−１に対して）をさらに裏付けている。
【０１７９】
７．  実施例：ＨＩＶ−１阻害剤ＤＰ１７８（配列番号１）は非細胞傷害性である
この実施例において、３６アミノ酸の合成ペプチド阻害剤であるＤＰ１７８（配列番号１）は、試験した最高ペプチド濃度（４０μｇ／ｍｌ）であっても、培養中の細胞に対して非細胞傷害性であることが示されている。
【０１８０】
７．１．  材料および方法
細胞増殖および毒性アッセイ：各ペプチド濃度に対して約３．８×１０５個のＣＥＭ細胞をＴ２５フラスコ中で３７℃にて３日間インキュベートした。試験したペプチドは、図１に記載するように、ＤＰ１７８（配列番号１）およびＤＰ−１１６（配列番号９）であった。ペプチドは上記第６．１節で記載したように合成した。使用した各ペプチドの濃度は０、２．５、１０、および４０μｇ／ｍｌであった。細胞の計数は、インキュベーション開始後０、２４、４８および７２時間目に行った。
【０１８１】
７．２．  結果
強力なＨＩＶ−１阻害剤であるＤＰ１７８（配列番号１）が細胞傷害性効果を示すか否かについて、培養中の細胞の増殖および生存活性に及ぼす該ペプチドの影響を分析することによって評価した。様々な濃度のＤＰ１７８（配列番号１）またはＨＩＶ阻害剤として効果が無い事が既に分かっているペプチドＤＰ−１１６（配列番号９）（Ｗｉｌｄ， Ｃ．ら， １９９２， Ｐｒｏｃ． Ｎａｔｌ． Ａｃａｄ． Ｓｃｉ． ＵＳＡ ８９：１０， ５３７−１０， ５４１）の存在下で、ＣＥＭ細胞をインキュベートした。さらに、いずれのペプチドも非存在下で細胞をインキュベートした。
【０１８２】
この細胞傷害性試験の結果は、ＤＰ１７８（配列番号１）が培養中の細胞に対して細胞傷害性効果を示さないこを示す。以下の表ＶＩから分かるように、試験した中で最も高い濃度（４０μｇ／ｍｌ）のＤＰ１７８（配列番号１）の存在下で３日間培養した細胞の増殖特性および生存活性特性でさえも、ＤＰ−１１６（配列番号９）または非ペプチド対照と比べて有意な差がなかった。また、細胞増殖データも図６にグラフ形式で示してある。上記第６節の実施例に示したように、ＤＰ１７８（配列番号１）は、１〜１０ｎｇ／ｍｌのペプチド濃度でＨＩＶ−１媒介型シンシチウム形成を完全に阻害し、少なくとも９０ｎｇ／ｍｌの濃度で無細胞ウイルス感染を完全に阻害する。このように、この調査は、ＨＩＶ阻害用量よりも１０００倍を超える高いペプチド濃度であっても、ＤＰ１７８（配列番号１）は細胞傷害性効果を示さないことを示す。
【０１８３】
2004527725.tif 000045
【０１８４】
８．  実施例：ＤＰ１７８およびＤＰ１０７の相互作用
以下に記載する実施例で使用するｇｐ４１の可溶性組換型は、ＤＰ１０７のロイシンジッパーモチーフが作用する相互作用の構造を有するｇｐ４１上の遠位部位にＤＰ１７８ペプチドが会合することを示す証拠を提供する。ロイシンジッパードメインのコイルドコイル構造を破壊する単一の突然変異は、該可溶性組換型ｇｐ４１タンパク質を、ＨＩＶ−１の融合に対する不活性な阻害剤から活性な阻害剤へと変換した。この変換は、ロイシンジッパー、ＤＰ１０７、決定基を有する分子クラスプ（ｍｏｌｅｃｕｌａｒ ｃｌａｓｐ）から強力なＤＰ１７８ドメインが遊離したことにより生じるものであろう。またこの結果は、様々なｇｐ４１誘導体（ペプチドおよび組換えタンパク質）の抗ＨＩＶ活性が、ウイルスｇｐ４１と複合体を形成してその膜融合プロセスを阻害するこれらの能力によるものであることも示している。
【０１８５】
８．１．  材料および方法
８．１．１．  融合タンパク質およびＧＰ４１突然変異体の構築
図７に示した融合タンパク質および突然変異体の構築は以下のように行った：ｇｐ４１の細胞外ドメイン（５４０〜６８６）に対応するＤＮＡ配列を発現ベクターｐＭａｌ−ｐ２（Ｎｅｗ Ｅｎｇｌａｎｄ Ｂｉｏｌａｂ）のＸｍｎ Ｉ部位にクローニングし、Ｍ４１を得た。上流プライマー５’−ＡＴＧＡＣＧＣＴＧＡＣＧＧＴＡＣＡＧＧＣＣ−３’（プライマーＡ）および下流プライマー５’−ＴＧＡＣＴＡＡＧＣＴＴＡＡＴＡＣＣＡＣＡＧＣＣＡＡＴＴＴＧＴＴＡＴ−３’（プライマーＢ）を用いたポリメラーゼ連鎖反応（ＰＣＲ）を使用して、ｐｇｔａｔからｇｐ４１配列を増幅した（Ｍａｌｉｍら， １９８８， Ｎａｔｕｒｅ ３５５： １８１−１８３）。Ｍ４１−Ｐは、Ｕｎｉｔｅｄ Ｓｔａｔｅｓ Ｂｉｏｃｈｅｍｉｃａｌｓ（ＵＳＢ）から市販されているＴ７−Ｇｅｎ ｉｎ ｖｉｔｒｏ突然変異誘発キットを用い、この供給元の指示に従って、構築した。突然変異誘発プライマー（５’−ＧＧＡＧＣＴＧＣＴＴＧＧＧＧＣＣＣＣＡＧＡＣ−３’）は、Ｍ４１中の第５７８位のイソロイシンをプロリンに突然変異させる。欠失突然変異誘発プライマー５’−ＣＣＡＡＡＴＣＣＣＣＡＧＧＡＧＣＴＧＣＴＣＧＡＧＣＴＧＣＡＣＴＡＴＡＣＣＡＧＡＣ−３’（プライマーＣ）を用い、ＵＳＢ Ｔ７−Ｇｅｎ突然変異誘発プロトコールに従って、ＤＰ−１０７領域を欠失させたＭ４１Δ１０７を作製した。ＤＰ−１７８領域を欠失させたＭ４１Δ１７８は、ｇｐ４１アミノ酸５４０−６４２に対応するＤＮＡ断片をｐＭａｌ−ｐ２のＸｍｎ Ｉ部位中にクローニングすることによって作製した。鋳型ｐｇｔａｔを用いたＰＣＲでプライマーＡおよび５’−ＡＴＡＧＣＴＴＣＴＡＧＡＴＴＡＡＴＴＧＴＴＡＡＴＴＴＣＴＣＴＧＴＣＣＣ−３’（プライマーＤ）を用いて、該挿入ＤＮＡ断片を作製した。プライマーＡおよびＤと一緒にＭ４１−Ｐを鋳型としてＰＣＲで使用し、Ｍ４１−ＰΔ１７８を作製した。全ての挿入配列および突然変異残基を制限酵素分析によって調べ、ＤＮＡ配列決定によって確認した。
【０１８６】
８．１．２．  融合タンパク質の精製および特性解析
Ｎｅｗ Ｅｎｇｌａｎｄ Ｂｉｏｌａｂｓ （ＮＥＢ）から入手したタンパク質融合・精製システムの当該製造元のパンフレットに記載されたプロトコールに従って、融合タンパク質を精製した。融合タンパク質（１０ｎｇ）を、８％ＳＤＳポリアクリルアミドゲルで電気泳動により分析した。Ｓａｍｂｒｏｏｋら， １９８９， Ｍｏｌｅｃｕｌａｒ Ｃｌｏｎｉｎｇ： Ａ Ｌａｂｏｒａｔｏｒｙ Ｍａｎｕａｌ， 第２版， Ｃｏｌｄ Ｓｐｒｉｎｇ Ｈａｒｂｏｒ Ｌａｂｏｒａｔｏｒｙ Ｐｒｅｓｓ， Ｃｏｌｄ Ｓｐｒｉｎｇ Ｈａｒｂｏｒ， ＮＹ， Ｃｈ． １８， ｐｐ； ６４−７５に記載されたようにウェスタンブロット分析を行った。１０００倍希釈したＨＩＶ−１陽性血清、またはレパートリークローニングから得られたヒトＦａｂを用いて融合タンパク質と反応させた。第２抗体はＨＲＰ−コンジュゲートヤギ抗ヒトＦａｂであった。ＥＣＬウェスタンブロット検出システム（Ａｍｅｒｓｈａｍ）を用いて結合した抗体を検出した。この検出システムの詳細なプロトコールは、該製造業者によって提供された。レインボー分子量マーカー（Ａｍｅｒｓｈａｍ）を用いて融合タンパク質のサイズを評価した。
【０１８７】
８．１．３．  抗−ＨＩＶ活性についての細胞融合アッセイ
既に記載されている（Ｍａｔｔｈｅｗｓら， １９８７， Ｐｒｏｃ． Ｎａｔｌ． Ａｃａｄ． Ｓｃｉ． ＵＳＡ ８４：５４２４−５４８１）ように細胞融合アッセイを行った。９６ウェル平底半面プレート（Ｃｏｓｔａｒ）中の１００μｌ培地で、ＨＩＶ−１ＩＩＩＢに慢性感染したＣＥＭ細胞（１０４個）と共にＣＥＭ細胞（７×１０４個）をインキュベートした。１０μｌの培地中の様々な濃度のペプチドおよび融合タンパク質を、この細胞混合物と一緒に３７℃にて２４時間インキュベートした。多核シンシチウムを顕微鏡観察により調べた。Ｍ４１およびＭ４１−Ｐは両方とも、試験した濃度（図８に示す）において細胞傷害性を示さなかった。
【０１８８】
ＨＩＶ−１誘導性細胞−細胞融合活性の阻害を、１０ｎＭ ＤＰ１７８および様々な濃度のＭ４１Δ１７８またはＭ４１−ＰΔ１７８（図９に示す）の存在下で行った。１０ｎＭ ＤＰ１７８の存在下でシンシチウムは観察されなかった。対照サンプルにはペプチドまたは融合タンパク質を加えなかった。
【０１８９】
８．１．４． ＧＰ４１のロイシンジッパー・モチーフへのＤＰ１７８の結合のＥＬＩＳＡ分析
使用したＤＰ１７８のアミノ酸配列は：ＹＴＳＬＩＨＳＬＩＥＥＳＱＮＱＱＥＫＮＥＱＥＬＬＥＬＤＫＷＡＳＬＷＮＷＦである。酵素結合免疫測定法（ＥＬＩＳＡ）を行うために、０．１Ｍ ＮａＨＣＯ３、ｐＨ８．６中のＭ４１Δ１７８またはＭ４１−ＰΔ１７８（５μｇ／ｍｌ）で９６ウェルＬｉｎｂｒｏ ＥＬＩＳＡプレート（Ｆｌｏｗ Ｌａｂ， Ｉｎｃ．）を一晩コーティングした。各ウェルを蒸留水で３回洗浄した後、３％ウシ胎児血清アルブミン（ＢＳＡ）で２時間ブロッキングした。ブロッキング後、ＴＢＳＴ（４０ｍＭ Ｔｒｉｓ−ＨＣｌ ｐＨ７．５， １５０ｍＭ ＮａＣｌ， ０．０５％ Ｔｗｅｅｎ ２０）中の０．５％ＢＳＡと共にペプチドをＥＬＩＳＡプレートに加え、室温にて１時間インキュベートした。ＴＢＳＴで３回洗浄した後、Ｆａｂ−ｄにＴＢＳＴ中の０．５％ＢＳＡを１０ｎｇ／ｍｌの濃度で添加した。室温にて１時間インキュベートした後、プレートをＴＢＳＴで３回洗浄した。０．５％ＢＳＡを含むＴＢＳＴで２０００倍希釈したセイヨウワサビペルオキシダーゼ（ＨＲＰ）コンジュゲートヤギ抗ヒトＦａｂ抗血清を各ウェルに加え、室温にて４５分間インキュベートした。次にＴＢＳＴでプレートを４回洗浄した。ペルオキシダーゼ基質ｏ−フェニレンジアミン（２．５ｍｇ／ｍｌ）および０．１５％ Ｈ２Ｏ２を加えて発色させた。室温にて１０分間インキュベートした後、同量の４．５Ｎ Ｈ２ＳＯ４を加えて反応を停止した。反応停止混合物の光学的濃度をマイクロプレートリーダー（Ｍｏｌｅｃｕｌａｒ Ｄｅｓｉｇｎ）で４９０ｎｍにて測定した。結果を図１０に示す。
【０１９０】
８．２．  結果
８．２．１． ｇｐ４１の細胞外ドメイン（ｅｃｔｏｄｏｍａｉｎ）の発現および特性解析
ｇｐ４１の構造および機能における２つのらせん状領域の役割を理解するためのステップとして、ｇｐ４１の細胞外ドメインをマルトース結合融合タンパク質（Ｍ４１）として発現させた（図７）。ｇｐ４１のＮ末端の膜融合ペプチド配列をこの組換タンパク質およびその誘導体から省き、可溶性を向上させた。このマルトース結合タンパク質は、比較的穏やかな非変性条件下において融合タンパク質の精製を容易にした。Ｍ４１可溶性組換ｇｐ４１はグルコシル化されず、膜貫通タンパク質の幾つかの領域（すなわち該融合ペプチドドメイン、膜貫通ドメインおよび細胞内ドメイン）が欠如しており、ｇｐ１２０の非存在下で発現されたので、ＨＩＶ−１ビリオン上の天然型ｇｐ４１の構造を正確に反映するとは期待していなかった。にもかかわらず、精製Ｍ４１は、ヒトモノクローナル抗体との反応性により証明されるある不連続なエピトープ、９８〜６、１２６〜６および５０〜６９（真核生物細胞中で発現される天然型ｇｐ４１上の立体的エピトープに結合することが既に分かっている）を保存する形で折りたたまれていた（Ｘｕら， １９９１， Ｊ． Ｖｉｒｏｌ． ６５：４８３２−４８３８； Ｃｈｅｎ， １９９４， Ｊ． Ｖｉｏｌ． ６８： ２００２−２０１０）。このように、これらの抗体によって確定される天然ｇｐ４１の少なくとも特定の領域は、組換融合タンパク質Ｍ４１においても再現されると思われる。さらにＭ４１は、ｇｐ４１上の立体的エピトープを認識してＨＩＶ−１ビリオンおよびＨＩＶ−１感染細胞に結合するが非感染細胞には結合しないヒト組換えＦａｂ（Ｆａｂ−ｄ）と反応した（ＦＡＣＳにて分析）。Ｍ４１融合タンパク質のらせん状モチーフ（すなわちＤＰ１０７またはＤＰ１７８）の欠失により、Ｆａｂ−ｄとの反応性が失われた。これらの結果は、一次配列の６０アミノ酸によって分断されている両方のらせん状領域がＦａｂ−ｄエピトープを維持するために必要であることを示す。
【０１９１】
８．２．２． ＧＰ４１の組換え細胞外ドメインの抗−ＨＩＶ活性
野生型Ｍ４１融合タンパク質の抗−ＨＩＶ−１活性について試験した。上記に説明したように、ロイシンジッパー（ＤＰ１０７）およびＣ末端の推定ヘリックス（ＤＰ１７８）に対応する合成ペプチドは、強力な抗−ＨＩＶ活性を示す。これらの領域の両方を含むにもかかわらず、組換えＭ４１タンパク質は５０μＭという高い濃度でもＨＩＶ−１誘導性膜融合に影響を及ぼさなかった（下記の表ＶＩＩ）。
【０１９２】
2004527725.tif 000046
【０１９３】
驚くべきことに、単一のアミノ酸置換（ロイシンジッパー・モチーフの真中のイソロイシンがプロリンに代わる置換）によって、抗ウイルス活性を示す融合タンパク質（Ｍ４１−Ｐ）が産生された（表ＸＸＶおよび図８）。表ＸＸＶを見ると分かるように、Ｍ４１−Ｐは、約８５ｎＭでシンシチウム形成を９０％遮断し、約７０ｎＭ濃度でＨＩＶ−１ＩＩＩＢ感染を９０％中和した。Ｍ４１−Ｐの抗ＨＩＶ−１活性は、Ｃ末端のらせん状配列によって媒介されると思われた。なぜなら、Ｍ４１−Ｐからこの領域が欠失すると、不活性な融合タンパク質Ｍ４１−ＰΔ１７８が産生されたからである（表ＸＸＶ）。この解釈は、ＤＰ１７８配列を欠く末端切断された融合タンパク質Ｍ４１Δ１７８が濃度依存的にＤＰ１７８ペプチドの強力な抗融合活性を低下させたことを示す実験によって裏付けられた（図９）。ロイシンジッパーを破壊するプロリンの変異を含む同じ末端切断型融合タンパク質Ｍ４１−ＰΔ１７８は、同様の競合実験において活性ではなかった（図９）。これらの結果は、ＤＰ１７８ペプチドが、野生型ロイシンジッパー配列に依存する相互作用構造を持つｇｐ４１上の第２の部位と会合することを示す。同様の相互作用が野生型融合タンパク質Ｍ４１の中で起こり得り、ＤＰ１７８領域を閉じ込めて抗ウイルス活性に使えないようにする分子内クラスプ（ｃｌａｓｐ）を形成するために機能し得る。
【０１９４】
これら２つのドメイン間の特異的会合は、他のヒトモノクローナルＦａｂ−ｄ試験によっても示される。例えば、Ｆａｂ−ｄはＤＰ１７８ペプチドまたは融合タンパク質Ｍ４１Δ１７８には結合しなかったが、そのエピトープは、これらの２つの試薬を単に一緒に混ぜただけで再構成された（図１０）。この場合も、融合タンパク質Ｍ４１−ＰΔ１７８のロイシンジッパードメインにおけるプロリン突然変異は、同様の混合実験において該エピトープを再構成できなかった。
【０１９５】
９．  実施例：ＤＰ１０７様配列およびＤＰ１７８様配列のコンピュータを用いた同定方法
多数の既知のコイルドコイル配列は文献中に詳しく記載されており、各アミノ酸に対する７残基反復ポジショニング（ｈｅｐｔａｄ ｒｅｐｅａｔ ｐｏｓｉｔｉｏｎｉｎｇ）を含む。コイルドコイルの一覧表は、７残基反復Ａ〜Ｇの７つのアミノ酸の各々を分類する（ｌａｂｅｌ）。アミノ酸ＡおよびＤは疎水性位置になる傾向がある。アミノ酸ＥおよびＧは電荷を帯びる傾向がある。これら４つの位置（Ａ、Ｄ、ＥおよびＧ）は、単量体αヘリックスの両親媒性骨格構造を形成する。２以上の両親媒性ヘリックスの骨格は互いに相互作用して２量体、３量体、４量体等のコイルドコイル構造を形成する。コンピュータ検察モチーフの設計を始めるために、酵母転写因子ＧＣＮ４、インフルエンザウイルス赤血球凝集素ループ３６およびヒト癌原遺伝子ｃ−Ｍｙｃ、ｃ−Ｆｏｓおよびｃ−Ｊｕｎを含む、一連の良く特性解析られたコイルドコイルを選択した。各ペプチド配列毎に、ＡおよびＤの位置における厳密な相同性、およびＢ、Ｃ、Ｅ、ＦおよびＧ位置において除外することができるアミノ酸（何故ならこれらのアミノ酸はこれらの位置では観察されないので）のリストを決定した。ＨＩＶ−１ Ｂｒｕ ＤＰ−１０７（コイルドコイル構造を有することが分かっている）およびＨＩＶ−１ Ｂｒｕ ＤＰ１７８（構造的にまだ画定されていない）のアミノ酸の７残基位置の最も確率の高い可能性を論理的に推理することによって、ＤＰ１０７およびＤＰ１７８配列用にモチーフを設定した。これらの各配列の分析は図１２に記載されている。例えば、ＧＣＮ４のモチーフは以下のように設計した；
１．ＧＣＮ４のＡまたはＤ位置に見られる唯一アミノ酸（標準的な一文字アミノ酸コードを用いる）は［ＬＭＮＶ］であった。
【０１９６】
２．｛ＣＦＧＩＭＰＴＷ｝以外の全てのアミノ酸が、Ｂ、Ｃ、Ｅ、ＦおよびＧ位置で見られた。
【０１９７】
３．従って、ＰＲＥＳＥＡＲＣＨモチーフは以下のように書かれる。
2004527725.tif 000047
【０１９８】
このモチーフの解釈または説明は、「最初のＡの位置に、Ｌ、Ｍ、ＮまたはＶのいずれかが存在しなければならない；ＢおよびＣの位置（次の２つの位置）にはＣ、Ｆ、Ｇ、Ｉ、Ｍ、Ｐ、Ｔ、またはＷ以外の全てが許容される；Ｄの位置ではＬ、Ｍ、ＮまたはＶのいずれかが存在しなければならない； Ｅ、Ｆ、およびＧの位置（次の３つの位置）ではＣ、Ｆ、Ｇ、Ｉ、Ｍ、Ｐ、Ｔ、またはＷ以外の全てが許容される」。この配置は、２８ ｍｅｒモチーフでは４回含まれ、３５ ｍｅｒモチーフでは５回含まれる。次に、基本的なモチーフの鍵となるものは、［ＬＭＮＶ］−｛ＣＦＧＩＭＰＴＷ｝である。残りの詳細に記載されたコイルドコイル配列のためのモチーフの鍵となるものは図１２にまとめられている。
【０１９９】
ＤＰ１０７およびＤＰ１７８のためのモチーフ設計は、７残基反復位置が画定されておらず該ペプチドが両方とも２８残基より長いという事実により、上記２８量体モデル配列とは僅かに異なっていた。図１３は、ＤＰ１０７およびＤＰ１７８両方のための幾つかの可能な配列アラインメントを示し、また、２８量体、３５量体および全長ペプチドに基づいたモチーフ設計を含む。ペプチドが長くなるときに、モチーフの中には僅かな差しか生じないことに留意されたい。一般に、基本ペプチドを長くすると厳密性が低いモチーフができる。これは、ＤＰ１０７様またはＤＰ１７８様の一次アミノ酸配列を同定する可能性（本明細書中において「ヒット”ｈｉｔｓ”」と呼ぶ）を広げるために、非常に有用である。
【０２００】
検索しようとする各タイプのペプチド配列に対して特異性の高いモチーフを作製する以外に、「ハイブリッド」モチーフを作製することも可能である。これらのモチーフは、２以上の非常に厳密なモチーフを「交雑」させて作製し、両方の「起源」モチーフ配列のみならず、「起源」の一方または両方に対して類似性を有するあらゆるペプチド配列を見付け出す、新しい検索アルゴリズムを作製する。例えば、図１４においてＧＣＮ４の「起源」配列をＤＰ−１０７の可能な「起源」モチーフの各々と交配させる。ここで、ハイブリッドモチーフは、両方の起源のＡおよびＤ位置において見られるアミノ酸のすべてを含み、且つ他の位置ではどちらかの起源に見られないアミノ酸の全てを除くものでなければならない。ＧＣＮ４もしくは［ＬＭＮＶ］｛ＣＦＧＩＭＰＴＷ｝とＤＰ１０７（Ｄ位置に１つ目のＬを有する２８量体）もしくは［ＩＬＱＴ］｛ＣＤＦＩＭＰＳＴ｝とを交配させて得られるハイブリッドは、［ＩＬＭＮＱＴＶ］｛ＣＦＩＭＰＴ｝である。ここで、両方のフレーミング（ｆｒａｍｉｎｇ）の可能性および起源のＤＰ−１０７分子の全ペプチド長をカバーする基本ハイブリッドモチーフは２つしか存在しないことに留意されたい。図１５は、ＤＰ１７８とＧＣＮ４との「ハイブリダイゼーション」を表す。図１６は、ＤＰ１０７とＤＰ１７８との「ハイブリダイゼーション」を表す。表示されたモチーフ（起源のおよびハイブリッドの両方）はモチーフの鍵となるものであり、コンピュータ検索を実際に行うのに必要な全長モチーフの描写ではないことに留意することが重要である。
【０２０１】
２以上のモチーフの任意の組合せに対してハイブリッドを行うことができる。図１７は、ＧＣＮ４、ＤＰ１０７（両方のフレーム）およびＤＰ１７８（これも両方のフレーム）を含む幾つかの３モチーフのハイブリッドをまとめたものである。得られるモチーフは互いにもっと似てくることに留意されたい。実際に、第１および第３のハイブリッドモチーフは事実上、それぞれ第２および第４のハイブリッドモチーフのサブセットである。これは、第１および第３のハイブリッドモチーフが第２および第４のものより僅かに厳密性が高いことを意味する。また、これら４つのモチーフ中に小さな変化を加えることのみにより、またはこれらをハイブリダイズすることにより、該配列の全てを見つ出す単一モチーフを得ることができることにも留意されたい。ただし、厳密性も低下することを覚えておくべきである。最後に、スペクトルが最も広く且つ厳密性が最も低いハイブリッドモチーフが図１８に記載されており、該図は、ＧＣＮ４、ＤＰ１０７（両方のフレーム）、ＤＰ１７８（両方のフレーム）、ｃ−Ｆｏｓ、ｃ−Ｊｕｎ、ｃ−Ｍｙｃ、およびＦｌｕループ３６のハイブリッドをまとめたものである。
【０２０２】
ＤＰ−１７８はｇｐ４１の膜貫通領域の僅か約１０アミノ酸上流であって且つＤＰ１０７とＤＰ１７８とを分け隔てるプロリンに対してちょうどＣ末端側に位置しているという事実に基づいて、モチーフの特定のセットを設計した。ＤＰ１７８は膜に会合しているときは両親媒性らせんであり、および該プロリンがらせん形成の開始の一助となる、と考えられた。同じ配置がＲＳウイルスにおいて観察された。しかし、このウイルスの中のＤＰ１７８様領域は、該プロリンのすぐＣ末端側にロイシンジッパーも有していた。したがって、他のウイルスがこれと同じパターンを含むか否かを分析するために、Ｎ末端プロリン−ロイシンジッパーモチーフを設計した。このモチーフを図１９にまとめてある。
【０２０３】
ＰＣ／Ｇｅｎｅタンパク質データベースは、５８７９ウイルスアミノ酸配列を含む（ライブラリーファイルＰＶＩＲＵＳＥＳ；ＣＤ−ＲＯＭリリース１１．０）。これらのうち１０９２個は、ウイルスエンベロープ化配列または糖タンパク質配列である（ライブラリーファイルＰＶＩＲＵＳＥ１）。表Ｖ〜表ＸＩＶは、検索した全てのモチーフのタンパク質配列の名前およびモチーフヒット位置のリストを含む。
【０２０４】
１０．  実施例：ヒト免疫不全ウイルスにおけるＤＰ１０７様配列およびＤＰ１７８様配列のコンピュータを用いた同定
図２０は、ＨＩＶ−１ ＢＲＵ単離株ｇｐ４１（ＰＣ／Ｇｅｎｅタンパク質配列ＰＥＮＶ ＨＶ１ＢＲ）についての検索結果を表す。ＤＰ−１０７とＤＰ−１７８を交配するハイブリッドモチーフ（１０７×１７８×４：図１６に見られるのと同じモチーフ）は、アミノ酸５５０〜５９９、６３６〜６８８および７９６〜８２３を含む３つのヒットを見付け出したことに留意されたい。これらの領域は、ＤＰ−１０７と８つのＮ末端アミノ酸および４つのＣ末端アミノ酸；ＤＰ１７８と７つのＮ末端アミノ酸および１０個のＣ末端アミノ酸；ならびに膜貫通領域の内側の領域（細胞内領域）を含む。また図２０は、ＡＬＬＭＯＴＩ５と呼ばれるモチーフ（その鍵は図１７に示す（｛ＣＤＧＨＰ｝｛ＣＦＰ｝×５））を用いた検索により得た結果も含む。このモチーフもまた、ＤＰ１０７（アミノ酸５１０〜５９９）、ＤＰ１７８（６１５〜７１７）および細胞内領域（７７２〜８４１）を含む３つのヒットを見付け出した。これらのヒットは、アミノ末端およびカルボキシ末端の両方の上にかなり大きな追加配列を有するモチーフ１０７×１７８×４により見付け出されたヒットと重複する。これは、１０７×１７８×４がＡＬＬＭＯＴＩ５ハイブリッドモチーフのサブセットであるので、驚くべきことではない。重要なことは、ＡＬＬＭＯＴＩ５の厳密性が１０７×１７８×４よりもかなり低いものであるにもかかわらず、ＡＬＬＭＯＴＩ５により依然として、ＨＩＶ−１の阻害性ペプチドの配列を含むことが分かっているｇｐ４１のＤＰ１０７およびＤＰ１７８領域が選択的に同定されることである。これら２つのモチーフ検索の結果は、１９９５年６月６日に出願された米国特許出願第０８／４７０，８９６号（本明細書中に参考として全て組み込まれる）の表ＶのＰＣ／Ｇｅｎｅタンパク質配列名ＰＥＮＶ ＨＶ１ＢＲの下に要約されている。プロリン−ロイシンジッパー・モチーフも、ＨＩＶ−１ ＢＲＵにおいて幾つかヒットした。これには、ｇｐ１２０のちょうどＣ末端であり且つ切断部位のすぐ上流に位置する５０３〜５２５（Ｐ７ＬＺＩＰＣおよびＰ１２ＬＺＩＰＣ）、およびｇｐ４１の細胞内ドメインの中の７３５〜７６８（Ｐ２３ＬＺＩＰＣ）が含まれる。これらの結果は、表ＶＩＩＩ、ＩＸおよびＸの中の上記配列名と同じ配列名の下に記載されている。ＨＩＶ−１ ＢＲＵの中で、Ｌｕｐａｓアルゴリズムによってコイルドコイル領域を含むと予測される唯一の領域は、アミノ酸６３５〜６７０からのものであることに留意されたい。これは、８アミノ酸のＮ末端からＤＰ１７８の始点へと始まり、および８アミノ酸のＮ末端からＤＰ１７８の終点までで終了する。ＤＰ１０７は、既知のコイルドコイルであるにもかかわらず、Ｌｕｐａｓ法を用いた場合ではコイルドコイル領域を含むと予想されない。
【０２０５】
１１．  実施例：ヒト呼吸器合胞体ウイルスにおけるＤＰ１０７様配列およびＤＰ１７８様配列のコンピュータを用いた同定
図２１は、ヒト呼吸器合胞体ウイルス（ＲＳＶ：Ａ２株）融合糖タンパク質Ｆ１（ＰＣ／Ｇｅｎｅタンパク質配列名ＰＶＧＬＦ ＨＲＳＡ）についての検索結果を表す。モチーフ１０７×１７８×４は、アミノ酸１５２〜２０２、２１３〜２４３および４８８〜５１５を含む３つのヒットを見付け出す。これらのヒットの配置は、該モチーフがＤＰ−１７８と類似性を有する２つの領域（一方はＤＰ１０７領域と呼ばれるものまたはアミノ酸２１３〜２４３のすぐ下流にあり、他方は膜貫通領域（これもＤＰ１７８に類似している）またはアミノ酸４８８〜５１５のすぐ上流にある）が見出されること以外は、ＨＩＶ−１で見られるものと類似している。またモチーフＡＬＬＭＯＴＩ５では、アミノ酸１１６〜２０２、２６７〜３０２および５０６〜５４９を含む３つの領域が見出される。プロリン−ロイシンジッパー・モチーフも、アミノ酸２０５〜２２１および２６５〜２８７（Ｐ１ＬＺＩＰＣ ２６５〜２８０、Ｐ１２ＬＺＩＰＣ）、および４８４〜５１３（Ｐ７ＬＺＩＰＣおよびＰ１２ＬＺＩＰＣ４８４〜５０６、Ｐ２３ＬＺＩＰＣ）を含む幾つかのヒットを得た。ＰＬＺＩＰモチーフも、ＨＩＶ−１のＤＰ１７８と位置類似性を共有する領域を同定することに留意されたい。
【０２０６】
１２．  実施例：サル免疫不全症ウイルスにおけるＤＰ１０７様配列およびＤＰ１７８様配列のコンピュータを用いた同定
サル免疫不全症ウイルスのｇｐ４１（ＡＧＭ３単離株：ＰＣ／Ｇｅｎｅタンパク質配列名ＰＥＮＶ＿ＳＩＶＡＧ）についてのモチーフヒットを図２２に表す。モチーフ１０７×１７８×４では、アミノ酸５６６〜５９３、５９７〜６２４および７０３〜７３０を含む３つのヒットが見出される。最初の２つのヒットの間には３つのアミノ酸しかなく、これらを組み合わせるとおそらく、ＤＰ−１０７様ヒットを表すであろう５６６〜６２４から１つのヒットがあるであろう。次にアミノ酸７０３〜７３０は、ＤＰ−１７８様ヒットを表す。ＡＬＬＭＯＴＩ５でもまた、アミノ酸５５６〜６２８（ＤＰ１０７様）、６５１〜６９９（ＤＰ１７８様）、および膜貫通領域を表す８０８〜８５２を含む３つのヒットが見出される。ＳＩＶもまた、Ｌｕｐａｓアルゴリズムにより予測したところコイルドコイルを形成する傾向が高い６５５〜６９２からの１つの領域を有する。１０７×１７８×４およびＡＬＬＭＯＴＩ５モチーフは両方ともで、これと同じ領域が見出される。ＳＩＶはｇｐ４１においてＰＬＺＩＰモチーフヒットを持たない。
【０２０７】
第２のＳＩＶ単離株（ＭＭ２５１）についてのＤＰ１７８／ＤＰ１０７類似体の同定を、以下の第１９節に提供される実施例の中で示す。
【０２０８】
１３．  実施例：イヌジステンパーウイルスにおけるＤＰ１０７様配列およびＤＰ１７８様配列のコンピュータを用いた同定
イヌジステンパーウイルス（Ｏｎｄｅｒｓｔｅｐｏｏｒｔ株）融合糖タンパク質Ｆ１（ＰＣ／Ｇｅｎｅタンパク質配列名ＰＶＧＬＦ ＣＤＶＯ）は、ＤＰ１０７様およびＤＰ１７８様であると予測されるヒトＲＳＶに類似した領域を有する（図２３）。モチーフ１０７×１７８×４では、該融合ペプチドのすぐＣ末端側のアミノ酸２５２〜２９３にある１つの領域が導き出される。アミノ酸２５２〜２８６もまた、Ｌｕｐａｓアルゴリズムを用いてコイルドコイルであると予測される。第１領域の約１００アミノ酸Ｃ末端は、残基３４０〜３６７のＤＰ１７８様領域である。ＡＬＬＭＯＴＩ５では、Ｌｕｐａｓ予想およびＤＰ１０７様１０７×１７８×４ヒットの両方と完全に重複するアミノ酸２２８〜２９７、第２の１０７×１７８×４ヒットと重複する残基３４０〜３８１、および膜貫通領域のちょうどＮ末端側に位置するという意味でＤＰ１７８様であるアミノ酸５６８〜６０２を含む目的の３つの領域が導き出される。またこれは、Ｌｕｐａｓ法によりコイルドコイルを形成する傾向が高いと予測される他の領域（残基５７０〜６２０）とも重複する。幾つかのＰＬＺＩＰモチーフでは、残基３６６〜３５７および３３６〜３６１をそれぞれ導き出すＰ６およびＰ１２ＬＺＩＰＣ、残基３９８〜４１４が見出されるＰ１およびＰ１２ＬＺＩＰＣ、ならびに残基５６２〜５８９および５６２〜５９２がそれぞれ見出されるＰ１２およびＰ２３ＬＺＩＰＣを含む目的の領域を同定することに成功した。
【０２０９】
１４．  実施例：ニューカッスル病ウイルスにおけるＤＰ１０７様配列およびＤＰ１７８様配列のコンピュータを用いた同定
図２４は、ニューカッスル病ウイルス（オーストラリア−ビクトリア／３２株；ＰＣ Ｇｅｎｅタンパク質配列名ＰＶＧＬＦ ＮＤＶＡ）において見出されるモチーフのヒットを表す。モチーフ１０７×１７８×４では、アミノ酸１５１〜１７８のＤＰ１０７様ヒットおよび残基４２６〜５１２のＤＰ１７８様ヒットを含む２つの領域が見出される。ＡＬＬＭＯＴＩ５では、残基１１７〜１８２、２３１〜２７２および４２６〜５１２を含む３つの領域が見出される。４２６〜５１２からのヒットは、Ｌｕｐａｓ法により高いコイルドコイル傾向を有すると予測される領域（４６０〜５０３）を含む。ＰＬＺＩＰモチーフは、アミノ酸２７３〜２８９にある１つの目的領域のみを同定する（Ｐ１および１２ＬＺＩＰＣ）。
【０２１０】
１５．  実施例：ヒトパラインフルエンザウイルスにおけるＤＰ１０７様配列およびＤＰ１７８様配列のコンピュータを用いた同定
モチーフ１０７×１７８×４およびＡＬＬＭＯＴＩ５の両方ともで、ヒトパラインフルエンザウイルス（ＮＩＨ４７８８５株；ＰＣ／Ｇｅｎｅタンパク質配列名ＰＶＧＬＦ ｐ１３Ｈ４；図２５）の同じ領域におけるＤＰ１０７様ヒット（それぞれ１１５〜１８２および１１７〜１８２）が示される。さらに、この２つのモチーフは、僅かにＣ末端側のアミノ酸２０７〜２４１にＤＰ１７８様ヒットを有する。また両モチーフは、膜貫通領域のより近くにアミノ酸４５７〜４９７および４６２〜５１２をそれぞれ含むＤＰ１７８様ヒットを有する。２８３〜３０３（Ｐ５ＬＺＩＰＣ）、２８３〜３１０（Ｐ１２ＬＺＩＰＣ）、４５３〜４７４（Ｐ６ＬＺＩＰＣ）および４５３〜４８１（Ｐ２３ＬＺＩＰＣ）を含む幾つかのＰＬＺＩＰモチーフヒットも観察された。Ｌｕｐａｓアルゴリズムは、アミノ酸１２２〜１７６がコイルドコイルを形成する傾向を有し得ると予測する。
【０２１１】
１６．  実施例：インフルエンザＡウイルスのＤＰ１０７様配列およびＤＰ１７８様配列のコンピュータを用いた同定
図２６は、インフルエンザＡウイルス（Ａ／Ａｉｃｈｉ／２／６８株）の残基３７９〜４３６におけるコイルドコイルについてのＬｕｐａｓ予測、ならびにアミノ酸３８７〜４５３における１０７×１７８×４のモチーフのヒットおよび残基３８０〜４５６におけるＡＬＬＭＯＴＩ５のモチーフのヒットを表す。残基３８３〜４７１（ＨＡ２の３８〜１２５）はＣａｒｒおよびＫｉｍによって、酸性ｐＨのもとでは延長コイルドコイルであること証明された（ＣａｒｒおよびＫｉｍ， １９９３， Ｃｅｌｌ ７３：８２３−８３２）。Ｌｕｐａｓアルゴリズムは、残基３７９〜４３６におけるコイルドコイルを予測する。全ての３つの方法は、実際にコイルドコイル構造を有することが証明された領域を予測することに成功したが、ＡＬＬＭＯＴＩ５では８８残基長からなる最も大きな部分が予測された。
【０２１２】
１７．  実施例：潜在的呼吸器合胞体（ｒｅｓｐｉｒａｔｏｒｙ ｓｙｎｃｙｔｉａｌ）ウイルスＤＰ１７８／ＤＰ１０７類似体：ＣＤおよび抗ウイルス特性決定
本明細書に示す実施例では、上記第９節および第１１節に示した実施例に記載したコンピュータを用いて検索モチーフを利用して同定された呼吸器合胞体ウイルス（ＲＳＶ）ペプチドを、抗ＲＳＶ活性について試験した。さらに、以下に記載するように、円二色性（ＣＤ）構造分析をペプチドに対して行った。同定されたペプチドのいくつかが、強い抗ウイルス能を示すことが実証された。さらに、これらのペプチドのいくつかが実質的ならせん特徴を示すことが示された。
【０２１３】
１７．１  材料および方法
構造分析：Ｊｏｂｉｎ／Ｙｖｏｎ Ａｕｔｏｄｉｃｈｒｏｇｒａｐｈ Ｍａｒｋ Ｖ ＣＤ分光光度計上で路程１ｃｍの細胞を用いて、緩衝液中約１０ｍＭの濃度の１０ｍＭリン酸ナトリウム、１５０ｍＭ塩化ナトリウム（ｐＨ７．０）でＣＤスペクトルを測定した。上記第６．１節の方法に従ってペプチドを合成した。ペプチド濃度を、Ｅｄｌｅｈｏｃｈの方法（１９６７， Ｂｉｏｃｈｅｍｉｓｔｒｙ ６：１９４８）を用いてＡ２８０から測定した。
【０２１４】
抗ＲＳＶ抗ウイルス活性アッセイ：本明細書において利用するアッセイにより、ＲＳＶに急性感染されたＨＥｐ２細胞（すなわち、感染多重度が２を上回る感染細胞）が融合してＨｅｐ−２細胞の非感染系統の単層上でシンシチウムを形成する能力を破壊するペプチドの能力を試験した。観察された融合レベルが低いほど、測定されたペプチドの抗ウイルス活性は高かった。
【０２１５】
仔ウシ血清［ＦＢＳ；５６℃にて３０分間加熱不活化されたもの；Ｂｉｏ Ｗｈｉｔｔａｋｅｒ Ｃａｔ． Ｎｏ． １４−５０１Ｆ］を３％補充し、抗生物質（ペニシリン／ストレプトマイシン；Ｂｉｏ Ｗｈｉｔｔａｋｅｒ Ｃａｔ． Ｎｏ． １７−６０２Ｅ）を１％添加し、グルタミンを１％添加した３％ＥＭＥＭ（イーグル最小必須培地 ｗ／ｏ Ｌ−グルタミン［Ｂｉｏ Ｗｈｉｔｔａｋｅｒ Ｃａｔ． Ｎｏ． １２−１２５Ｆ］）中、Ｈｅｐ−２細胞の非感染密集的細胞単層をマイクロタイターウェルで培養した。
【０２１６】
非感染細胞に添加するためのＨｅｐ２細胞を調製するために、急性感染されたＨｅｐ２細胞の培養物をＤＰＢＳ（ダルベッコリン酸緩衝化生理食塩水ｗ／ｏカルシウムまたはマグネシウム；Ｂｉｏ Ｗｈｉｔｔａｋｅｒ Ｃａｔ． Ｎｏ． １７−５１２Ｆ）で洗浄し、細胞単層をＶｅｒｓｅｎｅ（１：５０００；Ｇｉｂｃｏ Ｌｉｆｅ Ｔｅｃｈｎｏｌｏｇｉｅｓ Ｃａｔ． Ｎｏ． １５０４０−０１７）で除去した。細胞を１０分間回転させ、３％ＦＢＳに再懸濁した。血球計数器を用いて細胞計数を行った。存続している細胞を非感染Ｈｅｐ−２細胞に添加した。
【０２１７】
抗ウイルスアッセイは、まず、非感染Ｈｅｐ−２細胞を含むウェルから全ての培地を除去し、次にペプチドを（以下に示す希釈率で）含有する３％ＥＭＥＭおよび１ウェル当たり１００の急性ＲＳＶ感染Ｈｅｐ２細胞を添加して行った。次いで、ウェルを３７℃にて４８時間インキュベートした。
【０２１８】
インキュベート後、対照ウェル中の細胞を融合中心（ｆｕｓｉｏｎ ｃｅｎｔｅｒ）についてチェックし、ウェルから培地を除去し、その後クリスタルバイオレット染料またはＸＴＴのいずれかを各ウェルに添加した。クリスタルバイオレットに関しては、約５０μｌの０．２５％クリスタルバイオレット染料含有メタノールを各ウェルに添加した。すぐにウェルを濯いで、過剰量の染料を除去し、乾燥させた。その後、解剖顕微鏡を用いて、１ウェル当たりのシンシチウムの数を数えた。
【０２１９】
ＸＴＴ（２，３−ビス［２−メトキシ−４−ニトロ−５−スルホフェニル］−２Ｈ−テトラゾリウム−５−カルボキシアニリド内部塩に関しては、５０μｌ ＸＴＴ（１００ｍＭ ＨＥＰＥＳで緩衝化されたＲＰＭＩ中に１ ｍｇ／ｍｌ、ｐＨ７．２〜７．４、さらに５％ＤＭＳＯを添加）を各ウェルに添加した。標準的手順に従って、ＯＤ４５０／６９０を測定した（細胞または試薬を含まない培養培地、および試薬に対して盲検後）。
【０２２０】
ペプチド：本明細書に示す調査において特性決定されたペプチドは以下の通りであった：
１）ペプチドＴ−１４２〜Ｔ−１５５、およびＴ−５７５（図２７Ａに示す）、ならびにペプチドＴ−２２〜Ｔ−２７、Ｔ−６８、Ｔ−３３４、Ｔ−３７１〜Ｔ−３７５、およびＴ−５７５（図２７Ｂに示す）；
２）ペプチドＴ−１２０〜Ｔ−１４１およびＴ−５７６（図２７Ｂに示す）、ならびにペプチドＴ−１２、Ｔ−１３、Ｔ−１５、Ｔ−１９、Ｔ−２８〜Ｔ−３０、Ｔ−６６、Ｔ−６９、Ｔ−７０およびＴ−５７６（図２７Ｄに示す）；ならびに
３）ペプチドＴ−６７、Ｔ−１０４〜Ｔ−１１９およびＴ−３８４（図２８Ａに示す）、ならびにペプチドＴ−７１、Ｔ−６１３〜Ｔ−６１７、Ｔ−６６２〜Ｔ−６７６およびＴ−７３０（図２８Ｂに示す）。
【０２２１】
グループ１のペプチドは、ＲＳＶ Ｆ２タンパク質ＤＰ１７８／１０７様領域の部分を示す。グループ２のペプチドは、ＲＳＶ Ｆ１タンパク質ＤＰ１０７様領域の部分を示す。グループ３のペプチドは、ＲＳＶ Ｆ１タンパク質ＤＰ１７８様領域の部分を示す。
【０２２２】
各ペプチドを、１００μｇ／ｍｌ〜約１００ｎｇ／ｍｌにわたる２倍連続希釈で試験した。各アッセイについて、ペプチドを含まないウェルも使用した。各ペプチドについてのＩＣ５０データは、各ペプチドを用いて行った複数の実験の平均を示す。
【０２２３】
１７．２  結果
図２７Ａ〜Ｂおよび図２８Ａ〜Ｂにまとめたデータは、ＲＳＶ Ｆ２ ＤＰ１７８／ＤＰ１０７様Ｆ２領域（図２７Ａ〜Ｂ）、ＲＳＶ Ｆ１ ＤＰ−１０７様領域（図２７Ｃ〜Ｄ）およびＲＳＶ ＤＰ１７８様Ｆ２領域（図２８Ａ〜Ｂ）から誘導されたペプチドから得られた抗ウイルス情報および構造情報を示す。
【０２２４】
図２７Ａ〜Ｄに示すように、いくつかのＲＳＶ ＤＰ１７８／ＤＰ１０７様ペプチドは、検出可能な抗ウイルス活性レベルを示した。ＲＳＶ ＤＰ１７８／ＤＰ１０７様Ｆ２領域（図２７Ａ〜Ｂ）から得たペプチド、例えばＴ−１４２〜Ｔ−１４５およびＴ−３３４精製ペプチドは、それらのＩＣ５０値から立証される検出可能な抗ウイルス活性レベルを示した。さらに、いくつかのＲＳＶ Ｆ１ ＤＰ１０７様ペプチド（図２７Ｃ〜Ｄ）（例えばペプチドＴ−１２４〜Ｔ−１２７、Ｔ−１３１、Ｔ−１３５およびＴ−１３７〜Ｔ−１３９を含む）は、それらの低いＩＣ５０値から実証されるように、精製ペプチドとしてかなり高いレベルの抗ウイルス活性を示した。さらに、ＣＤ分析（図２７Ａ、２７Ｃ）から、多くのペプチドが、ある程度の検出可能なレベルのらせん構造を示すことが明らかになった。
【０２２５】
図２８Ａ〜Ｂにまとめた結果は、多くのＤＰ１７８様精製ペプチドが、強い抗ウイルス活性の範囲を示すことを示す。これらのペプチドには、例えば、Ｔ−６７、Ｔ−１０４、Ｔ−１０５およびＴ−１０７〜Ｔ−１１９（図２８Ａに一覧）、ならびにＴ−６６５〜Ｔ−６６９およびＴ−６７１〜Ｔ−６７３（図２８Ｂに一覧）が含まれる。また、いくつかのＤＰ１７８様ペプチドは、ある程度のレベルのらせん性を示した。
【０２２６】
従って、上記コンピュータを用いた検索は、見込みの高い抗ＲＳＶ抗ウイルス化合物を示すウイルスペプチドドメインを首尾よく同定した。
【０２２７】
１８．  実施例：潜在的ヒトパラインフルエンザウイルス３型ＤＰ１７８／ＤＰ１０７類似体：ＣＤおよび抗ウイルス特性決定
本明細書に示す実施例では、上記第９節および第１５節に示す実施例に記載したコンピュータを用いて検索モチーフを利用して同定されたヒトパラインフルエンザウイルス３型（ＨＰＩＶ３）ペプチドを、抗ＨＰＩＶ３活性について試験した。さらに、以下に記載するように、円二色性（ＣＤ）構造分析をペプチドに対して行った。同定されたペプチドのいくつかが、強い抗ウイルス能を示すことが実証された。さらに、これらのペプチドのいくつかが実質的ならせん特徴を示すことが示された。
【０２２８】
１８．１  材料および方法
構造分析：構造分析は、円二色性（ＣＤ）調査から成った。Ｊｏｂｉｎ／Ｙｖｏｎ Ａｕｔｏｄｉｃｈｒｏｇｒａｐｈ Ｍａｒｋ Ｖ ＣＤ分光光度計上で路程１ｃｍの細胞を用いて、緩衝液中約１０ｍＭの濃度の１０ｍＭリン酸ナトリウム、１５０ｍＭ塩化ナトリウム（ｐＨ７．０）でＣＤスペクトルを測定した。上記第６．１節の方法に従ってペプチドを合成した。ペプチド濃度を、Ｅｄｌｅｈｏｃｈの方法（１９６７， Ｂｉｏｃｈｅｍｉｓｔｒｙ ６：１９４８）を採用してＡ２８０から測定した。
【０２２９】
抗ＨＰＩＶ３抗ウイルス活性アッセイ：本明細書において利用するアッセイにより、慢性的にＨＰＩＶ３感染されたＨｅｐ２細胞が融合してＣＶ−１Ｗ細胞の非感染系統の単層上でシンシチウムを形成する能力を破壊するペプチドの能力を試験した。観察された融合レベルが低いほど、ペプチドの抗ウイルス活性は高い。
【０２３０】
仔ウシ血清［ＦＢＳ；５６℃にて３０分間加熱不活化されたもの；Ｂｉｏ Ｗｈｉｔｔａｋｅｒ Ｃａｔ． Ｎｏ． １４−５０１Ｆ］を３％補充し、抗生物質／抗真菌剤（Ｇｉｂｃｏ ＢＲＬ Ｌｉｆｅ Ｔｅｃｈｎｏｌｏｇｉｅｓ Ｃａｔ． Ｎｏ． １５０４０−０１７）を１％添加し、グルタミンを１％添加した３％ＥＭＥＭ（イーグル最小必須培地 ｗ／ｏ Ｌ−グルタミン［Ｂｉｏ Ｗｈｉｔｔａｋｅｒ Ｃａｔ． Ｎｏ． １２−１２５Ｆ］）中、ＣＶ−１Ｗ細胞の非感染密集的細胞単層をマイクロタイターウェルで培養した。
【０２３１】
非感染細胞に添加するためのＨｅｐ２細胞を調製するために、慢性的に感染されたＨｅｐ２細胞の培養物をＤＰＢＳ（ダルベッコリン酸緩衝化生理食塩水ｗ／ｏカルシウムまたはマグネシウム；Ｂｉｏ Ｗｈｉｔｔａｋｅｒ Ｃａｔ． Ｎｏ． １７−５１２Ｆ）で洗浄し、細胞単層をＶｅｒｓｅｎｅ（１：５０００；Ｇｉｂｃｏ Ｌｉｆｅ Ｔｅｃｈｎｏｌｏｇｉｅｓ Ｃａｔ． Ｎｏ． １５０４０−０１７）で除去した。細胞を１０分間回転させ、３％ＦＢＳに再懸濁した。血球計数器を用いて細胞計数を行った。存続している細胞を非感染ＣＶ−１Ｗ細胞に添加した。
【０２３２】
抗ウイルスアッセイは、まず、非感染ＣＶ−１Ｗ細胞を含むウェルから全ての培地を除去し、次にペプチドを（以下に示す希釈率で）含有する３％ＥＭＥＭおよび１ウェル当たり５００の慢性ＨＰＩＶ３感染Ｈｅｐ２細胞を添加して行った。次いで、ウェルを３７℃にて２４時間インキュベートした。
【０２３３】
２日目、対照ウェル中の細胞を融合中心についてチェックした後、ウェルから培地を除去し、約５０μｌの０．２５％クリスタルバイオレット染料含有メタノールを各ウェルに添加した。すぐにウェルを濯いで、過剰量の染料を除去し、乾燥させた。その後、解剖顕微鏡を用いて、１ウェル当たりのシンシチウムの数を数えた。
【０２３４】
また、クリスタルバイオレット分析の変わりに、上記第１７．１節に記載したように細胞をＸＴＴでアッセイした。
【０２３５】
ペプチド：本明細書に示す調査において特性決定されたペプチドは：
１）ペプチド１５７〜１８８（図２９Ａに示す）、ならびにペプチドＴ−３８〜Ｔ−４０、Ｔ−４２〜Ｔ−４６およびＴ−５８２（図２９Ｂに示す）。これらのペプチドは、ＨＰＩＶ３ Ｆ１融合タンパク質のＤＰ１０７領域から誘導される（ＨＰＦ３ １０７として図２９Ａに示す）；ならびに
２）ペプチド１８９〜２１０（図３０Ａに示す）、ならびにＴ−２６９、Ｔ−６２６、Ｔ−３８３およびＴ−５７７〜Ｔ−５７９（図３０Ｂに示す）。これらのペプチドは、主にＨＰＩＶ３ Ｆ１融合タンパク質（ＨＰＦ３ １７８として図３０Ａに示す）のＤＰ１７８領域から誘導される。ペプチドＴ−６２６は、２つの変異型アミノ酸残基（網掛け背景で示す）を含む。さらに、ペプチドＴ−５７７はＦ１アミノ酸６５〜１００を示し、Ｔ−５７８はＦ１アミノ酸２０７〜２４２を示し、Ｔ−５７９はＦ１アミノ酸２７３〜３０９を示す。
【０２３６】
各ペプチドを、５００μｇ／ｍｌ〜約５００ｎｇ／ｍｌにわたる２倍連続希釈で試験した。各アッセイについて、ペプチドを含まないウェルも使用した。
【０２３７】
１８．２  結果
図２９Ａ〜Ｃおよび図３０Ａ〜Ｂにまとめたデータは、ＨＰＩＶ３融合タンパク質ＤＰ１０７様領域（図２９Ａ〜Ｃ）、およびＨＰＩＶ３融合タンパク質ＤＰ１７８様領域（図３０Ａ〜Ｂ）から誘導されたペプチドから得られた抗ウイルス情報および構造情報を表す。
【０２３８】
図２９Ａ〜Ｂに示すように、多くのＨＰＩＶ３ ＤＰ１０７様ペプチドは、強いレベルの抗ウイルス活性を示した。これらのペプチドには、例えば、ペプチドＴ−４０、Ｔ−１７２〜Ｔ−１７５、Ｔ−１７８、Ｔ−１８４およびＴ−１８５が含まれる。
【０２３９】
ＣＤ分析から、多くのペプチドが、検出可能レベルから実質的なレベルのらせん構造を示すことが明らかになった。実質的ならせん性を示すペプチドの１つ（１８４）のＣＤスペクトルを図２９Ｃにまとめた。
【０２４０】
図３０Ａ〜Ｂにまとめた結果は、試験した多くのＤＰ１７８様ペプチドが、抗ウイルス活性の範囲を示すことを示す。これらのペプチドには、例えば、それらの低いＩＣ５０値により立証されるペプチド１９４〜２１１が含まれる。実際、ペプチド２０１〜２０５は、ＩＣ５０値をナノグラム／ｍｌ範囲で示す。さらに、多くのＤＰ１７８様ペプチドは、ある程度のレベルのらせん性を示した。
【０２４１】
従って、上記コンピュータを用いた検索は、見込みの高い抗ＨＰＩＶ３抗ウイルス化合物を示すウイルスペプチドドメインを首尾よく同定した
１９．  実施例：サル免疫不全ウイルスにおけるＤＰ１７８／ＤＰ１０７類似体のコンピュータを用いた同定
図３１は、ＳＩＶ単離ＭＭ２５１（ＰＣ／Ｇｅｎｅ（登録商標）タンパク質配列ＰＥＮＶ＿ＳＩＶＭ２）についての検索結果を示す。１０７ｘ１７８ｘ４およびＡＬＬＭＯＴＩ５検索モチーフの両方が、ＤＰ１０７および／またはＤＰ１７８に類似した２つの領域を同定した。
【０２４２】
１０７ｘ１７８ｘ４により見つかったペプチド領域は、アミノ酸残基１５６〜２１５および２７７〜２８９に位置していた。ＡＬＬＭＯＴＩ５により見つかったペプチド領域は、アミノ酸残基１５６〜２１９および２４５〜２８６に位置していた。つまり、両方のモチーフは、類似した領域を同定する。
【０２４３】
興味深いことに、第１のＳＩＶペプチド領域（すなわち、アミノ酸残基１５６〜アミノ酸残基約２１９）はＨＩＶのＤＰ１０７領域と相関し、第２の同定領域（すなわち、アミノ酸残基約２４５〜アミノ酸残基約２８９）はＨＩＶのＤＰ１７８領域と相関する。実際、ＳＩＶ単離ＭＭ２５１およびＨＩＶ単離ＢＲＵのアライメント、その後のＨＩＶ ＤＰ１０７およびＤＰ１７８についての最良ペプチド適合の選択から、最良の適合は、１０７ｘ１７８ｘ４およびＡＬＬＭＯＴＩ５検索モチーフにより同定されるペプチド領域において見出されることが明らかになった。
【０２４４】
アミノ酸残基２４２〜２８２における可能性のあるコイルドコイル領域は、Ｌｕｐａｓプログラムにより予測されるということを注目すべきである。これは、ＬｕｐａｓプログラムによりコイルドコイルがＤＰ１０７領域ではなくＤＰ１７８にあると予測されるＨＩＶにおける知見と類似している。従って、Ｌｕｐａｓアルゴリズムでは検出されない構造であるにも関わらずコイルドコイル構造がＤＰ１０７領域に含まれうる点でＳＩＶがＨＩＶと類似している可能性もある。同様に、ＳＩＶ中のＤＰ１７８類似体に対応する領域は、Ｌｕｐａｓプログラムによるコイルドコイル構造の予測にも関わらず、不定の構造を示す可能性がある。
【０２４５】
２０．  実施例：エプスタイン−バーウイルスにおけるＤＰ１７８／ＤＰ１０７類似体のコンピュータを用いた同定
本明細書中に示す結果は、２つの異なるエプスタイン−バーウイルスタンパク質におけるＤＰ１７８／ＤＰ１０７類似体の同定を示す。エプスタイン−バーウイルスは、例えば感染性単核球症（ＩＭ）の原因物質であり、また鼻咽頭腫（ＮＰＣ）、バーキットリンパ腫および他の疾患にも関連するヒトヘルペスウイルスである。このウイルスは、主に潜伏形態で存在し、様々な刺激物質により活性化される。
【０２４６】
図３２は、エプスタイン−バーウイルス（Ｂ９５−８株；ＰＣ／Ｇｅｎｅ（登録商標）タンパク質配列ＰＶＧＬＢ＿ＥＢＶ）グリコプロテインｇｐ１１０前駆体（ｇｐ１１５）についての検索モチーフの結果を示す。１０７ｘ１７８ｘ４モチーフは、２つの目的の領域を同定した（すなわち、アミノ酸残基９５〜１２２および６３１〜６５８にわたる領域）。１つのＰＺＩＰ領域を、タンパク質の細胞質領域である可能性が最も高いアミノ酸残基７３２〜７５２において同定した。Ｌｕｐａｓアルゴリズムは、アミノ酸６５７〜６８４について、コイルドコイル構造を予測する。ＡＬＬＭＯＴＩ５領域は同定されなかった。
【０２４７】
図３３は、上記同定されたエプスタイン−バーウイルスのＺｅｂｒａ（またはＥＢ１）トランスアクチベータータンパク質（ＢＺＬＦ１）についての検索モチーフの結果を示す。このタンパク質は、ウイルス再活性化の主要メディエーターを代表する転写因子である。これは、転写因子のｂ−ＺＩＰファミリーのメンバーであり、細胞性癌遺伝子ｃ−ｆｏｓおよびＣ／ＥＢＰの塩基性ＤＮＡ結合ドメインおよび二量体化ドメインと有意な相同性を有する。Ｚｅｂｒａタンパク質はホモダイマーとして機能する。
【０２４８】
検索結果は、Ｚｅｂｒａタンパク質が、ＤＰ１０７またはＤＰ１７８類似性のいずれかを有することが予測されている単一の領域を示し、タンパク質の既知のＤＮＡ結合領域と二量体化領域との間に見とめられることを実証する。具体的には、この領域は、図３３に示すようにアミノ酸残基１９３〜２２０に位置している。Ｌｕｐａｓプログラムによりコイルドコイル領域は予測されなかった。
【０２４９】
２１．  実施例：麻疹ウイルスにおけるＤＰ１７８／ＤＰ１０７類似体のコンピュータを用いた同定
図３４は、ＤＰ１７８／ＤＰ１０７類似体を首尾よく同定した、麻疹ウイルスの融合タンパク質Ｆ１、エドモンストン（Ｅｄｍｏｎｓｔｏｎ）株（ＰＣ Ｇｅｎｅ（登録商標）タンパク質配列ＰＶＧＬＦ＿ＭＥＡＳＥ）についてのモチーフ検索の結果を示す。
【０２５０】
１０７ｘ１７８ｘ４モチーフは、アミノ酸残基２２０〜２６２において単一の領域を同定する。ＡＬＬＭＯＴＩ５検索モチーフは、３つの領域（アミノ酸残基１１６〜１８４、２２８〜２６９および４５２〜５００を含む）を同定する。プロリン残基２１４、２８６および４５１から始まる、ロイシンジッパー様配列が後続するプロリン残基を含む３つの領域が見つかった。
【０２５１】
Ｌｕｐａｓプログラムは、コイルドコイル構造をもつ可能性があると予測された、アミノ酸残基１４１〜１７２および４４４〜４８３を含む２つの領域を同定した。
【０２５２】
２２．  実施例：Ｂ型肝炎ウイルスにおけるＤＰ１７８／ＤＰ１０７類似体のコンピュータを用いた同定
図３５は、Ｂ型肝炎ウイルスサブタイプＡＹＷに対して行ったＰＺＩＰモチーフ検索の結果を示す。主要表面抗原前駆体Ｓタンパク質中で２つの目的の領域を同定した。第１の領域は、主要表面抗原（Ｈｂｓ）の提案された融合ペプチドのすぐＣ末端側に存在し、アミノ酸残基１７４〜１９１において見出される。第２の領域は、アミノ酸残基２３３〜２６７に位置する。Ｌｕｐａｓプログラムでは、コイルドコイル反復領域は予測されなかった。
【０２５３】
これらのＤ１７８／ＤＰ１０７類似体領域の潜在的な抗ＨＢＶ抗ウイルス活性を試験するために、類似体領域周辺領域から誘導したペプチドを図５２Ａ〜Ｂに示すように合成した。これらのペプチドは、推定ＤＰ１７８／ＤＰ１０７類似体領域にわたり「歩行」する１つのアミノ酸ペプチドを示す。ペプチドは、Ｒｉｎｋａｍｉｄｅ ＭＢＨＡ樹脂上での標準的Ｆｍｏｃ化学作用に従って合成し、カルボキシ末端をブロックした （Ｃｈａｎｇ， Ｃ．Ｄ．およびＭｅｉｎｈｏｆｅｒ， Ｊ．， １９７８， Ｉｎｔ． Ｊ． Ｐｅｐｔ． Ｐｒｏｔｅｉｎ Ｒｅｓ． １１：２４６−２４９；Ｆｉｅｌｄｓ， Ｇ．Ｂ．およびＮｏｂｌｅ， Ｒ．Ｌ．， １９９０， Ｉｎｔ． Ｊ． Ｐｅｐｔ． Ｐｒｏｔｅｉｎ Ｒｅｓ． ３５：１６１−２１４）。合成終了後、ペプチドアミノ末端を自動化アセチル化によりブロックし、ペプチドをトリフルオロ酢酸（ＴＦＡ）および適切なスカベンジャーで切断した（Ｋｉｎｇ， Ｄ．Ｓ．ら， １９９０， Ｉｎｔ． Ｊ． Ｐｅｐｔ． Ｒｅｓ． ３６：２５５−２６６）。切断後、ペプチドをエーテルで沈降させ、真空下で２４時間乾燥させた。
【０２５４】
ペプチドの抗ＨＢＶ活性を、標準的アッセイを用いて試験して、ＨＢＶウイルス接種に曝された細胞により形成されるウイルス子孫の量の許容可能な（例えば９０％の）減少を生じるのに必要な試験ペプチド濃度を測定した。候補抗ウイルスペプチドを、ヒトで試験する前に、ウッドチャック組織培養などのモデル系および動物系においてさらに特性決定する。
【０２５５】
２３．  実施例：シミアンメイソン−パイツァーサルウイルスにおけるＤＰ１７８／ＤＰ１０７類似体のコンピュータを用いた同定
本明細書に示す結果は、シミアンメイソン−パイツァーサルウイルスに対して行った検索モチーフの結果を例示する。モチーフにより、図３６に示すように、エンベロープ化（ＴＭ）タンパク質ＧＰ２０においてＤＰ１７８／ＤＰ１０７類似体の存在が示される。
【０２５６】
１０７ｘ１７８ｘ４モチーフは、アミノ酸残基４２２〜４７０にある領域を同定する。ＡＬＬＭＯＴＩ５は、アミノ酸残基４０８〜４７４にある領域を見出す。Ｌｕｐａｓプログラムは、アミノ酸４２４〜４５９においてコイルドコイル構造を予測した。
【０２５７】
２４．  実施例：細菌性タンパク質におけるＤＰ１７８／ＤＰ１０７類似体のコンピュータを用いた同定
本明細書に示す結果は、様々な細菌種のタンパク質中に存在する配列に対応するＤＰ１７８／ＤＰ１０７類似体の同定を示す。
【０２５８】
図３７は、緑膿菌線毛タンパク質（ピリン）についての検索モチーフの結果を示す。モチーフ１０７ｘ１７８ｘ４およびＡＬＬＭＯＴＩ５により２つの領域を同定した。１０７ｘ１７８ｘ４モチーフにより、アミノ酸残基３０〜６７および８０〜１４４に位置する領域を同定した。ＡＬＬＭＯＴＩ５により、アミノ酸残基３０〜６８および８０〜１２５に位置する領域を同定した。
【０２５９】
図３８は、淋菌線毛タンパク質（ピリン）についての検索モチーフの結果を示す。１０７ｘ１７８ｘ４およびＡＬＬＭＯＴＩ５モチーフの両方により単一の領域を同定した。１０７ｘ１７８ｘ４モチーフにより、アミノ酸残基６６〜９７に位置する領域を同定した。ＡＬＬＭＯＴＩ５検索モチーフにより、アミノ酸残基６６〜１２５に位置する領域を同定した。Ｌｕｐａｓプログラムによりコイルドコイル領域は予測されなかった。
【０２６０】
図３９は、インフルエンザ菌（Ｈｅｍｏｐｈｉｌｕｓ Ｉｎｆｌｕｅｎｚａ）線毛タンパク質（ピリン）についての検索モチーフの結果を示す。１０７ｘ１７８ｘ４およびＡＬＬＭＯＴＩ５モチーフの両方により単一の領域を同定した。１０７ｘ１７８ｘ４モチーフにより、アミノ酸残基１０２〜１２９に位置する領域を同定した。ＡＬＬＭＯＴＩ５検索モチーフにより、アミノ酸残基１０２〜１４８に位置する領域を同定した。Ｌｕｐａｓプログラムによりコイルドコイル領域は予測されなかった。
【０２６１】
図４０は、黄色ブドウ球菌トキシックショック症候群インフルエンザ菌線毛タンパク質（ピリン）についての検索モチーフの結果を示す。１０７ｘ１７８ｘ４およびＡＬＬＭＯＴＩ５モチーフの両方により単一の領域を同定した。１０７ｘ１７８ｘ４モチーフにより、アミノ酸残基１０２〜１２９に位置する領域を同定した。ＡＬＬＭＯＴＩ５検索モチーフにより、アミノ酸残基１０２〜１４８に位置する領域を同定した。Ｌｕｐａｓプログラムによりコイルドコイル領域は予測されなかった。
【０２６２】
図４１には、黄色ブドウ球菌エンテロトキシンＥ型タンパク質に対して行ったモチーフ検索の結果をまとめてある。これらの結果は、以下に記載するように、このタンパク質中のペプチド配列に対応するＤＰ１７８／ＤＰ１０７類似体が首尾よく同定されたことを示す。
【０２６３】
ＡＬＬＭＯＴＩ５モチーフは、アミノ酸残基２２〜２７にある領域を同定した。１０７ｘ１７８ｘ４モチーフは２つの領域（アミノ酸残基２６〜６９において第１の領域、およびアミノ酸残基８８〜１１５において第２の領域）を同定した。Ｐ１２ＬＺＩＰＣモチーフ検索では、アミノ酸残基１６３〜１８１および２３０〜２５０において２つの領域を同定した。
【０２６４】
Ｌｕｐａｓプログラムは、アミノ酸残基２５〜５４において高いコイル化（ｃｏｉｌｉｎｇ）性向を有する領域を予測した。この配列は、ＡＬＬＭＯＴＩ５および１０７ｘ１７８ｘ４モチーフの両方により同定された第１の領域に完全に含まれていた。
【０２６５】
図４２は、第２の黄色ブドウ球菌毒素、エンテロトキシンＡ型に対して行った検索モチーフの結果を示す。ＡＬＬＭＯＴＩ５モチーフは、アミノ酸残基２２〜７０およびアミノ酸残基１６４〜２０５にある２つの領域を同定した。１０７ｘ１７８ｘ４モチーフは２つの領域（アミノ酸残基２６〜６９において第１の領域、およびアミノ酸残基１６５〜１９２において第２の領域）を見出した。Ｐ２３ＬＺＩＰＣモチーフ検索では、アミノ酸残基２１６〜２５０における領域が明らかになった。Ｌｕｐａｓプログラムは、コイルドコイル領域を予測しなかった。
【０２６６】
図４３は、大腸菌非耐熱性エンテロトキシンＡ型タンパク質に対して行われたモチーフ検索の結果を示し、このタンパク質中にあるペプチドに対応するＤＰ１７８／ＤＰ１０７類似体の同定を示す。ＡＬＬＭＯＴＩ５モチーフは、２つの領域（アミノ酸残基５５〜１１５において第１の領域、およびアミノ酸残基２１６〜２５４において第２の領域）を同定した。１０７ｘ１７８ｘ４モチーフは、アミノ酸残基７８〜１０５において単一の領域を同定した。Ｌｕｐａｓプログラムは、コイルドコイル領域を予測しなかった。
【０２６７】
２５． 実施例：種々のヒトタンパク質中のＤＰ１７８／ＤＰ１０７類似体のコンピューター支援による同定
ここで示す結果は、数種の異なるヒトタンパク質中に存在するペプチド配列に相当するＤＰ１７８／ＤＰ１０７類似体の同定を示す。
【０２６８】
図４４には、ヒトｃ−ｆｏｓ腫瘍性タンパク質について実施した検索モチーフの結果を示す。ＡＬＬＭＯＴＩ５モチーフにより、アミノ酸残基１５５〜１９３にある１つの領域が同定された。１０７ｘ１７８ｘ４モチーフにより、アミノ酸残基１６２〜１９３にある１つの領域が同定された。Ｌｕｐａｓプログラムにより、アミノ酸残基１４８〜２０１にある領域がコイルドコイル構造を持つことが予測された。
【０２６９】
図４５には、ヒト狼瘡ＫＵ自己抗原タンパク質Ｐ７０について実施した検索モチーフの結果を示す。ＡＬＬＭＯＴＩ５モチーフにより、アミノ酸残基２２９〜２８０にある１つの領域が同定された。１０７ｘ１７８ｘ４モチーフにより、アミノ酸残基２３５〜２９２にある１つの領域が同定された。Ｌｕｐａｓプログラムにより、アミノ酸残基２３２〜２６７にある領域がコイルドコイル構造を持つことが予測された。
【０２７０】
図４６には、ヒトジンクフィンガータンパク質１０について実施した検索モチーフの結果を示す。ＡＬＬＭＯＴＩ５モチーフにより、アミノ酸残基２９〜８１にある１つの領域が同定された。１０７ｘ１７８ｘ４モチーフにより、アミノ酸残基２９〜５６にある１つの領域が同定された。Ｐ２３ＬＺＩＰＣモチーフ検索から、アミノ酸残基４２０〜４５７にある１つの領域が見出された。Ｌｕｐａｓプログラムにより、コイルドコイル領域が全くないことが予測された。
【０２７１】
２６． 実施例：潜在的麻疹ウイルスＤＰ１７８／ＤＰ１０７類似体：ＣＤおよび抗ウイルス特性決定
ここで示す実施例では、上記の第９節および第２１節に示す実施例において記載したコンピューター支援検索モチーフを利用することにより同定された麻疹（ＭｅＶ）ウイルスＤＰ１７８様ペプチドを、抗ＭｅＶ活性について試験する。さらに、該ペプチドについて円偏光二色性（ＣＤ）構造分析を、下記に述べるようにして行う。同定されたペプチドの幾つかが強い抗ウイルス能を示すことが実証される。さらに、これらのペプチドがいずれも実質的ならせん特性を示さないことが示される。
【０２７２】
２６．１． 材料および方法
構造分析：ＣＤスペクトルは、１０ｍＭリン酸ナトリウム、１５０ｍＭ塩化ナトリウム、ｐＨ７．０の緩衝液中で、約１０ｍＭの濃度にて、光路長１ｃｍのセルを用いて、Ｊｏｂｉｎ／Ｙｖｏｎオートダイクログラフマーク（Ａｕｔｏｄｉｃｈｒｏｇｒａｐｈ Ｍａｒｋ）Ｖ ＣＤ分光光度計で測定した。ペプチドの濃度は、Ｅｄｌｅｈｏｃｈの方法（１９６７， Ｂｉｏｃｈｅｍｉｓｔｒｙ ６：１９４８）を用いてＡ２８０から求めた。
【０２７３】
抗ＭｅＶ抗ウイルス活性シンシチウム減少アッセイ：ここで利用するアッセイでは、ＭｅＶに急性感染させたＶｅｒｏ細胞（すなわち、２〜３回の感染多重度で感染している細胞）の融合してＶｅｒｏ細胞の未感染系の単層上でシンシチウム形成を引き起こす能力を破壊する、上記ペプチドの能力を調べた。ペプチドが強力であるほど、観察される融合レベルは低く、該ペプチドの抗ウイルス活性は大きい。
【０２７４】
Ｖｅｒｏ細胞の未感染のコンフルエントな単層は、マイクロタイターウェル内で、ウシ胎児血清（ＦＢＳ；３０分間にわたり５６℃で熱不活性化してあるもの；Ｂｉｏ ＷｈｉｔｔａｋｅｒカタログＮｏ．１４−５０１Ｆ）を１０％で補充し、抗生物質／抗真菌剤（Ｂｉｏ ＷｈｉｔｔａｋｅｒカタログＮｏ．１７−６０２Ｅ）を１％で添加し、かつグルタミンを１％で添加した１０％ＦＢＳ ＥＭＥＭ（イーグル最少必須培地）ｗ／ｏ Ｌ−グルタミン（Ｂｉｏ Ｗｈｉｔｔａｋｅｒ カタログＮｏ．１２−１２５Ｆ）中で増殖させた。
【０２７５】
未感染細胞に加えるための急性感染Ｖｅｒｏ細胞を調製するために、急性感染させたＶｅｒｏ細胞の培養物をＨＢＳＳ（Ｂｉｏ ＷｈｉｔｔａｋｅｒカタログＮｏ．１０−５４３Ｆ）で２回洗浄し、細胞の単層をトリプシン（Ｂｉｏ ＷｈｉｔｔａｋｅｒカタログＮｏ．１７−１６１Ｅ）で取り出した。細胞がとれたら、培地を添加し、残っている細胞の塊を分散させ、血球計数器による細胞計数を行った。
【０２７６】
抗ウイルスアッセイは、まず未感染Ｖｅｒｏ細胞を含むウェルから培地を全て除去し、次にペプチドの１０％ＦＢＳ ＥＭＥＭ溶液（後記に記載の希釈度のもの）とウェル当たり５０〜１００個の急性ＭｅＶ感染Ｖｅｒｏ細胞とを添加することにより行った。次に、ウェルを３７℃で最長１８時間にわたりインキュベートした。
【０２７７】
第２日目に、対照ウェル内の細胞を融合中心についてチェックした後、該ウェルから培地を取り除き、続いて、各ウェルに０．２５％クリスタルバイオレット染色剤のメタノール溶液を約５０μｌ添加した。直ちにウェルを水で２回すすいで余分な染色剤を除去し、次に乾燥させた。次いで、解剖顕微鏡を用いてウェル当たりのシンシチウムの数を計数した。
【０２７８】
抗ＭｅＶ抗ウイルス活性プラーク減少アッセイ：ここで利用するアッセイでは、ＭｅＶの許容性未感染Ｖｅｒｏ細胞を感染させ、感染細胞と未感染細胞との融合を起こしてシンシチウムを生じる能力を破壊する、上記ペプチドの能力を調べる。観察されるシンシチウム形成レベルが低いほど、ペプチドの抗ウイルス活性は大きい。
【０２７９】
未感染Ｖｅｒｏ細胞の単層は、上記で記載したようにして増殖させる。
【０２８０】
抗ウイルスアッセイは、まず未感染Ｖｅｒｏ細胞を含むウェルから培地を全部除去し、次にペプチドの１０％ＦＢＳ ＥＭＥＭ溶液（後記の希釈度のもの）とウェル当たり最終濃度が３０プラーク形成単位（ＰＦＵ）のＭｅＶストックウイルスとを添加することにより行った。次にウェルを３７℃で最低３６時間かつ最長４８時間にわたりインキュベートした。
【０２８１】
第２日目に、対照ウェル内の細胞を融合中心についてチェックした後、該ウェルから培地を取り除き、続いて各ウェルに０．２５％クリスタルバイオレット染色剤のメタノール溶液を約５０μｌ加えた。直ちにウェルを水で２回すすいで余分な染色剤を除去し、次に乾燥させた。次にウェル当たりのシンシチウムの数を、解剖顕微鏡を用いて計数した。
【０２８２】
ペプチド：ここで示す研究において特性決定したペプチドは、図４７に示すように、ペプチドＴ−２５２Ａ０〜Ｔ−２５６Ａ０、Ｔ−２５７Ｂ１／Ｃ１、Ｔ−２５８Ｂ１〜Ｔ−２６５Ｂ０、およびＴ−２６６Ａ０〜Ｔ−２６８Ａ０であった。これらのペプチドは、ＭｅＶ融合タンパク質のＤＰ１７８様領域を通るウォークである。
【０２８３】
各ペプチドは、１００μｇ／ｍｌ〜約１００ｎｇ／ｍｌの範囲の２倍連続希釈率で試験した。アッセイの各々について、ペプチドを含まないウェルも用いた。
【０２８４】
２６．２ 結果
図４７にまとめたデータは、ＭｅＶ融合タンパク質のＤＰ１７８様領域を通る「ペプチドウォーク」により得られた抗ウイルス性および構造に関する情報を表わす。
【０２８５】
図４７に示すように、ＭｅＶ ＤＰ１７８様ペプチドは、粗製ペプチドとして、ある範囲の抗ウイルス活性を示した。これらのペプチドのうちの幾つかを、精製および更なる抗ウイルス特性決定のために選び出した。図４７に示すように、そのようなペプチドのＩＣ５０値を求めたところ、１．３５μｇ／ｍｌ（Ｔ−２５７Ｂ１／Ｃ１）〜０．０７２μｇ／ｍｌ（Ｔ−２６５Ｂ１）の範囲であった。上記ＤＰ１７８様ペプチドはいずれも、ＣＤ分析により検出可能ならせん性レベルを示さなかった。
【０２８６】
したがって、例えば第９節で示した実施例の場合と同様に、上記で記載したコンピューター支援検索によって、非常に有望な抗ＭｅＶ抗ウイルス性化合物となるウイルスペプチドドメインがうまく同定された。
【０２８７】
２７． 実施例：潜在的ＳＩＶ ＤＰ１７８／ＤＰ１０７類似体：抗ウイルス特性決定
ここで示す実施例では、上記のセクション９、１２および１９で示した実施例において記載したコンピューター支援検索モチーフを利用して同定されたサル免疫不全ウイルス（ＳＩＶ）のＤＰ１７８様ペプチドを、抗ＳＩＶ活性について調べた。同定されたペプチドのうちの幾つかが強い抗ウイルス能を示すことが実証される。
【０２８８】
２７．１ 材料および方法
抗ＳＩＶ抗ウイルスアッセイ：ここで用いたアッセイは、Ｌａｎｇｏｌｉｓら（Ｌａｎｇｏｌｉｓ Ａ．Ｊ．ら， １９９１， ＡＩＤＳ Ｒｅｓｅａｒｃｈ ａｎｄ Ｈｕｍａｎ Ｒｅｔｒｏｖｉｒｕｓｅｓ ７：７１３−７２０）で報告されたものとした。
【０２８９】
ペプチド：ここで示す研究において特性決定したペプチドは、図４８に示すように、ペプチドＴ−３９１〜Ｔ−４００とした。これらのペプチドは、ＳＩＶ ＴＭタンパク質のＤＰ１７８様領域を通るウォークに該当する。
【０２９０】
各ペプチドは、１００μｇ／ｍｌ〜約１００ｎｇ／ｍｌの範囲の２倍連続希釈率で試験した。アッセイの各々について、ペプチドを含まないウェルも用いた。
【０２９１】
２７．２ 結果
図４８にまとめたデータは、ＳＩＶ ＴＭタンパク質のＤＰ１７８様領域を通る「ペプチドウォーク」により得られた抗ウイルス性に関する情報を表わす。
【０２９２】
図４８に示すように、ペプチドＴ−３９１〜Ｔ−４００を試験したところ、粗製ペプチドとして強い抗ウイルス活性を示した。
【０２９３】
したがって、例えば第９節に示した実施例の場合と同様に、上記で記載したコンピューター支援検索によって、非常に有望な抗ＳＩＶ抗ウイルス性化合物となるウイルス性ペプチドドメインがうまく同定された。
【０２９４】
２８． 実施例：ＤＰ１０７ペプチドおよびＤＰ−１７８ペプチドの末端切断体および突然変異体の抗ウイルス活性
このセクションで示す実施例では、ＤＰ１０７およびＤＰ１７８の末端切断体（ｔｒｕｎｃａｔｉｏｎｓ）および突然変異体（ｍｕｔａｔｉｏｎｓ）の抗ウイルス活性の研究を示す。これらのＤＰ１０７およびＤＰ１７８の改変型ペプチドのうちの幾つかが、実質的な抗ウイルス活性を示すことが実証される。
【０２９５】
２８．１ 材料および方法
抗ＨＩＶアッセイ：実施した抗ウイルスアッセイは、上記の第６．１節で記載したものと同様とした。アッセイでは、ＨＩＶ−１／ＩＩＩｂおよび／またはＨＩＶ−２ ＮＩＨＺ単離物を用いた。図４９Ａ〜Ｃで特に但し書きがない限り、精製したペプチドを用いた。
【０２９６】
ペプチド：ここで示す研究において特性決定したペプチドは、以下のものとした。
【０２９７】
１）図４９Ａ〜Ｃでは、ＨＩＶ−１ ＢＲＵ単離物のＤＰ１７８領域を囲み、かつ該領域を含む領域に由来するペプチドを示す。具体的に述べると、この領域は、ｇｐ４１のアミノ酸残基６１５からアミノ酸残基７１７に及ぶものであった。列記したペプチドは、この領域の末端切断体および／またはＤＰ１７８配列のアミノ酸配列とは異なる突然変異体を含む。さらに、図に示されているように、これらペプチドの中には、アミノ末端基および／またはカルボキシ末端基が付加または除去されているものがある。
【０２９８】
２）図５０では、ＤＰ１０７の末端切断体および／またはＨＩＶ ＢＲＵ単離物のＤＰ１０７アミノ酸配列を囲むｇｐ４１領域に該当するペプチドを示す。図に示されているように、それらペプチドの中には、ブロックされていないもの、またはビオチン化されているものがある。
【０２９９】
ブロック化ペプチドは、アシルＮ末端およびアミドＣ末端を含んでいた。
【０３００】
２８．２ 結果
抗ＨＩＶ抗ウイルス性のデータは、図４９Ａ〜Ｃに示すグループ１のＤＰ１７８由来ペプチドを用いて得た。示されている完全長で非突然変異型のＤＰ１７８ペプチド（図４９Ａ〜ＣではＴ２０と称する）の結果は、４ｎｇ／ｍｌについてのものである。
【０３０１】
図４９Ａにおいて、多くのＤＰ１７８末端切断体は、それらのＩＣ５０値が低いことから明らかなように、高レベルの抗ウイルス活性を示した。これらとしては、例えば試験ペプチドＴ−５０、Ｔ−６２４、Ｔ−６３６〜Ｔ−６４１、Ｔ−６４５〜Ｔ−６５０、Ｔ−６５２〜Ｔ６５４、およびＴ−６５６が含まれる。Ｔ−５０は、残基の背景に陰影を付けたものによって示される点突然変異を含んだ試験ペプチドである。これらＨＩＶ−１由来の試験ペプチドは、ＨＩＶ−２ ＨＩＨＺ単離物について試験したペプチドがいずれも認め得るほどの抗ＨＩＶ−２抗ウイルス活性を示さなかった点において、異なる株特異的な抗ウイルス活性を示した。
【０３０２】
図４９Ｂに示すペプチドの中で、ＤＰ１７８のアミノ末端側半分（Ｔ−４）およびカルボキシ末端側半分（Ｔ−３）に該当するペプチドを試験した。アミノ末端側ペプチドは活性ではなかったが（ＩＣ５０＞４００μｇ／ｍｌ）、カルボキシ末端側ペプチドは強い抗ウイルス活性を示した（ＩＣ５０＝３μｇ／ｍｌ）。幾つかの別の試験ペプチドも、高レベルの抗ウイルス活性を示した。これらとしては、例えばＴ−６１／Ｔ−１０２、Ｔ−２１７〜Ｔ−２２１、Ｔ−２３５、Ｔ−３８１、Ｔ−６７７、Ｔ−３７７、Ｔ−５９０、Ｔ−３７８、Ｔ−５９１、Ｔ−２７１〜Ｔ−２７２、Ｔ−６１１、Ｔ−２２２〜Ｔ−２２３およびＴ−６０／Ｔ−２２４が含まれる。抗ウイルス性ペプチドの中には、点突然変異および／またはＤＰ１７８のアミノ酸配列とは異なるアミノ酸残基の付加を含むものがある。
【０３０３】
図４９Ｃでは、ＤＰ１７８のアミノ酸配列そのものに、点突然変異、ならびに／またはアミノ末端および／もしくはカルボキシ末端の修飾が導入されている。図に示されているように、示されている試験ペプチドの大部分が強い抗ウイルス活性を示す。
【０３０４】
図５０に示すように、ＤＰ１０７ペプチド（図５０ではＴ２１と称する）の末端切断体も作製して、試験した。また図５０では、ＤＰ１０７配列が存在するｇｐ４１領域からの追加のアミノ酸残基を含むブロック化ペプチドおよび非ブロック化ペプチドに関するデータも示している。これらのペプチドの大部分は、それらのＩＣ５０値が低いことから明らかなように、抗ウイルス活性を示した。
【０３０５】
したがって、このセクションで示す結果から、完全長ＤＰ１０７およびＤＰ１７８ペプチドが強い抗ウイルス活性を示すだけでなく、これらのペプチドの末端切断体および／または突然変異体の改変型も実質的な抗ウイルス特性を持つことが実証される。
【０３０６】
２９． 実施例：潜在的エプスタイン・バーＤＰ１７８／ＤＰ１０７類似体：抗ウイルス特性決定
ここで示す実施例では、上記の第２０節で示す実施例において同定したＺｅｂｒａタンパク質のエプスタイン・バー（ＥＢＶ）ＤＰ−１７８／ＤＰ１０７類似領域から誘導したペプチドを説明し、抗ＥＢＶ活性について試験する。これらのペプチドの中に、強い抗ウイルス活性を示すものがあることが実証される。
【０３０７】
２９．１ 材料および方法
電気泳動移動度シフトアッセイ（ＥＭＳＡ）：簡単に述べると、ＳＰ６ ＲＮＡポリメラーゼｉｎ ｖｉｔｒｏ転写およびコムギ胚芽ｉｎ ｖｉｔｒｏ翻訳系（Ｐｒｏｍｅｇａ Ｃｏｒｐｏｒａｔｉｏｎ推奨；Ｂｕｔｌｅｒ， Ｅ．Ｔ．およびＣｈａｍｂｅｒｌａｉｎ， Ｍ．Ｊ．， １９８４， Ｊ． Ｂｉｏｌ． Ｃｈｅｍ． ２５７：５７７２；Ｐｅｌｈａｍ， Ｈ．Ｒ．Ｂ．およびＪａｃｋｓｏｎ， Ｒ．Ｊ．， １９７６， Ｅｕｒ． Ｊ． Ｂｉｏｃｈｅｍ． ６７：２４７）を用いて、ＥＢＶ Ｚｅｂｒａタンパク質を合成した。次に、ｉｎ ｖｉｔｒｏ翻訳したＺｅｂｒａタンパク質を、最大２５０ｎｇ／ｍｌまで徐々に増大させた量のペプチドと共にプレインキュベートした後、１０，０００〜２０，０００ｃ．ｐ．ｍ．の３２Ｐ標識Ｚｅｂｒａ応答エレメントＤＮＡ断片を添加した。この応答エレメントの存在下で２０分間インキュベートした後、反応物を４％未変性ポリアクリルアミドゲルで分析し、続いて標準的ゲルシフト法を用いてオートラジオグラフィーを行った。試験ペプチドのＺｅｂｒａホモダイマーＤＮＡ結合を阻止する能力は、タンパク質結合核酸分子の応答エレメントゲル移動遅延特性を破壊する該ペプチドの能力によりアッセイした。
【０３０８】
ペプチド：この研究において特性決定したペプチドは、上記の第２０節に示す実施例において同定され、かつ図３３に示されるように示されるＤＰ１７８／ＤＰ１０７類似領域を含み、かつ両側が該領域に隣接している領域をたどるペプチドウォークに該当する。具体的に述べると、このペプチド歩行は、ＥＢＶ Ｚｅｂｒａタンパク質のアミノ酸残基１７３からアミノ酸残基２４６までの領域を含むものであった。
【０３０９】
試験したペプチドの各々を、ある範囲の濃度にて分析したが、この際、１５０ｎｇ／ｍｌが最低濃度であり、この濃度において、全ての上記ペプチドが抑制作用を示した。
【０３１０】
２９．２ 結果
ＥＢＶ Ｚｅｂｒａタンパク質転写因子は、上記の第２０節で示す実施例において実証されているように、ＤＰ１７８／ＤＰ１０７類似領域を含んでいる。このタンパク質は、このウイルスの再活性化能に関与する主要な因子であると考えられる。したがって、ＺｅｂｒａウイルスのＤＮＡ結合機能を破壊できる方法は、有効な抗ウイルス法となり得る。したがって、潜在的抗ＥＢＶ ＤＰ１７８／ＤＰ１０７ペプチドを同定するために、上記の第２０節において同定した領域由来のペプチドを、Ｚｅｂｒａタンパク質ＤＮＡ結合を抑制するそれらの能力について試験した。
【０３１１】
試験ペプチドの、Ｚｅｂｒａタンパク質ＤＮＡ結合を抑制する能力は、上記の第２８．１節に記載したＥＭＳＡアッセイによりアッセイした。図５１Ａ〜Ｂにまとめたデータは、列記したＥＢＶ試験ペプチドのＥＭＳＡアッセイの結果を示している。これらのペプチドは、上記第２０節に示す実施例において同定され、かつ図３３に示されるように示されるＤＰ１７８／ＤＰ１０７類似領域を含み、かつ両側が該領域に隣接している領域を通る１アミノ酸「ウォーク」に該当する。図５１Ａ〜Ｂに示すように、これらのペプチドが由来する領域は、ＥＢＶ Ｚｅｂｒａタンパク質のアミノ酸残基１７３〜２４６に位置する。４３９、４４１、４４４および４４５を含むアッセイした多くの試験ペプチドが、Ｚｅｂｒａタンパク質ホモダイマーＤＮＡ結合を抑制する能力を示した。
【０３１２】
Ｚｅｂｒａタンパク質ＤＮＡ結合を抑制する能力を示すこれらのペプチドは、潜在的抗ＥＢＶ抗ウイルス性化合物ということになり、それらのＥＢＶ感染を抑制する能力はさらに特性付けることができる。
【０３１３】
３０． 実施例：結合親和性が低下しているＲＳＶ ＤＰ１０７／ＤＰ１７８類似体の同定
ここで示す実施例では、ＲＳＶ ＤＰ１７８類似体Ｔ１１２から誘導されるペプチドを説明し、ＲＳＶ Ｆ１−タンパク質のＤＰ１０７様ドメインに対する結合親和性について試験する。それらのＤＰ１０７様の標的に対する結合親和性が低下している特定のペプチドを同定し、天然のペプチド（すなわちＴ１１２）に高い結合親和性を付与している重要なアミノ酸残基を同定する。そのようなペプチドは、例えばＤＰ１０７とＤＰ１７８との間の相互作用を抑制もしくは破壊する化合物を同定するための上記の第５．６．１節で記載したようなスクリーニングアッセイにおいて、ならびに低親和性の結合を示す別のペプチドの作製を誘導する上で有用である。
【０３１４】
３０．１ 材料および方法
ＲＳＶ Ｆ１−タンパク質のマルトース結合融合タンパク質（ＭＦ５．１）は、Ｍ４１融合タンパク質を構築するために第８．１．２節で記載した方法（前掲）と同様の方法を用いて構築した。具体的に述べると、ＲＳＶ Ｆ１タンパク質のアミノ酸残基１４２〜３０２に相当するＤＮＡ配列をＰＣＲにより増幅し、発現ベクターｐＭａｌ−ｐ２（Ｎｅｗ Ｅｎｇｌａｎｄ Ｂｉｏｌａｂ）のＸｍｎＩ部位にクローニングして、ＭＦ５．１を得た。これらのアミノ酸残基は、そのＤＰ１０７領域は含むがＤＰ１７８領域は除くＲＳＶ Ｆ１タンパク質の細胞外ドメインに相当する。
【０３１５】
ここで示す研究において特性決定するペプチドは、図５３に示すように、Ｔ１２２、Ｔ８００、Ｔ８０１、Ｔ８０２、Ｔ８０３、Ｔ８０４、Ｔ８０５、Ｔ８０６、Ｔ８０７、Ｔ８０８、Ｔ８０９、Ｔ８１０、Ｔ８１１、Ｔ１６６９、Ｔ１６７０、Ｔ１６７１、Ｔ１６７２、Ｔ１６７３、Ｔ１６８０、Ｔ１６８１、Ｔ１６８２、Ｔ１６８３およびＴ１６８４であった。Ｔ１１２は、ＲＳＶ Ｆ１タンパク質のＤＰ１７８様領域に該当する。特性決定される他のペプチドは、Ｔ１１２由来の改変型ＤＰ１７８タンパク質である。
【０３１６】
上記の第１７節で記載したペプチドの各々を用いて、細胞融合アッセイを行った。また、各ペプチドの結合親和性も、上記の第５．６．１節で記載した競合的結合アッセイで測定したが、そこでは、Ｍ５．１融合タンパク質に結合し、それによって該融合タンパク質へのビオチン標識Ｔ１１２（Ｔ８８８）の結合を破壊するのに必要な各ペプチドの濃度（すなわちＢ５０値）を測定した。
【０３１７】
３０．２ 結果
Ｔ１１２は、ＲＳＶ Ｆ１タンパク質のアミノ酸残基４８２〜５１６に相当する３５個のアミノ酸残基からなるペプチドであり、次のアミノ酸配列を有する：ＶＦＰＳＤＥＦＤＡＳＩＳＱＶＮＥＫＩＮＱＳＬＡＦＩＲＫＳＤＥＬＬＨＮＶ。このペプチドは、ＲＳＶ Ｆ１タンパク質のＤＰ１７８様領域に該当し、上記の第１７．２節で述べ、図２８Ａに示すように、ＲＳＶに対して実質的な抗ウイルス活性を持つ。
【０３１８】
Ｔ１１２類似体は、少なくとも３種の異なる方法に従って作製して、依然としてＲＳＶ Ｆ１タンパク質のＤＰ１０７様ドメインに結合するが結合親和性は低いＴ１１２ベースのペプチドを作製した。まず、末端切断型のペプチドを作製して、該ペプチドの長さを３５アミノ酸残基から２８アミノ酸残基に減らした。具体的に述べると、この末端切断型のペプチド（本明細書中ではＴ６７と称する）は、Ｆ１融合タンパク質のアミノ酸残基４８６〜２１３に相当する次のアミノ酸配列を有する：ＤＥＦＤＡＳＩＳＱＶＮＥＫＩＮＱＳＬＡＦＩＲＫＳＤＥＬＬ。ＦＩタンパク質のＤＰ１０７様ドメインに対するこのペプチドの結合親和性を、上記の第５．６．１節に記載した方法に従って測定した。この末端切断型のペプチドは、完全長Ｔ１１２ペプチドの結合親和性（２ｎＭ）の１／５の結合親和性（５ｎＭ）を有していた。
【０３１９】
第２の方法の一部として、図５３におけるＴ８００〜Ｔ８１１と同定されたペプチドを合成して、該ペプチドの結合親和性の大部分に寄与するＴ１１２中の特定のアミノ酸を同定した。全体的にみて、これらのアラニン置換は、Ｔ１１２の配列全体にわたる「アラニン−スキャニング」型のウォークである。
【０３２０】
合成したペプチドの各々は、Ｔ１１２の配列において、３個の連続するアミノ酸残基が３個のアラニン残基に変化していた。各ペプチドは、上記の第５．６．１節で記載した競合的結合アッセイにおいて、天然のペプチド（すなわちＴ１１２）の結合を抑制するその能力について試験した。この結果も図５３に示す。特に、ペプチドＴ８０２、Ｔ８０４、Ｔ８０７およびＴ８１０は、ＤＰ１０７様標的に対する親和性が有意に低下しており、このことは、ＲＳＶ Ｆ１タンパク質のアミノ酸残基４８８〜４９０、４９４〜４９６、５０３〜５０５および５１２〜５１４（それぞれ、Ｔ１１２のアミノ酸残基７〜９、１３〜１５、２２〜２４および３１〜３３）を含む領域が、ＲＳＶ Ｆ１タンパク質においてＴ１１２のそのＤＰ１０７様標的に対する高い結合親和性に大きく寄与していることを示唆している。
【０３２１】
次に、ペプチドＴ１６６９〜Ｔ１６７３およびＴ１６８０〜Ｔ１６８４を合成したが、それらの各々は、Ｔ１１２の上記で挙げたアミノ酸残基の位置の１つにおいて、１つのアラニン置換を含んでいる。これらのペプチドの、それらのＤＰ１０７様標的に対する結合親和性も、同様のルーチンなスクリーニングアッセイにより測定でき、それにより、Ｔ１１２の結合親和性に影響を及ぼす個々のアミノ酸残基を同定できる。
【０３２２】
さらに、同定したＴ１１２の配列中の種々のアミノ酸残基を、タンパク質および設計の標準的原理を用いて、結合親和性、溶解性および生物学的安定性などの特性に影響を及ぼしながら改変することにより、別の新規なペプチド（Ｔ７８６と称する）を作製した。具体的に述べると、次のアミノ酸残基の置換を行った：Ｆ２→Ｙ、Ｓ２１→Ａ、Ｆ２４→ＹおよびＳ２８→Ａ（但し、下付きの数字はＴ１１２におけるアミノ酸残基の位置を示す）。したがって、こうして得られたペプチド（本明細書中ではＴ７８６と称する）は、次のアミノ酸配列を有する：ＶＹＰＳＤＥＦＤＡＳＩＳＱＶＮＥＫＩＮＱＡＬＡＹＩＲＫＡＤＥＬＬＨＮＶ。
【０３２３】
この新規なペプチドのＤＰ１０７標的に対する結合親和性は、１９ｎＭ（すなわち、Ｔ１１２の結合親和性の約１／１０）であることが判った。
【０３２４】
このデータから、ＤＰ１０７標的（すなわちＨＲ１ドメイン）に対する結合親和性が低下しているペプチドは、例えば本明細書中で記載されるルーチンな技法およびアッセイによりＴ１１２などのＤＰ１７８ペプチドを改変することによって容易に見つけることができることが実証される。さらに、それらの技法およびアッセイにより、親和性が低下している他のペプチドを構築し同定するのに使用可能な重要なアミノ酸残基が同定される。
【０３２５】
３１． 実施例：結合親和性が低下しているＨＩＶ ＤＰ１０７／ＤＰ１７８類似体の同定
ここで示す実施例では、ＤＰ１７８（Ｔ２０とも称する）由来のペプチドを説明し、ＨＩＶ ｇｐ４１のＤＰ１０７ドメインに対する結合親和性について試験する。それらのＤＰ１０７標的に対する結合親和性が低下している特定のペプチドを同定し、天然のペプチド（すなわちＴ２０）に高い結合親和性を付与する重要なアミノ酸残基を同定する。そのようなペプチドは、例えばＤＰ１０７とＤＰ１７８との間の相互作用を抑制もしくは破壊する化合物を同定するための、上記の第５．６．１節で記載したようなスクリーニングアッセイにおいて有用である。
【０３２６】
具体的に述べると、図５３においてＴ８１３およびＴ８６８〜Ｔ８７８として同定されたペプチドを合成して、そのペプチドの結合親和性の大部分に寄与するＴ２０（ＤＰ１７８）中の特定のアミノ酸を同定した。合成したペプチドの各々では、Ｔ２０の配列における３個の連続するアミノ酸残基が３個のアラニン残基に変化していた。各ペプチドの抗ウイルス活性は、上記の第６．１．３節で記載したような細胞融合アッセイでアッセイした。また、上記ペプチドの結合親和性も、上記の第５．６．１節で記載した競合的結合アッセイで測定したが、その場合、各ペプチドの、ビオチン（Ｔ８３）またはフルオレセイン（Ｔ１３４２）で標識したＤＰ１７８（Ｔ２０）と上記の第８節で記載したＭ４１Δ１７８融合タンパク質との結合を破壊する能力を測定した。また、Ｔ７６４と称するペプチド（ＧＳＴＭＧＡＲＳＭＴＬＴＶＱＡＲＱＬＬＳＧＩＶＱＱＮＮＬＬＲＡＩＥＡＱＱＨ）に対する各ペプチドの結合親和性も円偏光二色性を用いて測定して、該ペプチドがとる二次構造の量（すなわちらせん性）をモニターした。Ｔ７６４は、ＤＰ１７８（Ｔ２０）のＤＰ１０７標的ドメインに該当するペプチドである。
【０３２７】
結果を図５４に示す。特に、ペプチドＴ８１３、Ｔ８７８、Ｔ８７４〜Ｔ８７６およびＴ８７１は、ＤＰ１０７領域に対する親和性が有意に低下しており、このことは、それらのペプチドにおける置換されたアミノ酸残基に相当する領域が、Ｔ２０の高い結合親和性に大きく寄与していることを示唆している。次に、ペプチドＴ１６２７〜Ｔ１６３２、Ｔ１６５０〜Ｔ１６５３およびＴ１６５６〜Ｔ１６６５を合成した。これらのペプチドの各々は、Ｔ２０の高い結合親和性に大きく寄与すると同定された領域の１つにあるアミノ酸残基の１つにおいて１つのアラニン置換を含んでいる。これらのペプチドの結合親和性を測定した同じアッセイにより、アラニン置換がＤＰ１０７ドメインへの結合を完全に阻止する４種の極めて重要な残基（Ｉ６４６、Ｑ６５２、Ｑ６５３およびＮ６５６；但し、下付きの数字はＨＩＶ−１ＬＡＩ ｇｐ４１のアミノ酸配列における残基の位置を示している）、ならびに、ＨＩＶ−１ＬＡＩ ｇｐ４１のアミノ酸配列におけるアラニン置換の位置が結合親和性は低下させるが、ＤＰ１０７ドメインへの結合を実際にはブロックしない５種の残基（Ｌ６４１、Ｉ６４２、Ｉ６４５、Ｅ６５７およびＬ６６３；但し、下付きの数字は残基を示している）が同定された。
【０３２８】
データから、ＤＰ１０７標的（すなわちＨＲ１ドメイン）に対する結合親和性が低下しているペプチドは、Ｔ２０などのＤＰ１７８ペプチドを改変することにより、例えば本明細書中で記載されるルーチンな技法およびアッセイにより、容易に見つけることができることが実証される。さらに、それらの技法およびアッセイにより、親和性が低下している他のペプチドを構築し同定するのに使用可能な重要なアミノ酸残基が同定される。
【０３２９】
本発明は、記載した特定の実施形態により範囲が限定されるものではなく、それらの実施形態は本発明のそれぞれの態様の単なる説明にすぎず、機能的に同等の方法および化合物は本発明の範囲内にあるとする。事実、本明細書中で示し記載したもの以外にも、本発明の種々の変更は、上記の記載および添付する図面から、当業者には明らかとなろう。そのような変更は、最後に添付する請求項の範囲内にあるものとする。
【図面の簡単な説明】
【図１】
図１は、ＨＩＶ−１ＬＡＩに由来するＤＰ１７８のアミノ酸配列（配列番号１）；ＨＩＶ−１ＳＦ２に由来するＤＰ１７８相同体のアミノ酸配列（ＤＰ−１８５；配列番号３）、ＨＩＶ−１ＲＦに由来するＤＰ１７８相同体のアミノ酸配列（配列番号４）、およびＨＩＶ−１ＭＮに由来するＤＰ１７８相同体のアミノ酸配列（配列番号５）；２種の原型ＨＩＶ−２分離株のアミノ酸配列に由来するＤＰ１７８相同体のアミノ酸配列、すなわちＨＩＶ−２ｒｏｄのアミノ酸配列に由来するＤＰ１７８相同体のアミノ酸配列（配列番号６）およびＨＩＶ−２ＮＩＨＺのアミノ酸配列に由来するＤＰ１７８相同体のアミノ酸配列（配列番号７）；ＤＰ１７８のアミノ酸残基が無秩序な順序で組み込まれたペプチドである対照ペプチドＤＰ−１８０のアミノ酸配列（配列番号２）；ＤＰ１７８に無関係で細胞から遊離したＨＩＶ−１ウイルスの感染を阻害するＤＰ−１１８のアミノ酸配列（配列番号１０）；ＤＰ１７８に無関係で、同様に、細胞から遊離したＨＩＶ−１ウイルスの感染を阻害するＤＰ−１２５のアミノ酸配列（配列番号８）；ＤＰ１７８に無関係で、細胞から遊離したウイルスの感染アッセイを用いて試験したときにＨＩＶ−１感染の阻害に関して陰性であるＤＰ−１１６のアミノ酸配列（配列番号９）を示す。図全体を通して、１文字のアミノ酸略号を使用する。
【図２】
図２は、合成ペプチドによる細胞から遊離したＨＩＶ−１ウイルスの感染の阻害を示す。ＩＣ５０は、未処理の対照と比較して感染細胞からのＲＴ産生を５０％阻害するペプチドの濃度を意味する。対照：処理された培養物のときと同じレベルのウイルスで感染させた未処理の細胞培養物によって産生されたＲＴのレベル。
【図３】
図３は、合成ペプチドＤＰ１７８（配列番号１）による細胞から遊離したＨＩＶ−１およびＨＩＶ−２ウイルスの感染の阻害を示す。ＩＣ５０：未処理の対照と比較して感染細胞からのＲＴ産生を５０％阻害するペプチドの濃度。対照：処理された培養物のときと同じレベルのウイルスで感染させた未処理の細胞培養物によって産生されたＲＴのレベル。
【図４】
図４は、融合阻害アッセイを示す。図４Ａ：ＨＩＶ−１原型分離株に媒介されたシンシチウム形成のＤＰ１７８（配列番号１）阻害；データは、細胞１個あたりのウイルス誘導シンシチウム数を表している。図４Ｂ：ＤＰ−１８０（配列番号２）は、無秩序な対照ペプチドを表し；ＤＰ−１８５（配列番号３）は、ＨＩＶ−１ＳＦ２分離株に由来するＤＰ１７８相同体を表し；対照は、ペプチドの不在下で産生されたシンシチウムの数を意味する。
【図５】
図５は、融合阻害アッセイ：ＨＩＶ−１対ＨＩＶ−２を示す。データは、１ウェル当たりのウイルス誘導シンシチウム数を表している。ＮＤ：実施せず。
【図６】
図６は、ＣＥＭ細胞に対するＤＰ１７８（配列番号１）およびＤＰ−１１６（配列番号９）の細胞毒性試験を示す。細胞増殖データは示されていない。
【図７】
図７は、ＨＩＶ−ｇｐ４１およびマルトース結合タンパク質（ＭＢＰ）−ｇｐ４１融合タンパク質の概略図を示す。ＤＰ１０７およびＤＰ１７８は、ｇｐ４１の２つの推定ヘリックスに基づく合成ペプチドである。ＤＰ１０７ボックス中の文字Ｐは、アミノ酸番号５７８におけるＩｌｅからＰｒｏへの突然変異を示している。アミノ酸残基は、Ｍｅｙｅｒｓら， 「Ｈｕｍａｎ Ｒｅｔｒｏｖｉｒｕｓｅｓ ａｎｄ ＡＩＤＳ」， １９９１， Ｔｈｅｏｒｅｔ． Ｂｉｏｌ． ａｎｄ Ｂｉｏｐｈｙｓ． Ｇｒｏｕｐ， Ｌｏｓ Ａｌａｍｏｓ Ｎａｔｌ． Ｌａｂ．， Ｌｏｓ Ａｌａｍｏｓ， ＮＭに従って番号付けされている。これらのタンパク質については、第８．１．１節でさらに詳細に説明される。
【図８】
図８は、点突然変異がＭ４１の立体構造および抗ＨＩＶ活性を変化させることを示す。
【図９】
図９は、ＤＰ１７８抗ＨＩＶ活性の阻害を示す。１０ｎＭのＤＰ１７８と種々の濃度のＭ４１Δ１７８またはＭ４１ＰΔ１７８との存在下で細胞融合アッセイを行った。
【図１０】
図１０は、ＦＡｂ−Ｄ ＥＬＩＳＡにより分析したｇｐ４１のロイシンジッパーへのＤＰ−１７８の結合を示す。
【図１１】
図１１は、ＨＩＶ−１ ＴＭタンパク質の構造転移モデルを示す。引き金事象（おそらくＣＤ４へのｇｐ１２０の結合）に続いて天然オリゴマーから膜融合状態への構造転移を示す２つのモデルを提案する。両方モデルに共通した特徴としては、（１） ｇｐ１２０／４１のヘテロダイマーを形成する非共有結合性タンパク質−タンパク質相互作用および主にｇｐ４１相互作用部位を介してウイルス表面上でｇｐ１２０／４１複合体のホモオリゴマーを形成する他の相互作用により天然状態が一体化されていること；（２）天然状態においてＮ末端の疎水性膜融合ペプチド（Ｆ）が遮蔽されていること；ならびに（３）膜融合状態においてのみロイシンジッパードメイン（ＤＰ−１０７）がホモオリゴマーコイルドコイルとして存在することが挙げられる。これら２つのモデルの主要な差異としては、ＤＰ−１０７ドメインとＤＰ−１７８ドメインとが互いに複合化された構造状態（天然状態または膜融合状態）が挙げられる。第１のモデル（図１１Ａ）では、この相互作用は天然状態で起こり、第２のモデル（図１１Ｂ）では膜融合状態のときに起こる。引き金が引かれると、（Ａ）に記載のモデルでは、相同性ＤＰ−１０７ドメイン内にコイルドコイル相互作用を生じて融合複合体が生成され、その結果、伸長したα‐ヘリックスが形成される。この立体構造変化により、融合ペプチドが細胞膜と相互作用する位置に配置される。第２のモデル（図１１Ｂ）では、ＤＰ−１７８ドメインとＤＰ−１０７コイルドコイルとの会合により膜融合複合体が安定化される。
【図１２】
図１２は、既知のコイルドコイルのアミノ酸の７残基反復（ｈｅｐｔａｄ ｒｅｐｅａｔ）ポジショニングを用いたモチーフデザインを示す。
【図１３】
図１３は、ＤＰ−１０７およびＤＰ−１７８のアミノ酸の提案される７残基反復ポジショニングを用いたモチーフデザインを示す。
【図１４】
図１４は、ＧＣＮ４およびＤＰ−１０７を交差させたハイブリッドモチーフデザインを示す。
【図１５】
図１５は、ＧＣＮ４およびＤＰ−１７８を交差させたハイブリッドモチーフデザインを示す。
【図１６】
図１６は、ＤＰ−１０７およびＤＰ−１７８を交差させたハイブリッドモチーフデザイン１０７×１７８×４を示す。このモチーフは、適合するＤＰ−１０７様およびＤＰ−１７８様ペプチド領域を同定するうえで最も一貫性があることが判明した。
【図１７】
図１７は、ＧＣＮ４、ＤＰ−１０７、およびＤＰ−１７８を交差させたハイブリッドモチーフデザインを示す。
【図１８】
図１８は、ＧＣＮ４、ＤＰ−１０７、ＤＰ−１７８、ｃ−Ｆｏｓ、ｃ−Ｊｕｎ、ｃ−Ｍｙｃ、およびＦｌｕ Ｌｏｏｐ ３６を交差させたハイブリッドモチーフデザインＡＬＬＭＯＴＩ５を示す。
【図１９】
図１９は、Ｎ−末端プロリン−ロイシンジッパーモチーフを同定すべくデザインされたＰＬＺＩＰモチーフを示す。
【図２０】
図２０は、ＨＩＶ−１（ＢＲＵ分離株）エンベロープタンパク質ｇｐ４１の検索結果を示す。配列検索モチーフ名は次の通りである：
2004527725.tif 000048
星印（＊）：Ｌｕｐａｓ法。各モチーフにより同定されたアミノ酸配列は、各々の記号で挟んだ。１０７×１７８×４検索に基づいて選択された代表的配列は、下線を施して太字で表した。ＤＰ１０７配列およびＤＰ１７８配列は、印を付けたうえに二重の下線を施して斜体で表した。
【図２１】
図２１は、ヒト呼吸性シンシチウムウイルス（ＲＳＶ）Ａ２株の融合糖タンパク質Ｆ１の検索結果を示す。配列検索モチーフ名は、図２０に示した通りである。
【図２２】
図２２は、サル免疫不全症ウイルス（ＳＩＶ）のエンベロープタンパク質ｇｐ４１（ＡＧＭ３分離株）の検索結果を示す。配列検索モチーフ名は、図２０に示した通りである。
【図２３】
図２３は、イヌジステンパーウイルス（Ｏｎｄｅｒｓｔｅｐｏｏｒｔ株）の融合糖タンパク質１の検索結果を示す。配列検索モチーフ名は、図２０に示した通りである。
【図２４】
図２４は、ニューキャッスル病ウイルス（Ａｕｓｔｒａｌｉａ−Ｖｉｃｔｏｒｉａ／３２株）の融合糖タンパク質Ｆ１の検索結果を示す。配列検索モチーフ名は、図２０に示した通りである。
【図２５】
図２５は、ヒトパラインフルエンザ３型ウイルス（ＮＩＨ ４７８８５株）の融合糖タンパク質Ｆ１の検索結果を示す。配列検索モチーフ名は、図２０に示した通りである。
【図２６】
図２６は、インフルエンザＡ型ウイルス（Ａ／ＡＩＣＨＩ／２／６８株）の赤血球凝集素前駆体ＨＡ２の検索結果を示す。配列検索モチーフ名は、図２０に示した通りである。
【図２７】
図２７は、呼吸性シンシチウムウイルス（ＲＳＶ）ペプチドの抗ウイルス性および円二色性のデータを示す。図２７Ａ〜Ｂ：Ｆ２ ＤＰ１７８／ＤＰ１０７様領域に由来するペプチド。抗ウイルス性およびＣＤのデータ。図２７Ｃ−Ｄ：Ｆ１ ＤＰ１０７様領域に由来するペプチド。ペプチドおよびＣＤのデータ。
抗ウイルス活性（ＡＶ）を以下の定性的記号で表す：
「−」：陰性の抗ウイルス活性；
「＋／−」：１００μｇ／ｍｌよりも大きい抗ウイルス活性；
「＋」：５０〜１００μｇ／ｍｌの抗ウイルス活性；
「＋＋」：２０〜５０μｇ／ｍｌの抗ウイルス活性；
「＋＋＋」：１〜２０μｇ／ｍｌの抗ウイルス活性；
「＋＋＋＋」：１μｇ／ｍｌ未満の抗ウイルス活性。
螺旋性のレベルを示すＣＤデータを以下の定性的記号で表す：
「−」：螺旋性なし；
「＋」：２５〜５０％の螺旋性；
「＋＋」：５０〜７５％の螺旋性；
「＋＋＋」：７５〜１００％の螺旋性。
ＩＣ５０は、ペプチドを含まない感染させた対照培養物で得られる個数の５０％だけシンシチウムを産生するのに必要なペプチドの濃度を意味する。精製したペプチドのみを用いてＩＣ５０値を取得した。
【図２８】
図２８は、呼吸性シンシチウムウイルス（ＲＳＶ）ＤＰ１７８様領域（Ｆ１）ペプチドの抗ウイルス性およびＣＤのデータを示す。抗ウイルス性の記号、ＣＤの記号、およびＩＣ５０は、図２７Ａ〜Ｄに示した通りである。精製したペプチドのみを用いてＩＣ５０値を取得した。
【図２９】
図２９Ａ〜Ｂは、ＨＰＩＶ３ Ｆ１ ＤＰ１０７様領域に由来するペプチドの抗ウイルス性およびＣＤのデータを示す。抗ウイルス性の記号、ＣＤの記号、およびＩＣ５０は、図２７Ａ〜Ｄに示した通りである。値に星印（＊）が付いている場合は、粗製ペプチド調製物を用いてＩＣ５０値を取得したが、それ以外の場合は、精製したペプチドを用いてＩＣ５０値を取得した。
図２９Ｃは、１℃において０．１Ｍ ＮａＣｌ １０ｍＭ ＫＰＯ４、ｐＨ７．０中で測定したＨＰＩＶ３ペプチドＴ１８４のＣＤスペクトルを示す。ペプチドは広い濃度範囲（１００〜１５００μＭ）にわたって螺旋二次構造（θ２２２／２０８＝１．２）をとることがデータから示唆される。この証拠は、螺旋コイルドコイル構造を形成するペプチドと一致する。
【図３０】
図３０は、ＨＰＩＶ３ Ｆ１ ＤＰ１７８様領域に由来するペプチドの抗ウイルス性およびＣＤのデータを示す。抗ウイルス性の記号、ＣＤの記号、およびＩＣ５０は、図２７Ａ〜Ｄに示した通りである。値に星印（＊）が付いている場合は、粗製ペプチド調製物を用いてＩＣ５０値を取得したが、それ以外の場合は、精製したペプチドを用いてＩＣ５０値を取得した。
【図３１】
図３１は、サル免疫不全症ウイルス（ＳＩＶ）分離株ＭＭ２５１のエンベロープ糖タンパク質ｇｐ４１のモチーフ検索結果を示す。配列検索名は、図２０に示した通りである。
【図３２】
図３２は、エプスタイン・バーウイルス（Ｂ９５−８株）の糖タンパク質ｇｐ１１０前駆体（ｇｐ１１５と呼ばれる）ＢＡＬＦ４のモチーフ検索結果を示す。配列検索名は、図２０に示した通りである。
【図３３】
図３３は、エプスタイン・バーウイルス（Ｂ９５−８株）のＢＺＬＦ１トランスアクチベータータンパク質（ＥＢ１またはＺｅｂｒａと呼ばれる）のモチーフ検索結果を示す。配列検索名は、図２０に示した通りである。このほか、ＦｌｅｍｉｎｇｔｏｎおよびＳｐｅｃｋ（Ｆｌｅｍｉｎｇｔｏｎ， Ｅ．およびＳｐｅｃｋ， Ｓ．Ｈ．， １９９０， Ｐｒｏｃ． Ｎａｔｌ． Ａｃａｄ． Ｓｃｉ． ＵＳＡ ８７：９４５９−９４６３）によって定義されたように、「＠」は周知のＤＮＡ結合ドメインを意味し、「＋」は周知の二量化ドメインを意味する。
【図３４】
図３４は、麻疹ウイルス（Ｅｄｍｏｎｓｔｏｎ株）の融合糖タンパク質Ｆ１のモチーフ検索結果を示す。配列検索名は、図２０に示した通りである。
【図３５】
図３５は、Ｂ型肝炎ウイルス（亜型ＡＹＷ）の主要表面抗原前駆体Ｓのモチーフ検索結果を示す。配列検索名は、図２０に示した通りである。
【図３６】
図３６は、シミアンメイソン−パイツァーサルウイルスのエンベロープ（ＴＭ）タンパク質ｇｐ２０のモチーフ検索結果を示す。配列検索名は、図２０に示した通りである。
【図３７】
図３７は、緑膿菌（Ｐｓｅｕｄｏｍｏｎａｓ ａｅｒｇｉｎｏｓａ）の線毛タンパク質（ｆｉｍｂｒｉａｌ ｐｒｏｔｅｉｎ）（Ｐｉｌｉｎ）のモチーフ検索結果を示す。配列検索名は、図２０に示した通りである。
【図３８】
図３８は、多剤耐性淋菌（Ｎｅｉｓｓｅｒｉａ ｇｏｎｏｒｒｈｏｅａｅ）の線毛タンパク質（Ｐｉｌｉｎ）のモチーフ検索結果を示す。配列検索名は、図２０に示した通りである。
【図３９】
図３９は、ヘモフィルス・インフルエンゼ（Ｈｅｍｏｐｈｉｌｕｓ ｉｎｆｌｕｅｎｚａｅ）の線毛タンパク質のモチーフ検索結果を示す。配列検索名は、図２０に示した通りである。
【図４０】
図４０は、スタフィロコッカス・アウレウス（Ｓｔａｐｈｙｌｏｃｏｃｃｕｓ ａｕｒｅｕｓ）の毒素ショック症候群トキシン−１のモチーフ検索結果を示す。配列検索名は、図２０に示した通りである。
【図４１】
図４１は、スタフィロコッカス・アウレウスのエンテロトキシンＥ型のモチーフ検索結果を示す。配列検索名は、図２０に示した通りである。
【図４２】
図４２は、スタフィロコッカス・アウレウスのエンテロトキシンＡのモチーフ検索結果を示す。配列検索名は、図２０に示した通りである。
【図４３】
図４３は、大腸菌（Ｅｓｃｈｅｒｉｃｈｉａ ｃｏｌｉ）の易熱性エンテロトキシンＡのモチーフ検索結果を示す。配列検索名は、図２０に示した通りである。
【図４４】
図４４は、ヒトｃ−ｆｏｓプロト−腫瘍性タンパク質（ｐｒｏｔｏ−ｏｎｃｏｐｒｏｔｅｉｎ）のモチーフ検索結果を示す。配列検索名は、図２０に示した通りである。
【図４５】
図４５は、ヒト狼瘡ＫＵ自己抗原タンパク質Ｐ７０のモチーフ検索結果を示す。配列検索名は、図２０に示した通りである。
【図４６】
図４６は、ヒトジンクフィンガータンパク質１０のモチーフ検索結果を示す。配列検索名は、図２０に示した通りである。
【図４７】
図４７は、麻疹ウイルス（ＭｅＶ）の融合タンパク質ＤＰ１７８様領域の抗ウイルス性およびＣＤのデータを示す。抗ウイルス性の記号、ＣＤの記号、およびＩＣ５０は、図２７Ａ〜Ｄに示した通りである。精製したペプチドを用いてＩＣ５０値を取得した。
【図４８】
図４８は、サル免疫不全症ウイルス（ＳＩＶ）のＴＭ（融合）タンパク質ＤＰ１７８様領域の抗ウイルス性データを示す。抗ウイルス性の記号は、図２７Ａ〜Ｄに示した通りである。「ＮＴ」：試験せず。
【図４９】
図４９は、ＤＰ１７８に由来するペプチドの抗ウイルス性のデータを示す。ここに列挙されているペプチドは、ＨＩＶ−１ ＢＲＵ分離株ＤＰ１７８領域を取り囲む領域（たとえば、ｇｐ４１アミノ酸残基６１５〜７１７）に由来するものであった。
ペプチドがＤＰ１７８点突然変異を含んでいた場合、突然変異したアミノ酸残基は陰影を付けて示されている。試験ペプチドのアミノ末端基および／またはカルボキシ末端基が付加または除去されていた場合（そのようなペプチドで見いだされる標準的なアミド保護基およびアセチル保護基は対象外）、そのような改変が記されている。図４９Ａ：試験ペプチド名のすぐ右側の縦列には、試験ペプチドのサイズが示されており、また、このペプチドが、ＤＰ１７８領域を横切る１アミノ酸ペプチド「ウォーク（ｗａｌｋ）」に由来するものであるかが記されている。次の右側の縦列には、試験ペプチドが点突然変異を含むかが記され、その右側の縦列には、特定のアミノ酸残基が、ＤＰ１７８に由来するアミノ酸配列に付加されたかまたはＤＰ１７８に由来するアミノ酸配列から除去されたかが記されている。図４９Ｂ：試験ペプチド名のすぐ右側の縦列には、このペプチドがＤＰ１７８末端切断に相当するかが記され、次の右側の縦列には、このペプチドが点突然変異を有するかが記され、そしてその右側の縦列には、このペプチドが、ＤＰ１７８配列自体に付加されたかまたはＤＰ１７８配列自体から除去されたアミノ酸配列を含むかが記されている。図４９Ｃ：試験ペプチド名のすぐ右側の縦列には、試験ペプチドが点突然変異を含むかが記され、その右側の縦列には、アミノ酸残基がＤＰ１７８配列自体に付加されたかまたはＤＰ１７８配列自体から除去されたかが記されている。ＩＣ５０は、図２７Ａ〜Ｄで定義した通りであり、星印（＊）が付いている場合は、粗製ペプチド調製物を用いてＩＣ５０値を取得したが、それ以外の場合は、精製したペプチドを用いてＩＣ５０値を取得した。
【図５０】
図５０は、ＤＰ１０７ペプチドおよびＤＰ１０７ｇｐ４１領域末端切断型ペプチドの抗ウイルス性のデータを示す。ＩＣ５０は図２７Ａ〜Ｄで定義した通りであり、星印（＊）が付いている場合は、粗製ペプチド調製物を用いてＩＣ５０値を取得したが、それ以外の場合は、精製したペプチドを用いてＩＣ５０値を取得した。
【図５１】
図５１は、エプスタイン・バーウイルスＢ９５−８株のＢＺＬＦ１ ＤＰ１７８／ＤＰ１０７類似領域ペプチドウォークおよび電気泳動移動度シフトアッセイの結果を示す。ペプチド（Ｔ−４２３〜Ｔ−４４６、図５１ＡおよびＢ；Ｔ−４４７〜Ｔ−４６１、図５１Ｃ）は、アミノ酸残基１７３〜２４６のＥＢＶ Ｚｅｂｒａタンパク質領域を通る１アミノ酸残基「ウォーク」に相当する。
各ペプチドの最初のアミノ酸残基に対応するこの領域内のアミノ酸残基を各ペプチドの左側に列挙し、各ペプチドの最後のアミノ酸残基に対応するこの領域内のアミノ酸残基を各ペプチドの右側に列挙する。各試験ペプチドの長さは、各行の一番右側の見出し「Ｒｅｓ」の下に列挙する。
「ＡＣＴ」は、応答エレメントへのＺｅｂｒａの結合を阻害する試験ペプチドの能力を意味する。「＋」は、観測されるが不完全である、応答エレメント／Ｚｅｂｒａホモダイマー複合体の阻害を意味する。「＋＋＋」は、この複合体の完全な阻害を意味し、「−」は、複合体破壊の欠如を示している。
【図５２】
図５２は、Ｂ型肝炎ウイルス亜型ＡＹＷの主要表面抗原前駆体Ｓタンパク質のＤＰ１７８／ＤＰ１０７類似領域およびペプチドウォークを示す。５２Ａは、潜在的ＤＰ１７８／ＤＰ１０７類似領域を含むドメインＩ（Ｓタンパク質アミノ酸残基１７４〜２２０）を表している。さらに、ドメインＩを通る１アミノ酸ペプチド「ウォーク」に相当するペプチドが列挙されている。５２Ｂは、第２の潜在的ＤＰ１７８／ＤＰ１０７類似領域を含むドメインＩＩ（Ｓタンパク質アミノ酸残基２３３〜２９１）を表している。さらに、ドメインＩＩを通る１アミノ酸ペプチド「ウォーク」に相当するペプチドが列挙されている。
【図５３】
図５３は、ＤＰ１７８様呼吸性シンシチウムウイルス（ＲＳＶ）ペプチドＴ１１２のアラニンウォーク実験における細胞融合および競合阻害のデータを示す。
【図５４】
図５４は、ＤＰ１７８としても知られるペプチドＴ２０のアラニンウォーク実験における円二色性、細胞融合および競合阻害のデータを示す。
【図１】
2004527725.tif 000049
【図２】
2004527725.tif 000050
【図３】
2004527725.tif 000051
【図４】
2004527725.tif 000052
【図５】
2004527725.tif 000053
【図６】
2004527725.tif 000054
【図７】
2004527725.tif 000055
【図８】
2004527725.tif 000056
【図９】
2004527725.tif 000057
【図１０】
2004527725.tif 000058
【図１１】
2004527725.tif 000059
2004527725.tif 000060
【図１２】
2004527725.tif 000061
【図１３】
2004527725.tif 000062
【図１４】
2004527725.tif 000063
【図１５】
2004527725.tif 000064
【図１６】
2004527725.tif 000065
【図１７】
2004527725.tif 000066
【図１８】
2004527725.tif 000067
【図１９】
2004527725.tif 000068
【図２０】
2004527725.tif 000069
【図２１】
2004527725.tif 000070
【図２２】
2004527725.tif 000071
【図２３】
2004527725.tif 000072
【図２４】
2004527725.tif 000073
【図２５】
2004527725.tif 000074
【図２６】
2004527725.tif 000075
【図２７】
2004527725.tif 000076
2004527725.tif 000077
2004527725.tif 000078
2004527725.tif 000079
2004527725.tif 000080
2004527725.tif 000081
【図２８】
2004527725.tif 000082
2004527725.tif 000083
2004527725.tif 000084
【図２９】
2004527725.tif 000085
2004527725.tif 000086
2004527725.tif 000087
2004527725.tif 000088
2004527725.tif 000089
【図３０】
2004527725.tif 000090
2004527725.tif 000091
2004527725.tif 000092
【図３１】
2004527725.tif 000093
【図３２】
2004527725.tif 000094
【図３３】
2004527725.tif 000095
【図３４】
2004527725.tif 000096
【図３５】
2004527725.tif 000097
【図３６】
2004527725.tif 000098
【図３７】
2004527725.tif 000099
【図３８】
2004527725.tif 000100
【図３９】
2004527725.tif 000101
【図４０】
2004527725.tif 000102
【図４１】
2004527725.tif 000103
【図４２】
2004527725.tif 000104
【図４３】
2004527725.tif 000105
【図４４】
2004527725.tif 000106
【図４５】
2004527725.tif 000107
【図４６】
2004527725.tif 000108
【図４７】
2004527725.tif 000109
2004527725.tif 000110
【図４８】
2004527725.tif 000111
2004527725.tif 000112
【図４９】
2004527725.tif 000113
2004527725.tif 000114
2004527725.tif 000115
2004527725.tif 000116
2004527725.tif 000117
2004527725.tif 000118
2004527725.tif 000119
2004527725.tif 000120
2004527725.tif 000121
2004527725.tif 000122
2004527725.tif 000123
2004527725.tif 000124
【図５０】
2004527725.tif 000125
2004527725.tif 000126
【図５１】
2004527725.tif 000127
2004527725.tif 000128
2004527725.tif 000129
【図５２】
2004527725.tif 000130
2004527725.tif 000131
【図５３】
2004527725.tif 000132
【図５４】
2004527725.tif 000133
【国際公開パンフレット】
2004527725.tif 000134
2004527725.tif 000135
2004527725.tif 000136
2004527725.tif 000137
2004527725.tif 000138
2004527725.tif 000139
2004527725.tif 000140
2004527725.tif 000141
2004527725.tif 000142
2004527725.tif 000143
2004527725.tif 000144
2004527725.tif 000145
2004527725.tif 000146
2004527725.tif 000147
2004527725.tif 000148
2004527725.tif 000149
2004527725.tif 000150
2004527725.tif 000151
2004527725.tif 000152
2004527725.tif 000153
2004527725.tif 000154
2004527725.tif 000155
2004527725.tif 000156
2004527725.tif 000157
2004527725.tif 000158
2004527725.tif 000159
2004527725.tif 000160
2004527725.tif 000161
2004527725.tif 000162
2004527725.tif 000163
2004527725.tif 000164
2004527725.tif 000165
2004527725.tif 000166
2004527725.tif 000167
2004527725.tif 000168
2004527725.tif 000169
2004527725.tif 000170
2004527725.tif 000171
2004527725.tif 000172
2004527725.tif 000173
2004527725.tif 000174
2004527725.tif 000175
2004527725.tif 000176
2004527725.tif 000177
2004527725.tif 000178
2004527725.tif 000179
2004527725.tif 000180
2004527725.tif 000181
2004527725.tif 000182
2004527725.tif 000183
2004527725.tif 000184
2004527725.tif 000185
2004527725.tif 000186
2004527725.tif 000187
2004527725.tif 000188
2004527725.tif 000189
2004527725.tif 000190
2004527725.tif 000191
2004527725.tif 000192
2004527725.tif 000193
2004527725.tif 000194
2004527725.tif 000195
2004527725.tif 000196
2004527725.tif 000197
2004527725.tif 000198
2004527725.tif 000199
2004527725.tif 000200
2004527725.tif 000201
2004527725.tif 000202
2004527725.tif 000203
2004527725.tif 000204
2004527725.tif 000205
2004527725.tif 000206
2004527725.tif 000207
2004527725.tif 000208
2004527725.tif 000209
2004527725.tif 000210
2004527725.tif 000211
2004527725.tif 000212
2004527725.tif 000213
2004527725.tif 000214
2004527725.tif 000215
2004527725.tif 000216
2004527725.tif 000217
2004527725.tif 000218
2004527725.tif 000219
2004527725.tif 000220
2004527725.tif 000221
2004527725.tif 000222
2004527725.tif 000223
2004527725.tif 000224
2004527725.tif 000225
2004527725.tif 000226
2004527725.tif 000227
2004527725.tif 000228
2004527725.tif 000229
2004527725.tif 000230
2004527725.tif 000231
2004527725.tif 000232
2004527725.tif 000233
2004527725.tif 000234
2004527725.tif 000235
2004527725.tif 000236
2004527725.tif 000237
2004527725.tif 000238
2004527725.tif 000239
2004527725.tif 000240
2004527725.tif 000241
2004527725.tif 000242
2004527725.tif 000243
2004527725.tif 000244
2004527725.tif 000245
2004527725.tif 000246
2004527725.tif 000247
2004527725.tif 000248
2004527725.tif 000249
2004527725.tif 000250
2004527725.tif 000251
2004527725.tif 000252
2004527725.tif 000253
2004527725.tif 000254
2004527725.tif 000255
2004527725.tif 000256
2004527725.tif 000257
2004527725.tif 000258
2004527725.tif 000259
2004527725.tif 000260
2004527725.tif 000261
2004527725.tif 000262
2004527725.tif 000263
2004527725.tif 000264
2004527725.tif 000265
2004527725.tif 000266
2004527725.tif 000267
2004527725.tif 000268
2004527725.tif 000269
2004527725.tif 000270
2004527725.tif 000271
2004527725.tif 000272
2004527725.tif 000273
2004527725.tif 000274
2004527725.tif 000275
2004527725.tif 000276
2004527725.tif 000277
2004527725.tif 000278
2004527725.tif 000279
2004527725.tif 000280
2004527725.tif 000281
2004527725.tif 000282
2004527725.tif 000283
2004527725.tif 000284
2004527725.tif 000285
2004527725.tif 000286
2004527725.tif 000287
2004527725.tif 000288
2004527725.tif 000289
2004527725.tif 000290
2004527725.tif 000291
2004527725.tif 000292
2004527725.tif 000293
2004527725.tif 000294
2004527725.tif 000295
2004527725.tif 000296
2004527725.tif 000297
2004527725.tif 000298
2004527725.tif 000299
2004527725.tif 000300
2004527725.tif 000301
2004527725.tif 000302
2004527725.tif 000303
2004527725.tif 000304
2004527725.tif 000305
2004527725.tif 000306
2004527725.tif 000307
2004527725.tif 000308
2004527725.tif 000309
2004527725.tif 000310
2004527725.tif 000311
2004527725.tif 000312
2004527725.tif 000313
2004527725.tif 000314
2004527725.tif 000315
2004527725.tif 000316
2004527725.tif 000317
2004527725.tif 000318
2004527725.tif 000319
2004527725.tif 000320
2004527725.tif 000321
2004527725.tif 000322
2004527725.tif 000323
2004527725.tif 000324
2004527725.tif 000325
2004527725.tif 000326
2004527725.tif 000327
2004527725.tif 000328
2004527725.tif 000329
2004527725.tif 000330
2004527725.tif 000331
2004527725.tif 000332
2004527725.tif 000333
2004527725.tif 000334
2004527725.tif 000335
2004527725.tif 000336
2004527725.tif 000337
2004527725.tif 000338
2004527725.tif 000339
2004527725.tif 000340
2004527725.tif 000341
2004527725.tif 000342
2004527725.tif 000343
2004527725.tif 000344
2004527725.tif 000345
2004527725.tif 000346
2004527725.tif 000347
2004527725.tif 000348
2004527725.tif 000349
2004527725.tif 000350
2004527725.tif 000351
2004527725.tif 000352
2004527725.tif 000353
2004527725.tif 000354
2004527725.tif 000355
2004527725.tif 000356
2004527725.tif 000357
2004527725.tif 000358
2004527725.tif 000359
2004527725.tif 000360
2004527725.tif 000361
2004527725.tif 000362
2004527725.tif 000363
2004527725.tif 000364
2004527725.tif 000365
2004527725.tif 000366
2004527725.tif 000367
2004527725.tif 000368
2004527725.tif 000369
2004527725.tif 000370
2004527725.tif 000371
2004527725.tif 000372
2004527725.tif 000373
2004527725.tif 000374
2004527725.tif 000375
2004527725.tif 000376
2004527725.tif 000377
2004527725.tif 000378
2004527725.tif 000379
2004527725.tif 000380
2004527725.tif 000381
2004527725.tif 000382
2004527725.tif 000383
2004527725.tif 000384
2004527725.tif 000385
2004527725.tif 000386
2004527725.tif 000387
2004527725.tif 000388
2004527725.tif 000389
2004527725.tif 000390
2004527725.tif 000391
【国際公開パンフレット（コレクトバージョン）】
2004527725.tif 000392
【国際調査報告】
2004527725.tif 000393